(57)【特許請求の範囲】
【請求項１】
第１乃至第３撮像部が筐体の１つの面上において特定の方向へ並べて配置されている撮像部群と、
前記撮像部群による撮像動作が行われた後に前記撮像動作により撮像された画像を表示部に一定期間表示するポストビュー表示動作の表示範囲を、前記撮像動作が行われた際の前記表示部の向きに応じて制御する制御部とを具備し、
前記撮像部群は、前記第１撮像部が備える光軸を対称軸として、前記第２撮像部が備える光軸と前記第３撮像部が備える光軸とが線対称となるように配置され、
前記制御部は、前記表示部の長辺が略垂直となる状態で前記撮像動作が行われた場合において、前記第１撮像部により撮像された画像の範囲内の画像であって記録もしくは伝送する画像の全体を前記表示部に表示させ、前記表示部の長辺が略水平となる状態で前記撮像動作が行われた場合において、前記第１乃至第３撮像部により撮像された画像を前記表示部の長辺方向に連結して得られる画像の範囲内かつ前記第１撮像部により撮像される画像よりも大なる範囲の画像であって記録もしくは伝送する画像の一部を拡大した画像を前記表示部に表示させる
撮像装置。
【請求項２】
第１乃至第３撮像部が筐体の１つの面上において特定の方向へ並べて配置されている撮像部群と、
前記撮像部群による撮像動作が行われた後に前記撮像動作により撮像された画像を表示部に一定期間表示するポストビュー表示動作の表示範囲を、前記撮像動作が行われた際の前記表示部の向きに応じて制御する制御部とを具備し、
前記撮像部群は、前記第１撮像部が備える光軸を対称軸として、前記第２撮像部が備える光軸と前記第３撮像部が備える光軸とが線対称となるように配置され、
前記制御部は、前記表示部の長辺が略垂直となる状態で前記撮像動作が行われた場合において、前記第１撮像部により撮像された画像の範囲内の画像であって記録もしくは伝送する画像の一部を拡大した画像を前記表示部に表示させ、前記表示部の長辺が略水平となる状態で前記撮像動作が行われた場合において、前記第１乃至第３撮像部により撮像された画像を前記表示部の長辺方向に連結して得られる画像の範囲内かつ前記第１撮像部により撮像される画像よりも大なる範囲の画像であって記録もしくは伝送する画像の一部を、前記表示部の長辺が略垂直となる状態における拡大率よりも大なる拡大率で拡大した画像を前記表示部に表示させる
撮像装置。
【請求項３】
第１乃至第３撮像部が筐体の１つの面上において特定の方向へ並べて配置されている撮像部群と、
前記撮像部群による撮像動作が行われた後に前記撮像動作により撮像された画像を表示部に一定期間表示するポストビュー表示動作の表示範囲を、前記撮像動作が行われた際の前記表示部の向きに応じて制御する制御部とを具備し、
前記撮像部群は、前記第１撮像部により撮像される画像の範囲の左右に、前記第２撮像部により撮像される画像の範囲と前記第３撮像部により撮像される画像の範囲とが配置されるように、前記第１乃至第３撮像部が配置され、
前記制御部は、前記表示部の長辺が略垂直となる状態で前記撮像動作が行われた場合において、前記第１撮像部により撮像された画像の範囲内の画像であって記録もしくは伝送する画像の全体を前記表示部に表示させ、前記表示部の長辺が略水平となる状態で前記撮像動作が行われた場合において、前記第１乃至第３撮像部により撮像された画像を前記表示部の長辺方向に連結して得られる画像の範囲内かつ前記第１撮像部により撮像される画像よりも大なる範囲の画像であって記録もしくは伝送する画像の一部を拡大した画像を前記表示部に表示させる
撮像装置。
【請求項４】
第１乃至第３撮像部が筐体の１つの面上において特定の方向へ並べて配置されている撮像部群と、
前記撮像部群による撮像動作が行われた後に前記撮像動作により撮像された画像を表示部に一定期間表示するポストビュー表示動作の表示範囲を、前記撮像動作が行われた際の前記表示部の向きに応じて制御する制御部とを具備し、
前記撮像部群は、前記第１撮像部により撮像される画像の範囲の左右に、前記第２撮像部により撮像される画像の範囲と前記第３撮像部により撮像される画像の範囲とが配置されるように、前記第１乃至第３撮像部が配置され、
前記制御部は、前記表示部の長辺が略垂直となる状態で前記撮像動作が行われた場合において、前記第１撮像部により撮像された画像の範囲内の画像であって記録もしくは伝送する画像の一部を拡大した画像を前記表示部に表示させ、前記表示部の長辺が略水平となる状態で前記撮像動作が行われた場合において、前記第１乃至第３撮像部により撮像された画像を前記表示部の長辺方向に連結して得られる画像の範囲内かつ前記第１撮像部により撮像される画像よりも大なる範囲の画像であって記録もしくは伝送する画像の一部を、前記表示部の長辺が略垂直となる状態における拡大率よりも大なる拡大率で拡大した画像を前記表示部に表示させる
撮像装置。
【請求項５】
第１乃至第３撮像部が筐体の１つの面上において特定の方向へ並べて配置されている撮像部群と、
前記撮像部群による撮像動作が行われた後に前記撮像動作により撮像された画像を表示部に一定期間表示するポストビュー表示動作の表示範囲を、前記撮像動作が行われた際の前記表示部の向きに応じて制御する制御部とを具備し、
前記撮像部群は、前記第１撮像部が備える光軸を対称軸として、前記第２撮像部が備える光軸と前記第３撮像部が備える光軸とが線対称となるように配置され、
前記制御部は、前記表示部の長辺が略垂直となる状態で前記撮像動作が行われた場合において、前記第１撮像部により撮像された画像の範囲内の画像であって記録もしくは伝送する画像の全体を前記表示部に表示させ、前記表示部の長辺が略水平となる状態で前記撮像動作が行われた場合において、前記第１乃至第３撮像部により撮像された画像を前記表示部の長辺方向に連結して得られる画像の範囲内かつ前記第１撮像部により撮像される画像よりも大なる範囲の画像であって記録もしくは伝送する画像の一部を拡大した画像を前記表示部に表示させる
電子機器。
【請求項６】
第１乃至第３撮像部が筐体の１つの面上において特定の方向へ並べて配置されている撮像部群と、
前記撮像部群による撮像動作が行われた後に前記撮像動作により撮像された画像を表示部に一定期間表示するポストビュー表示動作の表示範囲を、前記撮像動作が行われた際の前記表示部の向きに応じて制御する制御部とを具備し、
前記撮像部群は、前記第１撮像部が備える光軸を対称軸として、前記第２撮像部が備える光軸と前記第３撮像部が備える光軸とが線対称となるように配置され、
前記制御部は、前記表示部の長辺が略垂直となる状態で前記撮像動作が行われた場合において、前記第１撮像部により撮像された画像の範囲内の画像であって記録もしくは伝送する画像の一部を拡大した画像を前記表示部に表示させ、前記表示部の長辺が略水平となる状態で前記撮像動作が行われた場合において、前記第１乃至第３撮像部により撮像された画像を前記表示部の長辺方向に連結して得られる画像の範囲内かつ前記第１撮像部により撮像される画像よりも大なる範囲の画像であって記録もしくは伝送する画像の一部を、前記表示部の長辺が略垂直となる状態における拡大率よりも大なる拡大率で拡大した画像を前記表示部に表示させる
電子機器。
【請求項７】
第１乃至第３撮像部が筐体の１つの面上において特定の方向へ並べて配置されている撮像部群と、
前記撮像部群による撮像動作が行われた後に前記撮像動作により撮像された画像を表示部に一定期間表示するポストビュー表示動作の表示範囲を、前記撮像動作が行われた際の前記表示部の向きに応じて制御する制御部とを具備し、
前記撮像部群は、前記第１撮像部により撮像される画像の範囲の左右に、前記第２撮像部により撮像される画像の範囲と前記第３撮像部により撮像される画像の範囲とが配置されるように、前記第１乃至第３撮像部が配置され、
前記制御部は、前記表示部の長辺が略垂直となる状態で前記撮像動作が行われた場合において、前記第１撮像部により撮像された画像の範囲内の画像であって記録もしくは伝送する画像の全体を前記表示部に表示させ、前記表示部の長辺が略水平となる状態で前記撮像動作が行われた場合において、前記第１乃至第３撮像部により撮像された画像を前記表示部の長辺方向に連結して得られる画像の範囲内かつ前記第１撮像部により撮像される画像よりも大なる範囲の画像であって記録もしくは伝送する画像の一部を拡大した画像を前記表示部に表示させる
電子機器。
【請求項８】
第１乃至第３撮像部が筐体の１つの面上において特定の方向へ並べて配置されている撮像部群と、
前記撮像部群による撮像動作が行われた後に前記撮像動作により撮像された画像を表示部に一定期間表示するポストビュー表示動作の表示範囲を、前記撮像動作が行われた際の前記表示部の向きに応じて制御する制御部とを具備し、
前記撮像部群は、前記第１撮像部により撮像される画像の範囲の左右に、前記第２撮像部により撮像される画像の範囲と前記第３撮像部により撮像される画像の範囲とが配置されるように、前記第１乃至第３撮像部が配置され、
前記制御部は、前記表示部の長辺が略垂直となる状態で前記撮像動作が行われた場合において、前記第１撮像部により撮像された画像の範囲内の画像であって記録もしくは伝送する画像の一部を拡大した画像を前記表示部に表示させ、前記表示部の長辺が略水平となる状態で前記撮像動作が行われた場合において、前記第１乃至第３撮像部により撮像された画像を前記表示部の長辺方向に連結して得られる画像の範囲内かつ前記第１撮像部により撮像される画像よりも大なる範囲の画像であって記録もしくは伝送する画像の一部を、前記表示部の長辺が略垂直となる状態における拡大率よりも大なる拡大率で拡大した画像を前記表示部に表示させる
電子機器。
【請求項９】
第１乃至第３撮像部が筐体の１つの面上において特定の方向へ並べて配置されている撮像部群による撮像動作が行われた後に前記撮像動作により撮像された画像を表示部に一定期間表示するポストビュー表示動作の表示範囲を、前記撮像動作が行われた際の前記表示部の向きに応じて制御する制御手順を具備し、
前記撮像部群は、前記第１撮像部が備える光軸を対称軸として、前記第２撮像部が備える光軸と前記第３撮像部が備える光軸とが線対称となるように配置され、
前記制御手順は、前記表示部の長辺が略垂直となる状態で前記撮像動作が行われた場合において、前記第１撮像部により撮像された画像の範囲内の画像であって記録もしくは伝送する画像の全体を前記表示部に表示させ、前記表示部の長辺が略水平となる状態で前記撮像動作が行われた場合において、前記第１乃至第３撮像部により撮像された画像を前記表示部の長辺方向に連結して得られる画像の範囲内かつ前記第１撮像部により撮像される画像よりも大なる範囲の画像であって記録もしくは伝送する画像の一部を拡大した画像を前記表示部に表示させる
表示制御方法。
【請求項１０】
第１乃至第３撮像部が筐体の１つの面上において特定の方向へ並べて配置されている撮像部群による撮像動作が行われた後に前記撮像動作により撮像された画像を表示部に一定期間表示するポストビュー表示動作の表示範囲を、前記撮像動作が行われた際の前記表示部の向きに応じて制御する制御手順を具備し、
前記撮像部群は、前記第１撮像部が備える光軸を対称軸として、前記第２撮像部が備える光軸と前記第３撮像部が備える光軸とが線対称となるように配置され、
前記制御手順は、前記表示部の長辺が略垂直となる状態で前記撮像動作が行われた場合において、前記第１撮像部により撮像された画像の範囲内の画像であって記録もしくは伝送する画像の一部を拡大した画像を前記表示部に表示させ、前記表示部の長辺が略水平となる状態で前記撮像動作が行われた場合において、前記第１乃至第３撮像部により撮像された画像を前記表示部の長辺方向に連結して得られる画像の範囲内かつ前記第１撮像部により撮像される画像よりも大なる範囲の画像であって記録もしくは伝送する画像の一部を、前記表示部の長辺が略垂直となる状態における拡大率よりも大なる拡大率で拡大した画像を前記表示部に表示させる
表示制御方法。
【請求項１１】
第１乃至第３撮像部が筐体の１つの面上において特定の方向へ並べて配置されている撮像部群による撮像動作が行われた後に前記撮像動作により撮像された画像を表示部に一定期間表示するポストビュー表示動作の表示範囲を、前記撮像動作が行われた際の前記表示部の向きに応じて制御する制御手順を具備し、
前記撮像部群は、前記第１撮像部により撮像される画像の範囲の左右に、前記第２撮像部により撮像される画像の範囲と前記第３撮像部により撮像される画像の範囲とが配置されるように、前記第１乃至第３撮像部が配置され、
前記制御手順は、前記表示部の長辺が略垂直となる状態で前記撮像動作が行われた場合において、前記第１撮像部により撮像された画像の範囲内の画像であって記録もしくは伝送する画像の全体を前記表示部に表示させ、前記表示部の長辺が略水平となる状態で前記撮像動作が行われた場合において、前記第１乃至第３撮像部により撮像された画像を前記表示部の長辺方向に連結して得られる画像の範囲内かつ前記第１撮像部により撮像される画像よりも大なる範囲の画像であって記録もしくは伝送する画像の一部を拡大した画像を前記表示部に表示させる
表示制御方法。
【請求項１２】
第１乃至第３撮像部が筐体の１つの面上において特定の方向へ並べて配置されている撮像部群による撮像動作が行われた後に前記撮像動作により撮像された画像を表示部に一定期間表示するポストビュー表示動作の表示範囲を、前記撮像動作が行われた際の前記表示部の向きに応じて制御する制御手順を具備し、
前記撮像部群は、前記第１撮像部により撮像される画像の範囲の左右に、前記第２撮像部により撮像される画像の範囲と前記第３撮像部により撮像される画像の範囲とが配置されるように、前記第１乃至第３撮像部が配置され、
前記制御手順は、前記表示部の長辺が略垂直となる状態で前記撮像動作が行われた場合において、前記第１撮像部により撮像された画像の範囲内の画像であって記録もしくは伝送する画像の一部を拡大した画像を前記表示部に表示させ、前記表示部の長辺が略水平となる状態で前記撮像動作が行われた場合において、前記第１乃至第３撮像部により撮像された画像を前記表示部の長辺方向に連結して得られる画像の範囲内かつ前記第１撮像部により撮像される画像よりも大なる範囲の画像であって記録もしくは伝送する画像の一部を、前記表示部の長辺が略垂直となる状態における拡大率よりも大なる拡大率で拡大した画像を前記表示部に表示させる
表示制御方法。
【発明の詳細な説明】
【技術分野】
【０００１】
本発明は、撮像装置に関し、特に、画像を表示させる撮像装置、電子機器および表示制御方法に関する。
【背景技術】
【０００２】
近年、人物等の被写体を撮像する撮像系を備え、この撮像系により生成された画像（撮像画像）を画像ファイルとして記録するデジタルスチルカメラ、デジタルビデオカメラ（例えば、カメラ一体型レコーダ）等の撮像装置が普及している。
【０００３】
また、複数の撮像画像を合成することにより、特定方向における撮像範囲を比較的広くした画像（例えば、パノラマ画像）を生成することが可能な撮像装置が提案されている。例えば、３つの撮像系を備え、各撮像系から出力された画像を並べて合成することによりパノラマ画像を生成する撮像装置が提案されている（例えば、特許文献１参照。）。
【先行技術文献】
【特許文献】
【０００４】
【特許文献１】特開２００７−１６６３１７号公報（図６）
【発明の概要】
【発明が解決しようとする課題】
【０００５】
上述の従来技術によれば、パノラマ画像の撮影を容易に行うことができる。このため、例えば、旅行先の観光地において、有名な建物を背景にして複数の人物が点在している状態を構図として撮影する場合でも、これらの各人物を含むパノラマ画像の撮影を容易に行うことができる。また、このように撮影されたパノラマ画像を確認する場合には、その撮影されたパノラマ画像を撮影直後に表示部に表示させることが考えられる。
【０００６】
ここで、パノラマ画像は、通常の撮像画像と比較すると特定方向に長い画像である。このため、その全体構図を確認するため、通常の撮像画像によりも縮小して表示させることが考えられる。しかしながら、このように縮小してパノラマ画像を表示する場合には、そのパノラマ画像に含まれる被写体が小さく表示されることになる。このため、そのパノラマ画像に含まれる各人物の顔も小さく表示され、各顔の表情や目瞑り等を確認し難いことが想定される。
【０００７】
例えば、上述したように、旅行先の観光地において撮影を行うような場合には、各人物が移動してしまうことがあるため、撮影タイミングが重要となる。そこで、パノラマ画像の撮影後にその構図および所望の被写体の確認を迅速に行うことが重要である。また、パノラマ画像の再生時においては、その全体構図および所望の被写体を関連付けて見ることができれば、さらにユーザの興味を高めることができると考えられる。
【０００８】
本発明はこのような状況に鑑みてなされたものであり、撮像画像の種類に応じた適切な表示を行うことを目的とする。
【課題を解決するための手段】
【０００９】
本発明は、上記課題を解決するためになされたものであり、その第１の側面は、第１乃至第３撮像部が筐体の１つの面上において特定の方向へ並べて配置されている撮像部群と、上記撮像部群による撮像動作が行われた後に上記撮像動作により撮像された画像を表示部に一定期間表示するポストビュー表示動作の表示範囲を、上記撮像動作が行われた際の上記表示部の向きに応じて制御する制御部とを具備し、上記撮像部群は、上記第１撮像部が備える光軸を対称軸として、上記第２撮像部が備える光軸と上記第３撮像部が備える光軸とが線対称となるように配置され、上記制御部は、上記表示部の長辺が略垂直となる状態で上記撮像動作が行われた場合において、上記第１撮像部により撮像された画像の範囲内の画像であって記録もしくは伝送する画像の全体を上記表示部に表示させ、上記表示部の長辺が略水平となる状態で上記撮像動作が行われた場合において、上記第１乃至第３撮像部により撮像された画像を上記表示部の長辺方向に連結して得られる画像の範囲内かつ上記第１撮像部により撮像される画像よりも大なる範囲の画像であって記録もしくは伝送する画像の一部を拡大した画像を上記表示部に表示させる撮像装置、電子機器およびその表示制御方法である。これにより、表示部の長辺が略垂直となる状態で撮像動作が行われた場合において、第１撮像部により撮像された画像の範囲内の画像であって記録もしくは伝送する画像の全体を表示させ、表示部の長辺が略水平となる状態で撮像動作が行われた場合において、第１乃至第３撮像部により撮像された画像を表示部の長辺方向に連結して得られる画像の範囲内かつ第１撮像部により撮像される画像よりも大なる範囲の画像であって記録もしくは伝送する画像の一部を拡大した画像を表示させるという作用をもたらす。
【００１０】
また、本発明の第２の側面は、第１乃至第３撮像部が筐体の１つの面上において特定の方向へ並べて配置されている撮像部群と、上記撮像部群による撮像動作が行われた後に上記撮像動作により撮像された画像を表示部に一定期間表示するポストビュー表示動作の表示範囲を、上記撮像動作が行われた際の上記表示部の向きに応じて制御する制御部とを具備し、上記撮像部群は、上記第１撮像部が備える光軸を対称軸として、上記第２撮像部が備える光軸と上記第３撮像部が備える光軸とが線対称となるように配置され、上記制御部は、上記表示部の長辺が略垂直となる状態で上記撮像動作が行われた場合において、上記第１撮像部により撮像された画像の範囲内の画像であって記録もしくは伝送する画像の一部を拡大した画像を上記表示部に表示させ、上記表示部の長辺が略水平となる状態で上記撮像動作が行われた場合において、上記第１乃至第３撮像部により撮像された画像を上記表示部の長辺方向に連結して得られる画像の範囲内かつ上記第１撮像部により撮像される画像よりも大なる範囲の画像であって記録もしくは伝送する画像の一部を、上記表示部の長辺が略垂直となる状態における拡大率よりも大なる拡大率で拡大した画像を上記表示部に表示させる撮像装置、電子機器およびその表示制御方法である。これにより、表示部の長辺が略垂直となる状態で撮像動作が行われた場合において、第１撮像部により撮像された画像の範囲内の画像であって記録もしくは伝送する画像の一部を拡大した画像を表示させ、表示部の長辺が略水平となる状態で撮像動作が行われた場合において、第１乃至第３撮像部により撮像された画像を表示部の長辺方向に連結して得られる画像の範囲内かつ第１撮像部により撮像される画像よりも大なる範囲の画像であって記録もしくは伝送する画像の一部を、表示部の長辺が略垂直となる状態における拡大率よりも大なる拡大率で拡大した画像を表示させるという作用をもたらす。
【００１１】
また、本発明の第３の側面は、第１乃至第３撮像部が筐体の１つの面上において特定の方向へ並べて配置されている撮像部群と、上記撮像部群による撮像動作が行われた後に上記撮像動作により撮像された画像を表示部に一定期間表示するポストビュー表示動作の表示範囲を、上記撮像動作が行われた際の上記表示部の向きに応じて制御する制御部とを具備し、上記撮像部群は、上記第１撮像部により撮像される画像の範囲の左右に、上記第２撮像部により撮像される画像の範囲と上記第３撮像部により撮像される画像の範囲とが配置されるように、上記第１乃至第３撮像部が配置され、上記制御部は、上記表示部の長辺が略垂直となる状態で上記撮像動作が行われた場合において、上記第１撮像部により撮像された画像の範囲内の画像であって記録もしくは伝送する画像の全体を上記表示部に表示させ、上記表示部の長辺が略水平となる状態で上記撮像動作が行われた場合において、上記第１乃至第３撮像部により撮像された画像を上記表示部の長辺方向に連結して得られる画像の範囲内かつ上記第１撮像部により撮像される画像よりも大なる範囲の画像であって記録もしくは伝送する画像の一部を拡大した画像を上記表示部に表示させる撮像装置、電子機器およびその表示制御方法である。これにより、表示部の長辺が略垂直となる状態で撮像動作が行われた場合において、第１撮像部により撮像された画像の範囲内の画像であって記録もしくは伝送する画像の全体を表示させ、表示部の長辺が略水平となる状態で撮像動作が行われた場合において、第１乃至第３撮像部により撮像された画像を表示部の長辺方向に連結して得られる画像の範囲内かつ第１撮像部により撮像される画像よりも大なる範囲の画像であって記録もしくは伝送する画像の一部を拡大した画像を表示させるという作用をもたらす。
【００１２】
また、本発明の第４の側面は、第１乃至第３撮像部が筐体の１つの面上において特定の方向へ並べて配置されている撮像部群と、上記撮像部群による撮像動作が行われた後に上記撮像動作により撮像された画像を表示部に一定期間表示するポストビュー表示動作の表示範囲を、上記撮像動作が行われた際の上記表示部の向きに応じて制御する制御部とを具備し、上記撮像部群は、上記第１撮像部により撮像される画像の範囲の左右に、上記第２撮像部により撮像される画像の範囲と上記第３撮像部により撮像される画像の範囲とが配置されるように、上記第１乃至第３撮像部が配置され、上記制御部は、上記表示部の長辺が略垂直となる状態で上記撮像動作が行われた場合において、上記第１撮像部により撮像された画像の範囲内の画像であって記録もしくは伝送する画像の一部を拡大した画像を上記表示部に表示させ、上記表示部の長辺が略水平となる状態で上記撮像動作が行われた場合において、上記第１乃至第３撮像部により撮像された画像を上記表示部の長辺方向に連結して得られる画像の範囲内かつ上記第１撮像部により撮像される画像よりも大なる範囲の画像であって記録もしくは伝送する画像の一部を、上記表示部の長辺が略垂直となる状態における拡大率よりも大なる拡大率で拡大した画像を上記表示部に表示させる撮像装置、電子機器およびその表示制御方法である。これにより、表示部の長辺が略垂直となる状態で撮像動作が行われた場合において、第１撮像部により撮像された画像の範囲内の画像であって記録もしくは伝送する画像の一部を拡大した画像を表示させ、表示部の長辺が略水平となる状態で撮像動作が行われた場合において、第１乃至第３撮像部により撮像された画像を表示部の長辺方向に連結して得られる画像の範囲内かつ第１撮像部により撮像される画像よりも大なる範囲の画像であって記録もしくは伝送する画像の一部を、表示部の長辺が略垂直となる状態における拡大率よりも大なる拡大率で拡大した画像を表示させるという作用をもたらす。
【発明の効果】
【００２２】
本発明によれば、撮像画像の種類に応じた適切な表示を行うことができるという優れた効果を奏し得る。
【図面の簡単な説明】
【００２３】
【図１】本発明の第１の実施の形態における携帯電話装置１００の外観構成例を示す図である。
【図２】本発明の第１の実施の形態における携帯電話装置１００の内部構成例を示す図である。
【図３】本発明の第１の実施の形態における撮像部１３０の内部構成例を示す図である。
【図４】本発明の第１の実施の形態における撮像部１３０を構成する撮像素子１３４乃至１３６の配置構成例を示す図である。
【図５】本発明の第１の実施の形態における撮像素子１３４乃至１３６に結像される像と、画像データの読出方法との関係を示す図である。
【図６】本発明の第１の実施の形態における撮像素子１３４乃至１３６に結像される像と、画像データの読出方法との関係を示す図である。
【図７】本発明の第１の実施の形態におけるＤＳＰ２００の内部構成例を示すブロック図である。
【図８】本発明の第１の実施の形態における画像信号処理部２２０の内部構成例を示すブロック図である。
【図９】本発明の第１の実施の形態におけるクロック生成回路２７０の内部構成例を示すブロック図である。
【図１０】本発明の第１の実施の形態におけるクロック生成回路２７０の変形例を示すブロック図である。
【図１１】本発明の第１の実施の形態におけるクロック生成回路２７０の変形例を示すブロック図である。
【図１２】本発明の第１の実施の形態における撮像素子の内部構成例を示す図である。
【図１３】本発明の第１の実施の形態における撮像素子１３４が備えるレジスタ３７０および３８０の保持内容を模式的に示す図である。
【図１４】本発明の第１の実施の形態における撮像素子１３４における各画素への制御信号と、これらの各画素から出力されるデータとの様子を模式的に表すタイミングチャートである。
【図１５】本発明の第１の実施の形態における撮像素子１３４における各画素への制御信号と、これらの各画素から出力されるデータとの様子を模式的に表すタイミングチャートである。
【図１６】本発明の第１の実施の形態における撮像素子１３４における各画素への制御信号と、これらの各画素から出力されるデータとの様子を模式的に表すタイミングチャートである。
【図１７】本発明の第１の実施の形態における撮像素子１３４の間引きを行うための走査回路の一例を模式的に示す図である。
【図１８】本発明の第１の実施の形態における撮像部１３０および被写体との関係を示す図である。
【図１９】本発明の第１の実施の形態における撮像部１３０における撮像系と、これらの撮像対象となる被写体との関係を模式的に示す図である。
【図２０】本発明の第１の実施の形態における撮像部１３０における撮像系と、これらの撮像対象となる被写体との関係を模式的に示す図である。
【図２１】本発明の第１の実施の形態における撮像部１３０における撮像系と、これらにより生成される撮像画像との関係を模式的に示す図である。
【図２２】本発明の第１の実施の形態における撮像部１３０における撮像系と、これらの撮像対象となる被写体との関係を模式的に示す図である。
【図２３】本発明の第１の実施の形態における撮像部１３０における撮像系と、これらにより生成された撮像画像および補正後の補正画像との関係を模式的に示す図である。
【図２４】本発明の第１の実施の形態における画像合成処理部２２４が合成画像を生成する場合における合成の流れを模式的に示す図である。
【図２５】本発明の第１の実施の形態における画像合成処理部２２４が合成画像を生成する場合における合成の流れを模式的に示す図である。
【図２６】本発明の第１の実施の形態における画像合成処理部２２４が合成画像を生成する場合における合成の流れを模式的に示す図である。
【図２７】本発明の第１の実施の形態における携帯電話装置１００による撮像処理の撮像対象となる被写体５００を示す図である。
【図２８】本発明の第１の実施の形態における撮像素子１３４乃至１３６における画像データの読出方法の一例（第１の読出方法）を模式的に示す図である。
【図２９】本発明の第１の実施の形態における表示部１４０における画像の表示例を示す図である。
【図３０】本発明の第１の実施の形態における撮像素子１３４乃至１３６における画像データの読出方法の一例（第２の読出方法）を模式的に示す図である。
【図３１】本発明の第１の実施の形態における表示部１４０における画像の表示例を示す図である。
【図３２】本発明の第１の実施の形態における撮像素子１３４乃至１３６における画像データの読出方法の一例（第３の読出方法）を模式的に示す図である。
【図３３】本発明の第１の実施の形態における表示部１４０における画像の表示例を示す図である。
【図３４】本発明の第１の実施の形態における撮像素子１３４乃至１３６における画像データの読出方法の一例（第４の読出方法）を模式的に示す図である。
【図３５】本発明の第１の実施の形態における表示部１４０における画像の表示例を示す図である。
【図３６】本発明の第１の実施の形態における撮像素子１３４乃至１３６における画像データの読出方法の一例（第５の読出方法）を模式的に示す図である。
【図３７】本発明の第１の実施の形態における表示部１４０における画像の表示例を示す図である。
【図３８】本発明の第１の実施の形態における表示部１４０における画像の表示例を示す図である。
【図３９】本発明の第１の実施の形態における表示部１４０に表示される画像を回転させる回転処理を模式的に示す図である。
【図４０】本発明の第１の実施の形態における表示部１４０における画像の表示例を示す図である。
【図４１】本発明の第１の実施の形態における表示部１４０における画像の表示例を示す図である。
【図４２】本発明の第１の実施の形態における表示部１４０における画像の表示例を示す図である。
【図４３】本発明の第１の実施の形態における撮像素子１３４により画素間引きおよび画素加算が行われた場合における画像データの流れを模式的に示す図である。
【図４４】本発明の第１の実施の形態における画素加算処理部２２１により画素数を変更する場合における画像データの流れを模式的に示す図である。
【図４５】本発明の第１の実施の形態における画像メモリ１７０から画像データを読み出す際に画素数を変更する場合における画像データの流れを模式的に示す図である。
【図４６】本発明の第１の実施の形態における撮像素子１３４により読出領域を変化させる場合における画像データの流れを模式的に示す図である。
【図４７】本発明の第１の実施の形態における画像メモリ１７０から画像データを読み出す際に読出領域を変化させる場合における画像データの流れを模式的に示す図である。
【図４８】本発明の第１の実施の形態における携帯電話装置１００の機能構成例を示すブロック図である。
【図４９】本発明の第１の実施の形態における携帯電話装置１００の機能構成例を示すブロック図である。
【図５０】本発明の第１の実施の形態における撮像系の動作を停止させるための制御方法と、各信号線との関係を示す図である。
【図５１】本発明の第１の実施の形態における撮像素子からの出力タイミングと、画像バッファへの書込みの様子を模式的に表すタイミングチャートである。
【図５２】本発明の第１の実施の形態における撮像素子における各画素の読み出しおよび画像バッファへの書き込むためのクロック周波数と、画像バッファから画像データを読み出すためのクロック周波数との関係を示す図である。
【図５３】本発明の第１の実施の形態における撮像素子における各画素の読み出しおよび画像バッファへの書き込むためのクロック周波数と、画像バッファから画像データを読み出すためのクロック周波数との関係を示す図である。
【図５４】本発明の第１の実施の形態における撮像素子における各画素の読み出しおよび画像バッファへの書き込むためのクロック周波数と、画像バッファから画像データを読み出すためのクロック周波数との関係を示す図である。
【図５５】本発明の第１の実施の形態における撮像素子１３４により生成された画像データの流れを模式的に示す図である。
【図５６】本発明の第１の実施の形態におけるデータバス２０４を占有する処理と時間との関係を模式的に示す図である。
【図５７】本発明の第１の実施の形態における携帯電話装置１００の各撮像動作についてデータバス２０４の動作周波数を決定するためのパラメータを示す図である。
【図５８】本発明の第１の実施の形態における携帯電話装置１００の各撮像動作についてデータバス２０４の動作周波数を決定するためのパラメータの一例を示す図である。
【図５９】本発明の第１の実施の形態における画像信号処理部２２０により行われる時分割処理を模式的に示す図である。
【図６０】本発明の第１の実施の形態における画像信号処理部２２０により行われる時分割処理を模式的に示す図である。
【図６１】本発明の第１の実施の形態における携帯電話装置１００の静止画記録動作についてデータバス２０４の動作周波数を決定するためのパラメータの一例を示す図である。
【図６２】本発明の第１の実施の形態における携帯電話装置１００の動画記録動作についてデータバス２０４の動作周波数を決定するためのパラメータの一例を示す図である。
【図６３】本発明の第１の実施の形態における画像バッファ２１１乃至２１９への書き込みタイミングと、ＤＳＰ２００内部へ取り込みタイミングとの様子を模式的に表すタイミングチャートである。
【図６４】本発明の第１の実施の形態における画像バッファ２１１乃至２１９への書き込みタイミングと、ＤＳＰ２００内部へ取り込みタイミングとの様子を模式的に表すタイミングチャートである。
【図６５】本発明の第１の実施の形態における携帯電話装置１００による撮像制御処理の処理手順を示すフローチャートである。
【図６６】本発明の第１の実施の形態における携帯電話装置１００による撮像制御処理の処理手順のうちの横長状態撮像処理を示すフローチャートである。
【図６７】本発明の第１の実施の形態における携帯電話装置１００による撮像制御処理の処理手順のうちの静止画撮像処理を示すフローチャートである。
【図６８】本発明の第１の実施の形態における携帯電話装置１００による撮像制御処理の処理手順のうちの動画撮像処理を示すフローチャートである。
【図６９】本発明の第１の実施の形態における携帯電話装置１００による撮像制御処理の処理手順のうちの縦長状態撮像処理を示すフローチャートである。
【図７０】本発明の第１の実施の形態における撮像部１３０を構成する３つの撮像素子の配置構成の変形例を示す図である。
【図７１】本発明の第１の実施の形態における撮像部１３０により生成された画像の表示例を示す図である。
【図７２】本発明の第１の実施の形態における撮像部１３０により生成された画像の表示例を示す図である。
【図７３】本発明の第１の実施の形態における撮像部１３０により生成された画像の表示例を示す図である。
【図７４】本発明の第１の実施の形態における撮像部１３０により生成された画像の表示例を示す図である。
【図７５】本発明の第１の実施の形態における記録媒体１８０に記憶される画像ファイルのファイル構造の一例を示す図である。
【図７６】本発明の第１の実施の形態における携帯電話装置１００の機能構成例を示すブロック図である。
【図７７】本発明の第１の実施の形態における表示部１４０のポストビュー動作の設定画面の表示例を示す図である。
【図７８】本発明の第１の実施の形態における表示部１４０に表示されるポストビュー画像の表示遷移例を示す図である。
【図７９】本発明の第１の実施の形態における表示部１４０に表示されるポストビュー画像の表示遷移例を示す図である。
【図８０】本発明の第１の実施の形態における表示部１４０に表示されるポストビュー画像の表示遷移例を示す図である。
【図８１】本発明の第１の実施の形態における表示部１４０に表示されるポストビュー画像の表示遷移例を示す図である。
【図８２】本発明の第１の実施の形態における表示部１４０に表示されるポストビュー画像の表示遷移例を示す図である。
【図８３】本発明の第１の実施の形態における表示部１４０に表示されるポストビュー画像の表示遷移例を示す図である。
【図８４】本発明の第１の実施の形態における表示部１４０に表示されるポストビュー画像の表示遷移例を示す図である。
【図８５】本発明の第１の実施の形態における表示部１４０に表示されるポストビュー画像の表示遷移例を示す図である。
【図８６】本発明の第１の実施の形態における携帯電話装置１００によるポストビュー画像表示処理の処理手順の一例を示すフローチャートである。
【図８７】本発明の第１の実施の形態における携帯電話装置１００によるポストビュー画像表示処理の処理手順の一例を示すフローチャートである。
【図８８】本発明の第１の実施の形態における携帯電話装置１００によるポストビュー画像表示処理の処理手順の一例を示すフローチャートである。
【図８９】本発明の第１の実施の形態における携帯電話装置１００によるポストビュー画像表示処理の処理手順の一例を示すフローチャートである。
【図９０】本発明の第１の実施の形態における携帯電話装置１００によるポストビュー画像表示処理の処理手順の一例を示すフローチャートである。
【図９１】本発明の第２の実施の形態における表示部１４０の画像の拡大表示の設定画面の表示例を示す図である。
【図９２】本発明の第２の実施の形態における画像メモリ１７０に保持されている画像と、表示部１４０に表示される画像との関係を模式的に示す図である。
【図９３】本発明の第２の実施の形態における画像メモリ１７０に保持されている画像と、表示部１４０に表示される画像との関係を模式的に示す図である。
【図９４】本発明の第２の実施の形態における操作受付部１４７０により受け付けられた操作入力と、この操作入力により移動される拡大表示対象領域との関係を示す図である。
【図９５】本発明の第２の実施の形態における操作受付部１４７０により受け付けられた操作入力と、この操作入力により移動される拡大表示対象領域との関係を示す図である。
【図９６】本発明の第２の実施の形態における携帯電話装置１００による画像表示処理の処理手順の一例を示すフローチャートである。
【図９７】本発明の第２の実施の形態における携帯電話装置１００による画像表示処理の処理手順のうちのパノラマ画像拡大表示処理の一例を示すフローチャートである。
【図９８】本発明の実施の形態における携帯電話装置１００の変形例を示す図である。
【図９９】本発明の実施の形態における携帯電話装置１００の変形例を示す図である。
【図１００】本発明の実施の形態の変形例における撮像装置１０００の外観構成を示す図である。
【図１０１】本発明の実施の形態の変形例における撮像装置１６００により生成されるパノラマ画像を構成する複数の撮像画像と、これらの撮像画像を生成する際における撮像装置１６００の撮像動作状態との関係を模式的に示す図である。
【発明を実施するための形態】
【００２４】
以下、本発明を実施するための形態（以下、実施の形態と称する）について説明する。説明は以下の順序により行う。
１．第１の実施の形態（表示制御：携帯電話装置においてポストビュー動作を行う例）
２．第２の実施の形態（表示制御：携帯電話装置において拡大画像の表示状態を変更する例）
３．変形例
【００２５】
＜１．第１の実施の形態＞
［携帯電話装置の外観構成例］
図１は、本発明の第１の実施の形態における携帯電話装置１００の外観構成例を示す図である。図１（ａ）には、携帯電話装置１００を使用する際における一態様の正面側を示し、図１（ｂ）には、その態様における背面側を示す。また、図１（ｃ）には、携帯電話装置１００を使用する際における他の態様の正面側を示し、図１（ｄ）には、その態様における背面側を示す。
【００２６】
携帯電話装置１００は、第１の筐体１１０および第２の筐体１２０を備える。また、第１の筐体１１０および第２の筐体１２０は、回動部材１０１を回動基準として回動可能に連結されている。携帯電話装置１００は、例えば、複数の撮像機能を備える携帯電話装置（いわゆる、カメラ付き携帯電話装置）により実現される。なお、図１では、説明の容易のため、携帯電話装置１００を簡略化して示し、携帯電話装置１００の外側面に備えられている電源スイッチ等の図示を省略する。
【００２７】
第１の筐体１１０は、撮像範囲切替スイッチ１１１と、静止画／動画切替スイッチ１１２と、テンキー１１３と、決定キー１１４と、十字キー１１５と、撮像部１３０とを備える。ここで、ユーザが手に持って携帯電話装置１００を使用する場合に、携帯電話装置１００の何れかの部分を手で握ることが必要となる。例えば、通常時には、第１の筐体１１０（いわゆる、本体筐体）の何れかの部分をユーザが手で握った状態で携帯電話装置１００が使用されることが多い。
【００２８】
撮像範囲切替スイッチ１１１は、撮像部１３０により画像データを生成する際における撮像範囲を切り替えるための操作部材であり、ユーザ操作により押下される毎に、撮像範囲が順次切替えられる。なお、この撮像範囲の切り替えについては、図２８乃至図４２を参照して詳細に説明する。
【００２９】
静止画／動画切替スイッチ１１２は、静止画を記録するための静止画撮像モードと、動画を記録するための動画撮像モードとの何れかの撮像モードに切替える際に用いられる操作部材である。撮像範囲切替スイッチ１１１および静止画／動画切替スイッチ１１２は、いわゆる、トグルスイッチである。
【００３０】
テンキー１１３は、数字や記号等を入力するための操作部材である。
【００３１】
決定キー１１４は、ユーザによる各種機能を設定する際等に押下される操作部材である。例えば、静止画撮像モードが設定されている場合に押下されると、シャッターボタンとして機能する。
【００３２】
十字キー１１５は、表示画面に表示されている各項目の選択状態を変更する場合や表示画面に表示されている対象物を上下左右方向に移動させる場合等に押下される操作キーである。
【００３３】
撮像部１３０は、被写体を撮像して画像データを生成するものである。なお、図１（ａ）では、図１（ｂ）に示す撮像部１３０に対応する正面側の位置に点線を付して示す。また、図１（ｂ）に示す撮像部１３０における丸は、撮像部１３０が備える複数の撮像系の各レンズを模式的に表すものである。すなわち、本発明の第１の実施の形態では、３個のレンズ群が特定方向に並べて配置されている撮像部１３０を例にして説明する。ここで、特定方向は、例えば、第１の筐体１１０の長手方向を垂直方向と一致させた場合における水平方向とすることができる。
【００３４】
第２の筐体１２０は表示部１４０を備える。表示部１４０は、各種画像を表示する表示装置である。表示部１４０には、例えば、撮像動作により生成された画像が、モニタリング画像として表示される。表示部１４０として、例えば、ＬＣＤ（Liquid Crystal Display）パネル、有機ＥＬ（Electro Luminescence）パネル等を用いることができる。ここで、カメラ付き携帯電話装置や一般的な撮像装置が備える表示装置の横対縦の比は、４：３または１６：９であることが多い。そこで、本発明の第１の形態では、第２の筐体１２０の長手方向を水平方向と一致させた場合における表示部１４０の横対縦の比を４：３とする例について説明する。
【００３５】
上述したように、第１の筐体１１０および第２の筐体１２０は回動可能に連結されている。すなわち、回動部材１０１（点線で示す）を回動基準として、第１の筐体１１０に対して第２の筐体１２０を回動させることができる。これにより、第１の筐体１１０に対する第２の筐体１２０の相対的な位置関係を変化させることができる。例えば、図１（ａ）および（ｂ）に示す矢印１０２方向に第２の筐体１２０を９０度回動させた場合における態様を図１（ｃ）および（ｄ）に示す。
【００３６】
なお、図１（ｃ）および（ｄ）に示す携帯電話装置１００は、回動部材１０１を回動基準として、第１の筐体１１０に対して第２の筐体１２０を９０度回動させた点以外は、図１（ａ）および（ｂ）に示す例と同一である。また、図１（ｃ）および（ｄ）に示す状態で、第２の筐体１２０を矢印１０３方向にさらに９０度回動させると、未使用状態（いわゆる、閉じた状態）となる。このように、第１の筐体１１０に対して第２の筐体１２０を回動させることにより、第１の筐体１１０に対する第２の筐体１２０の相対的な位置関係として、少なくとも２以上の位置関係を取り得ることができる。なお、回動部材１０１を回動基準として、矢印１０２方向の反対方向に第２の筐体１２０を回動させることも可能であるが、本発明の第１の実施の形態では、これらの各形態の図示および説明は省略する。
【００３７】
ここで、図１（ａ）および（ｂ）に示すように、第１の筐体１１０の長手方向および第２の筐体１２０の長手方向を同一方向とし、表示部１４０およびテンキー１１３が回動部材１０１を挟んで対向する状態を、第２の筐体１２０の縦長状態と称する。また、この状態で、第１の筐体１１０および第２の筐体１２０の長手方向を垂直方向と一致させた場合における撮像動作を縦長撮像動作と称する。
【００３８】
また、図１（ｃ）および（ｄ）に示すように、第１の筐体１１０の長手方向および第２の筐体１２０の長手方向が略直交する状態を、第２の筐体１２０の横長状態と称する。また、この状態で、第１の筐体１１０の長手方向を垂直方向と一致させ、第２の筐体１２０の長手方向を水平方向と一致させた場合における撮像動作を横長撮像動作と称する。
【００３９】
［携帯電話装置の内部構成例］
図２は、本発明の第１の実施の形態における携帯電話装置１００の内部構成例を示す図である。携帯電話装置１００は、アプリケーションプロセッサ１１と、デジタルベースバンド処理部１２と、アナログベースバンド処理部１３と、ＲＦ（Radio Frequency）処理部１４とを備える。また、携帯電話装置１００は、電池１５と、マイクロフォン１６と、スピーカ１７と、アンテナ１８と、撮像範囲切替スイッチ１１１と、静止画／動画切替スイッチ１１２と、決定キー１１４と、撮像部１３０と、表示部１４０とを備える。また、携帯電話装置１００は、回動状態検出部１５０と、プログラムメモリ１６０と、画像メモリ１７０と、記録媒体１８０と、ＤＳＰ（Digital Signal Processor）２００とを備える。なお、ＲＦ処理部１４には、アンテナ１８が備えられ、アナログベースバンド処理部１３には、マイクロフォン１６およびスピーカ１７が備えられている。
【００４０】
アプリケーションプロセッサ１１は、内蔵するメモリに記憶される各種プログラムに基づいて携帯電話装置１００の各部を制御するものである。アプリケーションプロセッサ１１は、例えば、ＣＰＵ（Central Processing Unit）、ＲＯＭ（Read Only Memory）およびＲＡＭ（Random Access Memory）を備えて構成される。
【００４１】
例えば、受話動作が行われる場合には、アンテナ１８により受信された電波が、ＲＦ処理部１４およびアナログベースバンド処理部１３を経由して、デジタルベースバンド処理部１２により復調される。そして、デジタルベースバンド処理部１２による復調結果が、アナログベースバンド処理部１３を経由してスピーカ１７から出力される。
【００４２】
また、送話動作が行われる場合には、マイクロフォン１６から入力された音声が、アナログベースバンド処理部１３を経由して、デジタルベースバンド処理部１２により変調される。そして、復調された音声データが、アナログベースバンド処理部１３およびＲＦ処理部１４を経由してアンテナ１８から送信される。
【００４３】
また、ユーザにより撮像動作の開始指示操作が行われると、携帯電話装置１００において撮像動作が行われる。例えば、ユーザにより撮像動作の開始指示操作が行われると、アプリケーションプロセッサ１１が撮像動作に関する各部（撮像部１３０、ＤＳＰ２００等）に撮像動作の開始を指示し、これらの各部を起動させる。そして、起動された各部により撮像動作が行われ、生成された画像が表示部１４０に表示される。ここで、ユーザにより画像の記録指示操作が行われると、生成された画像が記録媒体１８０に記録される。また、ユーザにより画像を無線伝送する指示操作が行われると、生成された画像が無線伝送される。例えば、生成された画像データがデジタルベースバンド処理部１２により変調され、アナログベースバンド処理部１３およびＲＦ処理部１４を経由してアンテナ１８から送信される。なお、電池１５は、携帯電話装置１００に電源を供給する電池である。
【００４４】
なお、スイッチ１１１および１１２、決定キー１１４、撮像部１３０、表示部１４０、回動状態検出部１５０、プログラムメモリ１６０、画像メモリ１７０、記録媒体１８０およびＤＳＰ２００については、図３、図７等を参照して詳細に説明する。
【００４５】
［撮像部の内部構成例］
図３は、本発明の第１の実施の形態における撮像部１３０の内部構成例を示す図である。また、図３では、撮像部１３０と接続されるＤＳＰ２００の一部を示す。なお、ＤＳＰ２００の全体構成については、図７および図８を参照して詳細に説明する。
【００４６】
撮像部１３０は、３個の撮像系（第１の撮像系１９１乃至第３の撮像系１９３）と、電源制御部２０７と、電源供給部２０８および２０９とを備える。また、３つの撮像系は、特定方向に並べて配置される。すなわち、第１の撮像系１９１が中央に配置され、第１の撮像系１９１の両側に第２の撮像系１９２および第３の撮像系１９３が配置される。
【００４７】
第１の撮像系１９１は、光学系１３１、撮像素子１３４およびＤＳＰとのＩ／Ｆ（インターフェース）１３７を備える。また、第２の撮像系１９２は、光学系１３２、撮像素子１３５およびＤＳＰとのＩ／Ｆ１３８を備える。また、第３の撮像系１９３は、光学系１３３、撮像素子１３６およびＤＳＰとのＩ／Ｆ１３９を備える。なお、第１の撮像系１９１乃至第３の撮像系１９３の構成は略同一であるため、ここでは、主に第１の撮像系１９１の構成について説明し、第２の撮像系１９２および第３の撮像系１９３の説明を省略する。
【００４８】
光学系１３１は、被写体からの光を集光する複数のレンズ（ズームレンズおよびフォーカスレンズを含む）により構成される。また、これらの各レンズを通過した光の量（すなわち、露出）が絞り（図示せず）により調整される。そして、集光された被写体からの光が撮像素子１３４に入射される。
【００４９】
撮像素子１３４は、光学系１３１を介して入射された被写体像を結像して画像信号を生成する撮像素子である。すなわち、撮像素子１３４は、光学系１３１を介して入射された被写体からの光を受光して光電変換を行うことにより、光の受光量に応じたアナログの画像信号を生成する。このように撮像素子１３４により生成されたアナログの画像信号がＤＳＰとのＩ／Ｆ１３７を介してＤＳＰ２００に供給される。なお、撮像素子として、例えば、ＣＣＤ（Charge Coupled Device）型やＣＭＯＳ（Complementary Metal Oxide Semiconductor）型の固体撮像素子を用いることができる。
【００５０】
ＤＳＰとのＩ／Ｆ１３７は、撮像素子１３４と、ＤＳＰ２００とを接続するためのインターフェースである。
【００５１】
電源制御部２０７は、ＤＳＰ２００の撮像制御部２０１（図７に示す）からの電源制御の指示に基づいて、電源供給部２０８および２０９を制御するものである。すなわち、電源制御部２０７は、撮像制御部２０１からの電源制御の指示を受け付けると、電源供給部２０８および２０９が制御信号の入力仕様として要求する信号の振幅と信号の立ち上がり速度および立ち下がり速度に準拠した信号を作成する。そして、この作成された信号を電源供給部２０８および２０９に出力し、電源供給部２０８および２０９を制御する。なお、撮像制御部２０１の出力信号が、電源供給部２０８および２０９の制御信号の入力仕様に準拠している場合には、撮像制御部２０１の出力信号を電源供給部２０８および２０９に直接入力するようにしてもよい。
【００５２】
電源供給部２０８は、電源制御部２０７の制御に基づいて、第１の撮像系１９１へ電源を供給するものである。また、電源供給部２０９は、電源制御部２０７の制御に基づいて、第２の撮像系１９２および第３の撮像系１９３へ電源を供給するものである。なお、電源供給部２０８および２０９は、例えば、市販の電源ＩＣ（Integrated Circuit）により実現される。
【００５３】
また、第１の撮像系１９１乃至第３の撮像系１９３のそれぞれは、１つのデータ線と７種類の信号線とを介してＤＳＰ２００と接続されている。ここで、第１の撮像系１９１およびＤＳＰ２００を接続する１つのデータ線をＬ１とし、７種類の信号線を信号線Ｌ２乃至Ｌ８として説明する。なお、第２の撮像系１９２および第３の撮像系１９３のデータ線および信号線は、第１の撮像系１９１のデータ線および信号線と略同一である。このため、ここでは、主に第１の撮像系１９１のデータ線および信号線について説明し、第２の撮像系１９２および第３の撮像系１９３の説明を省略する。
【００５４】
データ線Ｌ１は、撮像素子１３４からＤＳＰ２００へ画像データを伝送するデータ線である。このデータ線Ｌ１は、例えば、画像データの伝送レートを大きくするために複数本のデータ線により構成することが好ましい。また、画像データの伝送レートを大きくするため、および、伝送路上でのノイズ耐性を大きくするために、データ線Ｌ１として、高速かつ差動伝送方式のデータ線を用いることが好ましい。例えば、データ線Ｌ１として、ＬＶＤＳ（low voltage differential signaling）等を用いることが好ましい。
【００５５】
信号線Ｌ２は、撮像素子１３４とＤＳＰ２００との間の双方向の通信線であり、例えば、４線構造シリアル通信線を用いることができる。信号線Ｌ２は、例えば、撮像素子１３４を使用するために必要となる各種の設定値をＤＳＰ２００側から設定する際に使用される。一例として、撮像素子１３４からＤＳＰ２００へ出力される画像データを間引いて出力するための設定値が、信号線Ｌ２を介してＤＳＰ２００からレジスタ３７０および３８０（図１２に示す）に書き込まれる。
【００５６】
信号線Ｌ３は、ＤＳＰ２００から撮像素子１３４へクロックを供給するクロック信号線である。撮像素子１３４は、信号線Ｌ３を介して供給されるクロックを使用して、１クロック周期当り１画素の撮像動作を行う。また、撮像素子１３４内に逓倍器を搭載し、ＤＳＰ２００から供給されたクロックを撮像素子１３４内で逓倍して、逓倍後のクロック１周期当り１画素の撮像動作を行うようにしてもよい。
【００５７】
信号線Ｌ４は、ＤＳＰ２００から撮像素子１３４へリセット信号を供給するリセット信号線である。
【００５８】
信号線Ｌ５は、ＤＳＰ２００から撮像素子１３４の撮像動作のオン／オフを制御する信号線である。すなわち、信号線Ｌ５は、ＤＳＰ２００から各撮像素子へ動作の停止と起動とを通知する信号線である。例えば、３つの撮像素子のうち、１つの撮像素子のみを使用する撮像モードがユーザにより指示された場合には、使用しない２個の撮像素子の撮像動作を停止させることにより、消費電力を低減させることができる。
【００５９】
信号線Ｌ６は、垂直同期信号線である。すなわち、信号線Ｌ６は、ＤＳＰ２００から撮像素子１３４へ１フレーム毎の撮像タイミングを示唆する同期信号を通知するための信号線である。
【００６０】
信号線Ｌ７は、水平同期信号線である。すなわち、信号線Ｌ７は、ＤＳＰ２００から撮像素子１３４へ１フレーム中の１ライン毎の撮像タイミングを示唆する同期信号を通知するための信号線である。
【００６１】
信号線Ｌ８は、シャッター信号線である。例えば、携帯電話装置１００において、ユーザにより撮像画像記録を行うための操作部材（例えば、決定キー１１４）が押下された場合には、この押下に応じたシャッター信号が信号線Ｌ８を介してＤＳＰ２００から撮像素子１３４に通知される。
【００６２】
［撮像素子の配置構成例］
図４は、本発明の第１の実施の形態における撮像部１３０を構成する撮像素子１３４乃至１３６の配置構成例を示す図である。図４（ａ）には、撮像素子１３４乃至１３６の配置構成を示す。ここで、一般に、撮像素子における受光面において、画素が配列されている領域の形状は略長方形である。そこで、以下では、撮像素子１３４乃至１３６を長方形により模式的に表す。
【００６３】
図４（ａ）には、回動部材１０１側が上側となるように、第１の筐体１１０の長手方向を垂直方向と一致させた場合における配置構成例を示す。具体的には、撮像素子１３４が中央に配置され、撮像素子１３４の両側に撮像素子１３５および１３６が配置される。また、中央に配置される撮像素子１３４については、その長手方向が配列方向と直交する方向と一致するように配置される。一方、撮像素子１３４の両側に配置される撮像素子１３５および１３６については、その長手方向が配列方向と一致するように配置される。また、撮像素子１３４乃至１３６における中心位置が同一平面上となるように配置される。すなわち、配列方向において、撮像素子１３５および１３６が横長に配置されるとともに、撮像素子１３４が縦長に配置される。また、図４（ａ）では、各画素を読み出すことが可能な画素データ読出可能領域４００乃至４０２を撮像素子１３４乃至１３６内に長方形で模式的に示す。例えば、撮像素子１３４により、被写体の特定方向を長手方向とする第１の撮像画像が生成される。また、撮像素子１３５により、その特定方向に直交する直交方向を長手方向とし、第１の撮像画像に含まれる被写体の直交方向の一方に隣接する被写体を含む第２の撮像画像が生成される。また、撮像素子１３６により、直交方向を長手方向とし、第１の撮像画像に含まれる被写体の直交方向の他方に隣接する被写体を含む第３の撮像画像が生成される。このように、本発明の第１の実施の形態では、中央の撮像素子１３４のアスペクト比（横／縦）を、その両側に配置されている撮像素子１３５および１３６のアスペクト比よりも小さくする。これにより、例えば、撮像素子１３４のみを用いて縦長画像を生成する場合でも、十分な解像度を維持することができる。一方、撮像素子１３４乃至１３６を用いて生成される広角画像（例えば、パノラマ画像）については、撮像素子１３４の画枠を有効活用することができる。
【００６４】
図４（ｂ）には、第２の筐体１２０が横長状態である場合において、画像データを生成する場合における画素データ読出領域の一例を示す。画素データ読出領域４０３乃至４０５は、画素データ読出可能領域４００乃至４０２において、表示または記録に用いられる画像データを生成する際に各画素を読み出す領域の一例であり、図４（ｂ）ではその輪郭を太線で示す。画素データ読出領域４０４および４０５は、例えば、画素データ読出可能領域４０１および４０２と同一とすることができる。また、画素データ読出領域４０３は、例えば、垂直方向の長さＶ１０を、画素データ読出可能領域４０１および４０２の垂直方向の長さＶ１１と同一とし、水平方向の長さＨ１０を、画素データ読出可能領域４００の水平方向の長さと同一とすることができる。
【００６５】
図４（ｃ）には、第２の筐体１２０が縦長状態である場合において、画像データを生成する場合における画素データ読出領域の一例を示す。この例では、撮像素子１３４乃至１３６のうち、撮像素子１３４のみにより画像データを生成する場合における画素データ読出領域４０６を示す。画素データ読出領域４０６は、画素データ読出可能領域４００乃至４０２において、表示または記録に用いられる合成画像を生成する際に各画素を読み出す領域の一例であり、図４（ｃ）ではその輪郭を太線で示す。画素データ読出領域４０６は、例えば、画素データ読出可能領域４００と同一とすることができる。なお、これらの画像生成例については、図２８乃至図４２を参照して詳細に説明する。
【００６６】
ここで、例えば、撮像素子１３４乃至１３６の各長手方向が特定方向と一致するように、撮像素子１３４乃至１３６が配置された撮像装置を想定する。すなわち、図４（ａ）に示す状態で、撮像素子１３４が９０度回転して配置され、撮像素子１３４乃至１３６の長手方向と配列方向とが同一となる場合を想定する。この場合において、通常の縦長の静止画を撮影する場合には、垂直方向の画素数は最大でも撮像素子１３４の短辺方向の画素数しか取れない。また、垂直方向の画角についても撮像素子１３４の短辺方向に入射される領域に制限されてしまう。このため、垂直方向の画角を大きくし、垂直方向の画素数を大きくして撮像するためには、ユーザが撮像装置を９０度回転させて、撮影を行う必要がある。
【００６７】
これに対して、本発明の第１の実施の形態によれば、通常の縦長の静止画を撮影する場合でも、１個の撮像系を備える携帯電話装置をユーザが横倒しして撮影を行う場合と同じ画素数、同じ画角で撮影することが可能である。このため、ユーザが撮像装置を横に向ける手間を省略することができる。
【００６８】
次に、撮像素子１３４乃至１３６における１ラインのデータを読み出す読出方法について説明する。例えば、撮像素子１３４乃至１３６における１ラインのデータを読み出すデータ読出方法としては、以下の２つの方法を用いることができる。
【００６９】
第１のデータ読出方法は、撮像素子１３４について１ラインのデータを読出す場合において、その１ラインの方向を撮像素子１３４に対応する長方形の領域の短辺方向とする方法である。第１のデータ読出方法では、撮像素子１３５および１３６について１ラインのデータを読出す場合には、その１ラインの方向を撮像素子１３５および１３６に対応する長方形の領域の長辺方向とする。この例を図６（ａ）に示す。第１のデータ読出方法では、３個の撮像素子１３４乃至１３６から読み出された画像データを読み出された順番で画像メモリ１７０に書き込むことができる。また、このデータを読み出して画像信号処理を行う場合でも、同じ順番で読み出すことができるため、メモリへのデータの書き込みおよび読出しを容易に行うことができる。ただし、一般に、撮像素子は読出しライン方向が長辺方向であるため、読出しライン方向が短辺方向の撮像素子を新たに用意する必要がある。
【００７０】
第２のデータ読出方法は、撮像素子１３４の１ラインのデータを読出す場合において、その１ラインの方向を、撮像素子１３５および１３６と同様に長辺方向とする方法である。この場合、読出し方向が短辺方向の撮像素子を新たに用意する必要がない。ただし、撮像素子１３４の画像データの読出し方向が撮像素子１３５および１３６の画像データの読出し方向から９０°回転している。このため、撮像素子１３４から読み出された画像データを用いて画像信号処理を行う場合には、その画像を９０°回転させて、撮像素子１３５および１３６により生成された画像と同じ向きしてから画像信号処理を行うことが好ましい。なお、本発明の第１の実施の形態では、第１のデータ読出方法を用いる例を示す。すなわち、以下では、撮像素子１３４における１ラインの画素データを読出す際のライン方向を、撮像素子１３４乃至１３６の配列方向とする例を示す。また、撮像素子１３５および１３６における１ラインの画素データを読出す際のライン方向についても同様に、撮像素子１３４乃至１３６の配列方向とする例を示す。
【００７１】
図５および図６は、本発明の第１の実施の形態における撮像素子１３４乃至１３６に結像される像と、画像データの読出方法との関係を示す図である。一般に、撮像素子には、いわゆる、倒立像が結像される。
【００７２】
図５には、撮像素子に結像される像として倒立像が生成される場合における被写体４０９と光学系１３１と撮像素子１３４に結像される撮像画像４１０との関係を模式的に示す。図５に示すように、光学系１３１を介して入射された被写体４０９からの光が撮像素子１３４に結像され、撮像画像４１０が生成される。この場合に、被写体４０９の上下方向と、撮像画像４１０の上下方向とが反転された状態となる。
【００７３】
図６（ａ）には、撮像素子１３４乃至１３６から画素データを読み出す場合における読出開始位置４１１乃至４１３および読出し方向を模式的に示す。この例では、図４（ｂ）に示す画素データ読出領域４０３乃至４０５において画素データを読み出す例を示す。また、以下では、画素データ読出領域における読出開始位置を矩形で模式的に示す。例えば、画素データ読出領域４０３乃至４０５の右下隅の読出開始位置４１１乃至４１３から順次読出しが開始され、矢印方向に画素データが読み出される。例えば、画素データ読出領域４０３において、読出開始位置４１１から画素データの読出しが開始され、矢印方向に１画素ずつシフトされながら画素データの読出しが順次行われる。そして、水平方向の１ラインにおける端部（図６（ａ）に示す画素データ読出領域４０３内の左端）に位置する画素の読出しが行われた場合には、読出し対象となるラインを１画素上側にシフトして他の端部に位置する画素の読出しが行われる。以下、同様に画素の読み出しが順次行われる。そして、画素データ読出領域４０３における上端のラインにおける端部に位置する画素の読出しが行われた場合には、撮像素子１３４の読出し処理を終了する。また、撮像素子１３５および１３６についても同時に読み出し処理が行われる。
【００７４】
図６（ｂ）には、撮像素子１３４乃至１３６から読み出された画素データが合成された場合における画像メモリ１７０上における合成画像４１４を模式的に示す。この例では、図６（ａ）に示す読出方法により読み出された画素データを合成する例を示す。なお、合成画像４１４内における矢印方向は、画像メモリ１７０上における画像データの並び方向であるものとする。
【００７５】
図６（ｃ）には、撮像素子１３４乃至１３６から読み出された画素データを表示部１４０に表示する場合における合成画像の表示例を示す。この例では、図６（ｂ）に示す合成画像４１４を表示する例を示す。例えば、撮像画像表示領域４１５に合成画像４１４が表示され、その上下の余白画像表示領域４１６および４１７には一色画像（例えば、黒色や白色）が表示される。なお、表示部１４０内における矢印方向は、表示部１４０における走査方向であるものとする。
【００７６】
［ＤＳＰの構成例］
図７は、本発明の第１の実施の形態におけるＤＳＰ２００の内部構成例を示すブロック図である。ＤＳＰ２００は、撮像制御部２０１と、ＣＰＵ２０２と、ＤＭＡ（Direct Memory Access）コントローラ２０３と、データバス２０４と、プログラムメモリとのＩ／Ｆ２０５と、画像メモリとのＩ／Ｆ２０６とを備える。また、ＤＳＰ２００は、撮像素子とのＩ／Ｆ２１０と、画像バッファ２１１乃至２１９と、画像信号処理部２２０と、解像度変換部２３１、２４１、２５１と、画像回転処理部２３２、２４２とを備える。また、ＤＳＰ２００は、表示部とのＩ／Ｆ２３３と、外部表示装置とのＩ／Ｆ２４３と、符号化復号化部２５２と、記録媒体とのＩ／Ｆ２５３と、発振回路２６４乃至２６６と、クロック生成回路２７０とを備える。また、ＤＳＰ２００は、ＡＦ（Auto Focus：自動焦点）制御部２８１と、顔検出部２８２とを備える。また、ＤＳＰ２００は、ＡＥ（Automatic Exposure：自動露出）制御部２８３と、ＡＷＢ（Auto White Balance：自動ホワイトバランス調整）制御部２８４とを備える。データバス２０４には、ＣＰＵ２０２、ＤＭＡコントローラ２０３、画像メモリとのＩ／Ｆ２０６、画像バッファ２１１乃至２１９、画像信号処理部２２０等が接続されている。また、撮像制御部２０１には、撮像範囲切替スイッチ１１１、静止画／動画切替スイッチ１１２、決定キー１１４および回動状態検出部１５０からの各信号が入力される。
【００７７】
回動状態検出部１５０は、第１の筐体１１０に対する第２の筐体１２０の回動状態を検出するものであり、検出結果を撮像制御部２０１に出力する。回動状態検出部１５０は、第１の筐体１１０に対する第２の筐体１２０の回動状態として、例えば、第１の筐体１１０および第２の筐体１２０のなす角度を検出し、検出結果を撮像制御部２０１に出力する。例えば、第１の筐体１１０に対する第２の筐体１２０の回動角度が一定値未満である場合には押下されず、その回動角度が一定値以上となった場合に押下される角度検出スイッチを回動部材１０１の何れかに設ける。そして、角度検出スイッチにより、回動状態検出部１５０は、第１の筐体１１０および第２の筐体１２０のなす角度を検出する。
【００７８】
撮像制御部２０１は、撮像処理に関する各部を制御するものである。例えば、撮像制御部２０１は、回動状態検出部１５０からの検出結果に基づいて、第１の筐体１１０に対する第２の筐体１２０の回動状態を判断し、この判断結果に基づいて、各部の撮像制御を行う。例えば、撮像制御部２０１は、撮像素子１３４乃至１３６により生成される画像データのうち、表示または記録の対象となる対象画像の範囲を、その判断結果に基づいて決定する。また、撮像制御部２０１は、撮像範囲切替スイッチ１１１、静止画／動画切替スイッチ１１２および決定キー１１４からの入力信号に基づいて各部の撮像制御を行う。なお、これらの撮像制御については、図２８乃至図４２等を参照して詳細に説明する。
【００７９】
ここで、本発明の第１の実施の形態では、撮像部１３０により生成された画像を記録する際の撮像モード（画像サイズ等）をユーザが予め設定することができる。例えば、撮像モードを設定するためのメニュー画面を表示部１４０に表示させ、メニュー画面において決定キー１１４および十字キー１１５を用いて、ユーザが所望する設定内容を入力する。なお、撮像モードには、例えば、撮像時に使用する撮像素子の個数と、記録時における画像の垂直方向画像サイズおよび水平方向画像サイズとを含む。また、撮像モードには、例えば、画像の有効領域と垂直同期信号との間隔を表す垂直バックポーチおよび垂直フロントポーチと、画像の有効領域と水平同期信号との間隔を表す水平バックポーチと水平フロントポーチとを含む。また、撮像制御部２０１と、ＤＳＰ２００内の各部と、撮像素子１３４乃至１３６とは、撮像モードを保持するレジスタを備える。
【００８０】
ここで、撮像制御部２０１は、ユーザにより撮像モードが設定された場合には、この設定された撮像モードをＤＳＰ２００内の各部および撮像素子１３４乃至１３６に通知し、各部が備えるレジスタに保持させる。このように、各部が備えるレジスタに、ユーザにより設定された撮像モードの設定内容を保持させることにより、複数の撮影条件をユーザが容易に切り替えて使用することができる。
【００８１】
撮像制御部２０１は、例えば、内蔵するレジスタに保持されている撮像モードの設定内容に基づいて、垂直同期信号、水平同期信号およびクロック信号を、ＤＳＰ２００内の各部および撮像素子１３４乃至１３６に通知する。また、撮像制御部２０１は、例えば、内蔵するレジスタに保持されている撮像モードの設定内容に基づいて、垂直同期信号、水平同期信号およびクロック信号を、ＤＳＰ２００内の表示に関する各部および表示部１４０に通知する。また、撮像制御部２０１は、例えば、電源制御部２０７に対して、電源のオン／オフを制御する信号を出力する。
【００８２】
ＣＰＵ２０２は、プログラムメモリ１６０に記憶されている各種プログラムに基づいて、ＤＳＰ２００全体を制御するものである。この制御内容については、図７６を参照して詳細に説明する。
【００８３】
ＤＭＡコントローラ２０３は、ＣＰＵ２０２の制御に基づいて、各メモリ間におけるデータの転送を制御するものである。
【００８４】
プログラムメモリとのＩ／Ｆ２０５は、プログラムメモリ１６０と、ＤＳＰ２００とを接続するためのインターフェースである。
【００８５】
画像メモリとのＩ／Ｆ２０６は、画像メモリ１７０と、ＤＳＰ２００とを接続するためのインターフェースである。
【００８６】
撮像素子とのＩ／Ｆ２１０は、撮像素子１３４乃至１３６と、ＤＳＰ２００とを接続するためのインターフェースである。すなわち、撮像素子１３４乃至１３６により生成された画像データが撮像素子とのＩ／Ｆ２１０に入力される。例えば、撮像素子１３４乃至１３６から画像データを伝送するデータ線Ｌ１が、微小振幅のＬＶＤＳ方式である場合には、ＤＳＰとのＩ／Ｆ１３７乃至１３９において、撮像素子１３４乃至１３６からの画像データがＧＮＤ電位または電源電位に変換される。また、撮像素子とのＩ／Ｆ２１０の後段には、撮像素子１３４乃至１３６に対応する３系統の画像バッファ２１１乃至２１９を備える。
【００８７】
画像バッファ２１１乃至２１９は、撮像素子１３４乃至１３６から出力された画像データを保持する画像バッファであり、保持されている画像データがデータバス２０４を介して画像メモリ１７０に書き込まれる。例えば、各撮像素子について３個の画像バッファを備え、これらの各画像バッファは、データバス２０４に接続されている。例えば、撮像素子１３４については、３個の画像バッファ２１１乃至２１３が備えられる。また、撮像素子１３５については、３個の画像バッファ２１４乃至２１６が備えられる。また、撮像素子１３６については、３個の画像バッファ２１７乃至２１９が備えられる。ここで、本発明の第１の実施の形態では、画像データを画像メモリ１７０に書込むため、画像バッファ２１１乃至２１９から画像データを読み出している間でも、撮像素子１３４乃至１３６からの新たに入力された画像データを順次保持させる。このため、画像バッファ２１１乃至２１９として、撮像素子１３４乃至１３６のそれぞれについて２個以上の画像バッファを備えていることが好ましい。
【００８８】
画像バッファ２１１乃至２１９の１個の容量は、データバス２０４のビット（ｂｉｔ）幅よりも大きいことが好ましい。例えば、データバス２０４が１２８ビット幅である場合には、各画像バッファは１２８ビット以上の容量であることが好ましい。また、画像バッファ２１１乃至２１９の１個の容量は、データバス２０４のビット幅の２倍以上であることがより好ましい。例えば、データバス２０４が１２８ビット幅である場合には、各画像バッファは２５６ビット以上の容量であることがより好ましい。
【００８９】
一方、画像バッファ２１１乃至２１９の１個の容量は、１つの撮像素子により生成される１枚の画像の画像データ量以下とすることができる。例えば、画像バッファ２１１乃至２１９の１個の容量は、撮像素子１３４の１ライン分の画素により生成される画像データのデータ量以下であることが好ましい。
【００９０】
本発明の第１の実施の形態では、撮像素子１３４乃至１３６と、ＤＳＰ２００とを接続するデータ線のビット幅は、例えば、１２ビットとする。また、例えば、ＤＳＰ２００のデータバス２０４のビット幅は、１２８ビット幅とし、画像バッファ２１１乃至２１９の１個の容量は、それぞれ１２８ビットとする。
【００９１】
画像信号処理部２２０は、撮像制御部２０１の制御に基づいて、画像バッファ２１１乃至２１９、データバス２０４を介して入力された画像データについて、各種の画像信号処理を行うものである。なお、画像信号処理部２２０の内部構成については、図８を参照して詳細に説明する。
【００９２】
解像度変換部２３１は、撮像制御部２０１またはＣＰＵ２０２の制御に基づいて、各画像を表示部１４０に表示させるための解像度変換を行うものであり、解像度変換が施された画像データを画像回転処理部２３２に出力する。
【００９３】
解像度変換部２４１は、撮像制御部２０１またはＣＰＵ２０２の制御に基づいて、各画像を外部表示装置２４５に表示させるための解像度変換を行うものであり、解像度変換が施された画像データを画像回転処理部２４２に出力する。
【００９４】
画像回転処理部２３２は、撮像制御部２０１またはＣＰＵ２０２の制御に基づいて、解像度変換が施された画像データについて回転処理を行うものであり、回転処理が施された画像データを表示部とのＩ／Ｆ２３３に出力する。
【００９５】
画像回転処理部２４２は、撮像制御部２０１またはＣＰＵ２０２の制御に基づいて、解像度変換が施された画像データについて回転処理を行うものであり、回転処理が施された画像データを外部表示装置とのＩ／Ｆ２４３に出力する。
【００９６】
表示部とのＩ／Ｆ２３３は、表示部１４０と、ＤＳＰ２００とを接続するためのインターフェースである。
【００９７】
外部表示装置とのＩ／Ｆ２４３は、外部表示装置２４５と、ＤＳＰ２００とを接続するためのインターフェースである。外部表示装置２４５は、例えば、テレビジョンである。
【００９８】
解像度変換部２５１は、撮像制御部２０１またはＣＰＵ２０２の制御に基づいて、各画像について記録用に解像度を変換するものであり、解像度変換が施された画像データを符号化復号化部２５２に出力する。例えば、解像度変換部２５１は、ユーザが希望する記録画像サイズに解像度を変換する解像度変換処理や、サムネイル画像を生成するための解像度変換処理を行う。
【００９９】
符号化復号化部２５２は、撮像制御部２０１またはＣＰＵ２０２の制御に基づいて、解像度変換部２５１から出力された画像データを圧縮するための符号化を行うものであり、符号化された画像データを記録媒体とのＩ／Ｆ２５３に出力する。また、符号化復号化部２５２は、記録媒体１８０に記録された画像データを表示部１４０に表示する場合には、記録媒体１８０に記録された画像データを記録媒体とのＩ／Ｆ２５３を経由して入力して復号化する。この復号化された画像データが、画像メモリ１７０に保持される。
【０１００】
記録媒体とのＩ／Ｆ２５３は、記録媒体１８０と、ＤＳＰ２００とを接続するためのインターフェースである。
【０１０１】
記録媒体１８０は、記録媒体とのＩ／Ｆ２５３を介して供給された画像データを記録する記録媒体である。記録媒体１８０は、携帯電話装置１００に内蔵するようにしてもよく、着脱可能に携帯電話装置１００に装着されるようにしてもよい。記録媒体１８０として、例えば、テープ（例えば、磁気テープ）、光ディスク（例えば、記録可能なＤＶＤ（Digital Versatile Disc））を用いることができる。また、記録媒体１８０として、例えば、磁気ディスク（例えば、ハードディスク）、半導体メモリ（例えば、メモリカード）、光磁気ディスク（例えば、ＭＤ（MiniDisc））を用いるようにしてもよい。なお、記録媒体１８０に記録される画像データについては、図７５を参照して詳細に説明する。
【０１０２】
なお、発振回路２６４乃至２６６およびクロック生成回路２７０については、図９乃至図１１を参照して詳細に説明する。
【０１０３】
ＡＦ制御部２８１は、画像バッファ２１１乃至２１９、データバス２０４を介して入力された画像データについて、その画像（撮像画像）における所定領域に含まれる被写体に合焦するようにフォーカス制御を行うものである。なお、所定領域は、例えば、撮像画像の真中部分の領域、ユーザにより指定された領域、顔検出部２８２により検出された顔の位置を含む領域とすることができる。また、所定領域が複数存在する場合には、各所定領域についてフォーカス制御が行われる。そして、撮像画像においてフォーカスが合っている位置（合焦位置）に関する情報をＣＰＵ２０２および撮像制御部２０１に出力する。また、合焦位置に関する情報がＡＦ制御部２８１に保持される。
【０１０４】
顔検出部２８２は、画像バッファ２１１乃至２１９、データバス２０４を介して入力された画像データについて、その画像（撮像画像）に含まれる人物の顔を検出するものであり、その検出結果をＣＰＵ２０２および撮像制御部２０１に出力する。また、顔検出部２８２は、記録媒体１８０から読み出された画像データについて、その画像に含まれる人物の顔を検出するようにしてもよい。なお、画像に含まれる顔の検出方法として、例えば、顔の輝度分布情報が記録されているテンプレートとコンテンツ画像とのマッチングによる顔検出方法（例えば、特開２００４−１３３６３７参照。）を用いることができる。また、画像に含まれる肌色の部分や人間の顔の特徴量に基づいた顔検出方法を用いることができる。これらの顔検出方法により、人物の顔の画像における位置および大きさを求めることができる。また、顔の検出結果が顔検出部２８２に保持される。
【０１０５】
ＡＥ制御部２８３は、画像バッファ２１１乃至２１９、データバス２０４を介して入力された画像データについて、シャッター速度や絞り値を自動的に調整するための自動露出制御部であり、その検出結果をＣＰＵ２０２および撮像制御部２０１に出力する。
【０１０６】
ＡＷＢ制御部２８４は、画像バッファ２１１乃至２１９、データバス２０４を介して入力された画像データについて、オートホワイトバランス調整等を行うものであり、その検出結果をＣＰＵ２０２および撮像制御部２０１に出力する。
【０１０７】
［画像信号処理部２２０の内部構成例］
図８は、本発明の第１の実施の形態における画像信号処理部２２０の内部構成例を示すブロック図である。画像信号処理部２２０は、画素加算処理部２２１と、デモザイク処理部２２２と、ＹＣ変換処理部２２３と、画像合成処理部２２４と、シャープネス処理部２２５と、色調整処理部２２６と、ＲＧＢ変換処理部２２７とを備える。
【０１０８】
画素加算処理部２２１は、撮像素子１３４乃至１３６により生成された画像データについて、画素加算処理および画素間引き処理を行うものである。なお、画素加算処理部２２１については、図４３等を参照して詳細に説明する。
【０１０９】
デモザイク処理部２２２は、撮像素子１３４乃至１３６により生成された画像データ（モザイク画像）の各画素位置にＲ、Ｇ、Ｂの全てのチャネルの強度が揃うようにデモザイク処理（補間処理）を行うものである。そして、デモザイク処理部２２２は、デモザイク処理が施されたＲＧＢ画像をＹＣ変換処理部２２３に供給する。すなわち、デモザイク処理部２２２は、１画素につき１色分の画素データのみを有するベイヤーデータを補間して１画素についてＲＧＢの３個の画素データを算出する。
【０１１０】
ＹＣ変換処理部２２３は、デモザイク処理部２２２により生成されたＲＧＢ画像にＹＣマトリックス処理およびクロマ成分に対する帯域制限を行うことにより、輝度信号（Ｙ）および色差信号（Ｃｒ，Ｃｂ）を生成するものである。そして、生成された輝度信号（Ｙ画像）および色差信号（Ｃ画像）が画像合成処理部２２４に供給される。
【０１１１】
画像合成処理部２２４は、ＹＣ変換処理部２２３により生成された画像データについて、画像合成を行うものであり、合成された画像データをシャープネス処理部２２５に出力する。なお、この画像合成処理については、図１８乃至図２６を参照して詳細に説明する。
【０１１２】
シャープネス処理部２２５は、画像合成処理部２２４により生成された画像データについて、信号変化の大きい部分を取り出して強調するシャープネス処理（被写体の輪郭を強調する処理）を行うものである。そして、シャープネス処理部２２５は、シャープネス処理が施された画像データを色調整処理部２２６に供給する。
【０１１３】
色調整処理部２２６は、シャープネス処理部２２５によりシャープネス処理が施された画像データについて、色相および彩度の調整を行うものである。
【０１１４】
ＲＧＢ変換処理部２２７は、色調整処理部２２６により色相および彩度の調整が施された画像データについて、ＹＣｂＣｒデータからＲＧＢデータへ変換するものである。
【０１１５】
ここで、画像信号処理部２２０の信号の画像データの流れについて説明する。例えば、画像信号処理部２２０における各信号処理部が画像メモリ１７０からデータバス２０４を経由して画像データを直接読み込み、信号処理後の画像データをデータバス２０４経由で画像メモリ１７０に書き込む場合を想定する。この場合には、画像信号処理部２２０が、画像データ中の所望の位置の画像データを所望のタイミングで読み込むことができる点で有利である。しかし、データバス２０４を経由して伝送する必要があるデータ量が大きくなるため、データバス２０４の動作周波数を大きくする必要がある。このため、データバス２０４の設計が難しくなるとともに消費電力が大きくなるおそれがある。
【０１１６】
また、例えば、画像信号処理部２２０における各信号処理部が画像データを前段の信号処理部からデータバス２０４を経由せずに受け取り、信号処理後の画像データを後段の信号処理部へデータバス２０４を経由せずに受け渡す場合を想定する。この場合には、データバス２０４を使用しないため、ＬＳＩの設計が容易であり、消費電力を小さくすることができる点で有利である。しかし、各信号処理部が画像データ中の所望の位置の画像データを所望のタイミングで読み込むことができないおそれがある。
【０１１７】
そこで、本発明の第１の実施の形態では、画像サイズが略一定であるデモザイク処理部２２２から色調整処理部２２６までの間は、データバス２０４の動作周波数と、消費電力の低減のため、画像データを各信号処理部間で直接受け渡す。また、解像度変換のように、大量の画像データを使用する信号処理部の前段では、画像メモリ１７０へ画像データを書き込み、解像度変換を行う際は、画像メモリ１７０から所望の画像データを読み出す例を示す。
【０１１８】
［クロック生成回路の構成例］
図９は、本発明の第１の実施の形態におけるクロック生成回路２７０の内部構成例を示すブロック図である。クロック生成回路２７０は、高周波クロック用逓倍器２０、２４と、高周波クロック用分周器２１、２５と、低周波クロック用逓倍器２２、２６と、低周波クロック用分周器２３、２７とを備える。また、クロック生成回路２７０は、クロック用逓倍器２８、３０と、クロック用分周器２９、３１とを備える。ここで、各逓倍器は、入力されたクロックの周波数を逓倍するものである。また、各分周器は、入力されたクロックの周波数を１／ｎ（ｎは任意の整数）にするものである。なお、この例では、クロック生成回路２７０が、図７に示すＤＳＰ２００における各部の接続先に応じて少なくとも６種類のクロックを発生させる場合を例にして示す。
【０１１９】
発振子２６１乃至２６３は、ＤＳＰ２００内に供給されるクロック信号を発生させるための振動源であり、例えば、水晶発振子が用いられる。
【０１２０】
発振回路２６４乃至２６６は、ＤＳＰ２００内に供給されるクロック信号を生成するものであり、生成されたクロック信号をクロック生成回路２７０に出力する。
【０１２１】
クロック生成回路２７０が生成する６種類のクロックのうち２種類は、撮像素子１３４乃至１３６に供給されるクロックである。この撮像素子１３４乃至１３６に供給されるクロックのうち１種類は、画素数が比較的大きい画像を生成するための比較的大きい周波数のクロックである。このクロックは、発振回路２６４から出力されたクロックが高周波クロック用逓倍器２０に入力されて逓倍され、この逓倍されたクロックが高周波クロック用分周器２１に入力されて分周されることにより生成される。また、他の１種類は、画素数が比較的小さい画像を生成するための比較的小さい周波数のクロックである。このクロックは、発振回路２６４から出力されたクロックが低周波クロック用逓倍器２２に入力されて逓倍され、この逓倍されたクロックが低周波クロック用分周器２３に入力されて分周されることにより生成される。そして、高周波クロック用分周器２１および低周波クロック用分周器２３により分周されたクロックが、クロック生成回路２７０において生成されたクロックとして出力され、ＤＳＰ２００内部を経由して撮像素子１３４乃至１３６に供給される。ここで、撮像素子１３４乃至１３６に供給するクロックは、この例で示した２種類に限らず、撮像動作により生成される画像サイズに応じて、さらに多くの種類を生成して用いることが好ましい。
【０１２２】
クロック生成回路２７０が生成する６種類のクロックのうち他の２種類は、ＤＳＰ２００内部で使用されるクロックである。このＤＳＰ２００内部で使用されるクロックのうち１種類は、画素数が比較的大きい画像を生成するための比較的大きい周波数のクロックである。このクロックは、発振回路２６４から出力されたクロックが高周波クロック用逓倍器２４に入力されて逓倍され、この逓倍されたクロックが高周波クロック用分周器２５に入力されて分周されることにより生成される。また、他の１種類は、画素数が比較的小さい画像を生成するための比較的小さい周波数のクロックである。このクロックは、発振回路２６４から出力されたクロックが低周波クロック用逓倍器２６に入力されて逓倍され、この逓倍されたクロックが低周波クロック用分周器２７に入力されて分周されることにより生成される。そして、高周波クロック用分周器２５および低周波クロック用分周器２７により分周されたクロックが、クロック生成回路２７０において生成されたクロックとして出力され、ＤＳＰ２００内部に供給される。ここで、ＤＳＰ２００内部で使用されるクロックは、この例で示した２種類に限らず、撮像動作により生成される画像サイズに応じて、さらに多くの種類を生成して用いることが好ましい。
【０１２３】
クロック生成回路２７０が生成する６種類のクロックのうち残りの２種類は、表示部１４０に画像を表示するための画素クロックと、携帯電話装置１００外部の表示装置（例えば、外部表示装置２４５）に画像を表示するための画素クロックである。表示部１４０に画像を表示するための画素クロックは、発振回路２６５から出力されたクロックがクロック用逓倍器２８に入力されて逓倍され、この逓倍されたクロックがクロック用分周器２９に入力されて分周されることにより生成される。また、携帯電話装置１００外部の表示装置に画像を表示するための画素クロックは、発振回路２６６から出力されたクロックがクロック用逓倍器３０により逓倍され、この逓倍されたクロックがクロック用分周器３１に入力されて分周されることにより生成される。そして、クロック用分周器２９により分周されたクロックが、クロック生成回路２７０において生成されたクロックとして出力され、ＤＳＰ２００内部を経由して表示部１４０に供給される。また、クロック用分周器３１により分周されたクロックが、クロック生成回路２７０において生成されたクロックとして出力され、ＤＳＰ２００内部を経由して携帯電話装置１００外部の表示装置に供給される。ここで、これらの画像表示のためのクロックは、この例で示した２種類に限らず、接続する表示装置の仕様に応じて、さらに多くの種類を生成して用いることが好ましい。
【０１２４】
図１０および図１１は、本発明の第１の実施の形態におけるクロック生成回路２７０の変形例を示すブロック図である。
【０１２５】
図１０には、撮像素子１３４乃至１３６に供給される２種類のクロックが１つの逓倍器（クロック用逓倍器３２）を共有して使用し、ＤＳＰ２００内部に供給される２種類のクロックが１つの逓倍器（クロック用逓倍器３３）を共有して使用する例を示す。
【０１２６】
図１１には、撮像素子１３４乃至１３６に供給される複数種類のクロックと、ＤＳＰ２００内部に供給される複数種類のクロックとが、１つの逓倍器（クロック用逓倍器３４）を共有して使用する例を示す。
【０１２７】
［撮像素子の構成例および画素読出例］
図１２は、本発明の第１の実施の形態における撮像素子の内部構成例を示す図である。ここで、撮像素子１３４乃至１３６の内部構成は略同一であるため、図１２では、撮像素子１３４のみを示し、他の撮像素子の図示および説明を省略する。また、図１２では、撮像素子１３４として、ＣＭＯＳ型撮像素子を例にして説明する。
【０１２８】
撮像素子１３４は、画素４０乃至４７と、垂直走査回路３４０と、水平走査回路３４５とを備える。また、撮像素子１３４は、ＡＤＣ（Ａ／Ｄ（Analog/Digital）コンバータ）３５０乃至３５３と、加算器３５４乃至３５７、３６６と、カラムラッチ３５８乃至３６１とを備える。また、撮像素子１３４は、スイッチ３６２乃至３６５と、出力ラッチ３６７と、出力回路３６８と、レジスタ３７０、３８０と、逓倍器／分周器３９１、３９２とを備える。なお、一般的に、撮像素子の縦方向の並びをカラムと称し、横方向の並びをロウと称する。このため、以下では、カラムおよびロウの名称を適宜用いて説明する。また、この例では、撮像素子１３４において、一部の画素（画素４０乃至４７）と、これに関連する各部とを代表して示し、他の構成についての図示および説明を省略する。
【０１２９】
撮像素子１３４において、ロウ方向に垂直制御線３４１乃至３４４が配線されており、同一ライン上にある画素が１つおきに同一の垂直制御線に接続される。また、カラム方向にデータ読出線３４６乃至３４９が配線されており、同一ライン上にある画素が１つの読み出し線を共有する。
【０１３０】
垂直走査回路３４０は、ロウ方向に配線されている垂直制御線３４１乃至３４４により、画素４０乃至４７と、データ読出線３４６乃至３４９との間のスイッチをオン／オフするものである。すなわち、ロウ方向の各画素において、１本の垂直制御線により、ロウ方向の同一ライン上にある画素のうち、１つおきの画素が共通にオン／オフされる。また、画素４０乃至４７の画像データが、各画素とこれに対応するデータ読出線との間のスイッチを経由して、データ読出線３４６乃至３４９に出力される。
【０１３１】
水平走査回路３４５は、カラムラッチ３５８乃至３６１と、出力データ線３６９との間のスイッチ３６２乃至３６５をオン／オフするものである。垂直走査回路３４０によるスイッチのオン／オフと、水平走査回路３４５によるスイッチ３６２乃至３６５のオン／オフとの選択により、各画素を順次選択しながら時分割で全画素の信号を読み出すことができる。ここで、出力データ線３６９は、各カラムの出力結果を撮像素子１３４から出力するための出力データ線である。
【０１３２】
ここで、撮像素子１３４には、画素４０乃至４７が２次元正方格子状に配置されている。なお、画素４０乃至４７の構成は同一であるため、ここでは、画素４０を例にして説明する。画素４０は、受光部であるフォトダイオード５１と、アンプ５２と、スイッチ５３とにより構成されている。フォトダイオード５１は、画素に照射された光をその光量に応じた電荷に変換するものである。アンプ５２は、フォトダイオード５１により変換された電荷の信号を増幅する増幅器である。スイッチ５３は、垂直制御線３４２のオンオフに応じて、画素４０の電荷転送を制御するスイッチである。
【０１３３】
また、各カラムには、ＡＤＣ３５０乃至３５３と、加算器３５４乃至３５７と、カラムラッチ３５８乃至３６１とが備えられている。以下では、データ読出線３４６に接続されているＡＤＣ３５０と、加算器３５４と、カラムラッチ３５８とを例にして説明する。
【０１３４】
ＡＤＣ３５０は、アナログ値である各画素からの画像データをデジタルデータ（デジタル値）に変換するＡＤコンバータである。
【０１３５】
加算器３５４は、ＡＤＣ３５０によりデジタルデータが変換される毎に、その変換後の新たなデジタルデータを、カラムラッチ３５８に保存されているデジタルデータに加算するものである。
【０１３６】
カラムラッチ３５８は、ＡＤＣ３５０により変換されたデジタルデータを順次保存するカラムラッチである。ここで、カラムラッチとは、ＡＤ変換後のデジタルデータを保存するデータ保存回路を示す名称である。このデータ保存回路として、線形回路により構成されたラッチ以外に、同期回路により構成されたフリップフロップ等のデジタルデータを保存することができる各回路を用いることができる。
【０１３７】
例えば、画素４０から出力された画像データは、ＡＤＣ３５０、加算器３５４、カラムラッチ３５８を経由した後に、データ読出線３４６に接続されているスイッチ３６２を経由して、出力データ線３９０に出力される。ここで、本発明の第１の実施の形態では、各カラムのデータ読出線と同様に、出力データ線３９０にも加算器３６６と出力ラッチ３６７とを備え、画像データの加算と保存とを行う。また、出力ラッチ３６７に保存されている画像データが、出力回路３６８を経由して出力データ線３６９に出力される。なお、出力データ線３６９からの画像データは、上述したデータ線Ｌ１に出力される。
【０１３８】
逓倍器／分周器３９１、３９２は、ＤＳＰ２００からの制御に基づいて、入力されたクロックの周波数の逓倍、または、入力されたクロックの周波数の分周を行うものである。そして、逓倍器／分周器３９１、３９２は、生成されたクロックを、垂直走査回路３４０、水平走査回路３４５および出力回路３６８に供給する。
【０１３９】
信号線３９３は、ＤＳＰ２００から垂直同期信号を供給する垂直同期信号線である。信号線３９４は、ＤＳＰ２００から水平同期信号を供給する水平同期信号線である。
【０１４０】
また、信号線３９５は、ＤＳＰ２００からクロック信号を供給するクロック信号線である。信号線３９６は、ＤＳＰ２００から撮像動作のオン／オフを制御するための信号線、および、画素間引きを制御するための信号線である。信号線３９７は、撮像素子１３４とＤＳＰ２００との間の双方向の通信線である。信号線３９８は電源供給線である。
【０１４１】
なお、レジスタ３７０、３８０は、撮像動作に関する各設定値が保持されているレジスタであり、保持内容の一例を図１３に示す。
【０１４２】
図１３は、本発明の第１の実施の形態における撮像素子１３４が備えるレジスタ３７０および３８０の保持内容を模式的に示す図である。レジスタ３７０および３８０には、撮像動作に関する各設定値が保持され、垂直走査回路３４０および水平走査回路３４５に供給される。なお、これらの設定値は、ユーザ操作により変更可能としてもよい。これらの保持内容、および、これに基づいて行われる撮像動作については、図２８および図４２を参照して詳細に説明する。
【０１４３】
図１４乃至図１６は、本発明の第１の実施の形態における撮像素子１３４における各画素への制御信号と、これらの各画素から出力されるデータとの様子を模式的に表すタイミングチャートである。ここで、図１４乃至図１６に示す横軸は時間軸である。また、図１４乃至図１６に示す垂直制御線３４１乃至３４４、カラムラッチ３５８乃至３６１には、対応する図１２と同一の符号を付して説明する。また、図１４乃至図１６に示すカラムラッチ読出し信号には、対応する図１２に示すスイッチ３６２乃至３６５と同一の符号を付して説明する。
【０１４４】
図１４に示す例では、撮像素子１３４における各画素のうち全画素を読出す場合における撮像動作について説明する。
【０１４５】
垂直制御線３４１乃至３４４を使用して、あるロウ（例えば、画素４０乃至４３のライン）に接続された全ての撮像素子１３４の画素データを、各カラムのデータ読出線３４６乃至３４９に出力させる。続いて、データ読出線３４６乃至３４９に出力された画素データが、各カラムのＡＤＣ３５０乃至３５３によりＡＤ変換される。続いて、ＡＤＣ３５０乃至３５３の出力が、各カラムのカラムラッチ３５８乃至３６１に保持される。例えば、図１４に示すカラムラッチ３５８乃至３６１に画素データｄ１乃至ｄ４が保持される。続いて、カラムラッチ３５８乃至３６１から出力データ線３９０への読出しスイッチ３６２乃至３６５を、水平走査回路３４５が１列ずつ順番にオンさせる。これにより１ライン中の各画素データを順番に読み出すことができる。例えば、図１４に示す出力データ線３９０に画素データｄ１が出力された後に画素データｄ２乃至ｄ３が順次出力される。
【０１４６】
以降も同様に、水平方向の１ラインの読出しが終了する毎に、各画素から垂直信号線への読出しスイッチを、垂直走査回路３４０が１行ずつ順番にオンさせる。これにより各行の画素データがＡＤＣ３５０乃至３５３に入力される。この入力された画素データがＡＤＣ３５０乃至３５３によりＡＤ変換された後は、各画素データが、各カラムのカラムラッチ３５８乃至３６１に保持される。例えば、図１４に示すカラムラッチ３５８乃至３６１に画素データｄ５乃至ｄ８が保持される。続いて、カラムラッチ３５８乃至３６１から出力データ線３９０への読出しスイッチ３６２乃至３６５を、水平走査回路３４５が１列ずつ順番にオンさせ、１ライン中の各画素データを順番に読み出す。例えば、図１４に示す出力データ線３９０に画素データｄ５乃至ｄ８が順次出力される。
【０１４７】
図１５に示す例では、撮像素子１３４における各画素のうち、画素間引き読出しの一例として水平間引きして読出す場合における撮像動作について説明する。
【０１４８】
各画素から垂直信号線３４６乃至３４９への読出しスイッチを、垂直走査回路３４０が所望の列のみオンさせる。これにより特定の行の画素データのみがＡＤＣ３５０乃至３５３に入力され、ＡＤＣ３５０乃至３５３によりＡＤ変換される。そして、ＡＤＣ３５０乃至３５３の出力が、各カラムのカラムラッチ３５８乃至３６１に保持される。例えば、垂直制御線３４２および３４４に接続されている読出しスイッチをオンさせることにより、図１５に示すカラムラッチ３５８および３６０に画素データｄ１およびｄ３が保持される。この１行の読出しが終了した後に、例えば、垂直制御線３４２および３４４に接続されている読出しスイッチをオンさせることにより、図１５に示すカラムラッチ３５８および３６０に画素データｄ５およびｄ７が保持される。
【０１４９】
また、カラムラッチ３５８乃至３６１から出力データ線３９０への読出しスイッチを、水平走査回路３４５が所望の列のみオンさせる。これにより１ライン中の特定の画素データのみを順番に読み出すことができる。
【０１５０】
例えば、水平方向において、Ｎ個の画素データの中から１個の画素データを読み出す場合には、水平方向に１／Ｎ間引き読出しとなる。例えば、２個中に１個の画素データを読み出す場合には、水平方向に１／２間引き読出しとなり、４個中に１個の画素データを読み出す場合には、水平方向に１／４間引き読出しとなる。
【０１５１】
水平方向（すなわち、ロウ方向）への間引き動作と同時に、垂直方向（すなわち、カラム方向）への間引き動作も行うことができる。例えば、垂直方向において、Ｍ本のラインの中からに１本のラインの画素データを読み出す場合には、垂直方向に１／Ｍ間引き読出しとなる。例えば、２本中に１本のロウの画素データを読み出す場合には、垂直方向に１／２間引き読出しとなり、４本中に１本のロウの画素データを読み出す場合には、垂直方向に１／４間引き読出しとなる。
【０１５２】
図１６に示す例では、撮像素子１３４における各画素のうち、画素加算読出を行う場合における撮像動作について説明する。この例では、画素加算読出として、水平方向の１／２の画素加算読出し、および、垂直方向の１／２の画素加算読出しの場合における撮像動作について説明する。
【０１５３】
全画素読出しを行う場合と同様に、垂直制御線を使用して、あるロウに接続された全ての撮像素子１３４のデータを、各カラムに備わるデータ読出線へ出力させ、ＡＤ変換してカラムラッチに保持させる。ここで、全画素読出しを行う場合とは異なり、別の垂直制御線を使用して、別のロウに接続された全ての撮像素子１３４のデータを、各カラムに備わるデータ読出線へ出力させ、ＡＤ変換する。そして、加算器を用いて、カラムラッチのデータに加算する。垂直方向に所望の本数分だけ、この方法により各画素データの値を加算し、各カラムラッチに加算後のデータを保持させる。例えば、画素データｄ１＋ｄ５、ｄ２＋ｄ６、ｄ３＋ｄ７、ｄ４＋ｄ８がカラムラッチ３５８乃至３６１に保持される。このように、垂直方向にＮ個の画素データを加算した後に、加算結果を１個の画素データとして出力することにより、垂直方向の１／Ｎの画素加算読出しとなる。
【０１５４】
次に、カラムラッチから出力データ線３９０への読出しスイッチを、水平走査回路３４５が１列ずつ順番にオンさせる。この場合に、各カラムラッチから出力データ線３９０に読み出されたデータを、出力データ線３９０の加算器３６６により加算し、出力ラッチ３６７に保持させる。そして、水平方向に所望のカラム数分だけ加算処理を繰り返し、加算後のデータを撮像素子１３４に出力する。例えば、画素データｄ１＋ｄ５と、画素データｄ２＋ｄ６とが加算されたデータｄ１＋ｄ５＋ｄ２＋ｄ６が、出力データ線３６９を介して撮像素子１３４に出力される。このように、水平方向にＭ本のロウの画素データを加算することにより、水平方向に１／Ｍの画素加算読出しとなる。以上の処理を行うことにより、水平方向（ロウ方向）の加算処理と垂直方向（カラム方向）との加算処理が可能となる。
【０１５５】
ここで、図１５に示す間引き読出し、および、図１６に示す画素加算の読出しを行う場合には、複数種類の間引き率、画素加算率に対応して撮像素子を動作させることが望ましい。そこで、以下では、複数種類の間引き率および画素加算率に対応して撮像素子を動作させる走査回路について説明する。
【０１５６】
図１７は、本発明の第１の実施の形態における撮像素子１３４の間引きを行うための走査回路の一例を模式的に示す図である。図１７（ａ）には、３種類の走査回路１０４乃至１０６を示し、図１７（ｂ）には、１／Ｎ間引き走査回路の構成例を示す。また、図１７に示す例では、全画素読み出し、１／２間引き読み出し、１／４間引き読み出しの３種類の画素間引き率に対応するための撮像素子の走査回路について、撮像素子の横方向画素数が１０２４個の場合を例にして説明する。
【０１５７】
図１７（ａ）に示すように、走査回路１０４は、１０２４本の出力信号線（ｓｃａｎ＿ａ［ｎ（０≦ｎ≦１０２３：ｎは整数）］）を備え、各信号線を１本ずつｅｎａｂｌｅ状態にした後にｄｉｓａｂｌｅ状態にする１０２４ｔｏ１走査回路である。また、走査回路１０５は、５１２本の出力信号線（ｓｃａｎ＿ｂ［ｎ（０≦ｎ≦５１１：ｎは整数）］）を備え、各信号線を１本ずつｅｎａｂｌｅ状態にした後にｄｉｓａｂｌｅ状態にする５１２ｔｏ１走査回路である。また、走査回路１０６は、２５６本の出力信号線（ｓｃａｎ＿ｃ［ｎ（０≦ｎ≦２５５：ｎは整数）］）を備え、各信号線を１本ずつｅｎａｂｌｅ状態にした後にｄｉｓａｂｌｅ状態にする２５６ｔｏ１走査回路である。
【０１５８】
図１７（ｂ）に示すように、走査回路１０４の１０２４本の出力信号線のうち、４の倍数の番号の信号線には、走査回路１０５の出力信号線と、走査回路１０６の出力信号線と、３種類の画素間引き率の何れを選択しているのかを示す制御線とが接続される。この３種類の制御線は、全画素読み出し（ｓｅｌ＿１ｐｅｒ１）、１／２間引き読み出し（ｓｅｌ＿１ｐｅｒ２）、および、１／４間引き読み出し（ｓｅｌ＿１ｐｅｒ４）に対応する制御線である。
【０１５９】
また、走査回路１０４の１０２４本の出力信号線のうち、４の倍数ではなく、かつ、２の倍数の番号の信号線には、走査回路１０５の出力信号線と、２種類の画素間引き率の何れを選択しているのかを示す制御線とが接続される。この２種類の制御線は、全画素読み出し、および、１／２間引き読み出しに対応する制御線である。
【０１６０】
また、走査回路１０４の１０２４本の出力信号線のうち、上述した信号線以外の信号線には、全画素読み出しが選択されているのかを示す制御線が接続される。
【０１６１】
図１７（ｂ）に示す走査回路からの出力（ｓｃａｎ＿ｏｕｔ［ｎ（０≦ｎ≦１０２３：ｎは整数）］）により、撮像素子１３４において、全画素読み出し、１／２間引き読み出し、１／４間引き読み出しのそれぞれの間引き処理を行うことが可能となる。
【０１６２】
［撮像系の配置構成例］
図１８は、本発明の第１の実施の形態における撮像部１３０および被写体との関係を示す図である。なお、図１８では、図３に示す撮像部１３０における第１の撮像系１９１乃至第３の撮像系１９３のうち、光学系１３１乃至１３３、撮像素子１３４乃至１３６のみを示し、他の構成については省略する。また、図１８では、撮像対象となる被写体を被写体面３００とし、第１の撮像系１９１の光軸１９４が被写体面３００と直交するように、携帯電話装置１００が配置されている場合を模式的に示す。
【０１６３】
撮像部１３０において、第１の撮像系１９１の光軸１９４と、第２の撮像系１９２の光軸１９５とのなす角をθ０とする。同様に、第１の撮像系１９１の光軸１９４と、第３の撮像系１９３の光軸１９６とのなす角をθ０とする。なお、第３の撮像系１９３は、第１の撮像系１９１の光軸１９４を挟んで、第２の撮像系１９２と線対象の位置となるように配置される。
【０１６４】
また、第１の撮像系１９１において、撮像素子１３４に入射される入射光路の最も外側の線と、光軸１９４とがなす角度をθ１とする。また、第２の撮像系１９２において、撮像素子１３５に入射される入射光路の最も外側の線と、光軸１９５とがなす角度をθ２とする。同様に、第３の撮像系１９３において、撮像素子１３６に入射される入射光路の最も外側の線と、光軸１９６とがなす角度をθ２とする。例えば、図１８に示すように、撮像素子１３４における受光面の水平方向の幅が、撮像素子１３５および１３６における受光面の水平方向の幅よりも小さい。このため、撮像素子１３４に入射される画角２×θ１は、撮像素子１３５および１３６に入射される画角２×θ２よりも小さい。
【０１６５】
ここで、撮像素子１３４に入射される画角２×θ１により、被写体面３００の撮像範囲３０１が特定される。同様に、撮像素子１３５に入射される画角２×θ２により、被写体面３００の撮像範囲３０２が特定され、撮像素子１３６に入射される画角２×θ２により、被写体面３００の撮像範囲３０３が特定される。本発明の第１の実施の形態では、撮像素子１３４乃至１３６により生成される画像を合成し、パノラマ画像を生成する。このため、被写体面３００の撮像範囲３０１と、被写体面３００の撮像範囲３０２との一部が重なるように、各光軸のなす角が設定される。具体的には、撮像範囲３０１および３０２の一部が重なるように、第１の撮像系１９１の光軸１９４と、第２の撮像系１９２の光軸１９５とのなす角θ０と、第１の撮像系１９１の光軸１９４と、第３の撮像系１９３の光軸１９６とのなす角θ０とが設定される。なお、光軸１９４乃至１９６は同一平面に含まれる。また、光軸１９４乃至１９６が１点（交点Ｐ０）で交わるように、第１の撮像系１９１乃至第３の撮像系１９３が配置される。
【０１６６】
ここで、第１の撮像系１９１のレンズ中心をＲ１とし、第２の撮像系１９２のレンズ中心をＲ２とし、第３の撮像系１９３のレンズ中心をＲ３とする。また、レンズ中心Ｒ１と交点Ｐ０との間の距離をＬ１１とし、レンズ中心Ｒ２と交点Ｐ０との間の距離をＬ２１とし、レンズ中心Ｒ３と交点Ｐ０との間の距離をＬ３１とする。この場合に、第１の撮像系１９１乃至第３の撮像系１９３は、距離Ｌ１１、Ｌ２１およびＬ３１が等しくなるように配置することが好ましい。
【０１６７】
［台形歪みの補正例］
図１９および図２０は、本発明の第１の実施の形態における撮像部１３０における撮像系と、これらの撮像対象となる被写体との関係を模式的に示す図である。図１９（ａ）には、撮像部１３０による撮像対象となる被写体３１０を模式的に示す。この被写体３１０は、図１８に示す被写体面３００に対応する被写体であるものとする。また、被写体３１０に対応する範囲を矩形で示し、この矩形内を格子状にして模式的に示す。
【０１６８】
図２０（ａ）には、撮像部１３０による撮像対象となる被写体３１１乃至３１３を模式的に示す。被写体３１１は、図１９（ａ）に示す被写体３１０のうち第１の撮像系１９１に対応する被写体であるものとする。同様に、被写体３１２は、被写体３１０のうち第２の撮像系１９２に対応する被写体であり、被写体３１３は、被写体３１０のうち第３の撮像系１９３に対応する被写体であるものとする。また、被写体３１１乃至３１３のうち、被写体３１１の水平方向における両方の端部と、被写体３１２および３１３の水平方向における一の端部とが重複する。
【０１６９】
図１９（ｂ）および図２０（ｂ）には、撮像部１３０における撮像系を示す。なお、図１９（ｂ）および図２０（ｂ）に示す例は、符号等を省略した点以外の点は、図１８に示す例と同一である。
【０１７０】
図２１は、本発明の第１の実施の形態における撮像部１３０における撮像系と、これらにより生成される撮像画像との関係を模式的に示す図である。図２１（ａ）には、撮像部１３０により生成される撮像画像３１４乃至３１６を模式的に示す。これらの撮像画像３１４乃至３１６は、図２０（ａ）に示す被写体３１１乃至３１３に対応する撮像画像であり、被写体３１１乃至３１３内に示す格子状の矩形を模式的に示す。
【０１７１】
図２１（ａ）に示すように、第２の撮像系１９２および第３の撮像系１９３の光軸１９５および１９６が被写体面３００に対して直交していないため、撮像画像３１５および３１６には、台形歪みが発生する。この台形歪みについては、図２２を参照して詳細に説明する。
【０１７２】
図２２は、本発明の第１の実施の形態における撮像部１３０における撮像系と、これらの撮像対象となる被写体との関係を模式的に示す図である。なお、図２２では、説明の容易のため、第３の撮像系１９３に関する構成を省略して、第１の撮像系１９１および第２の撮像系１９２のみを示す。また、図２２に示す例は、第３の撮像系１９３に関する構成を省略した点以外の点は、図１８に示す例と略同一である。また、交点Ｐ０、角θ０、θ１およびθ２、レンズ中心Ｒ１およびＲ２、距離Ｌ１１については、図１８に示す例と同一であるため、同一の符号を付して示す。
【０１７３】
図２２において、第１の撮像系１９１の光軸１９４と、被写体面３００との交点をＳ１１とする。また、第１の撮像系１９１の画角の右側外形線と、被写体面３００との交点をＳ１２とし、第１の撮像系１９１の画角の左側外形線と、被写体面３００との交点をＳ１３とする。
【０１７４】
また、交点Ｓ１１を含み、かつ、光軸１９４と直交する平面であって、第１の撮像系１９１に入射される平面状の被写体領域を被写体面Ｓ１０とする。
【０１７５】
また、第２の撮像系１９２の光軸１９５と、被写体面３００との交点をＳ２１とし、第２の撮像系１９２の画角の右側外形線と、被写体面３００との交点をＳ３２とし、第２の撮像系１９２の画角の左側外形線と、被写体面３００との交点をＳ４３とする。
【０１７６】
また、交点Ｓ２１を含み、かつ、光軸１９５と直交する平面であって、第２の撮像系１９２に入射される平面状の被写体領域を被写体面Ｓ２０とする。
【０１７７】
また、交点Ｓ３２を含み、かつ、光軸１９５と直交する平面であって、第２の撮像系１９２に入射される平面状の被写体領域を被写体面Ｓ３０とする。
【０１７８】
また、交点Ｓ４３を含み、かつ、光軸１９５と直交する平面であって、第２の撮像系１９２に入射される平面状の被写体領域を被写体面Ｓ４０とする。
【０１７９】
また、被写体面Ｓ３０と光軸１９５との交点をＳ３１とし、被写体面Ｓ４０と光軸１９５との交点をＳ４１とする。
【０１８０】
また、第２の撮像系１９２の画角の右側外形線と、被写体面Ｓ２０との交点をＳ２２とし、第２の撮像系１９２の画角の右側外形線と、被写体面Ｓ４０との交点をＳ４２とする。
【０１８１】
また、第２の撮像系１９２の画角の左側外形線と、被写体面Ｓ２０との交点をＳ２３とし、第２の撮像系１９２の画角の右側外形線と、被写体面Ｓ３０との交点をＳ３３とする。
【０１８２】
また、第２の撮像系１９２のレンズ中心Ｒ２を通りかつ被写体面３００に垂直な線分１９７と、被写体面３００との交点をＳ５１とする。
【０１８３】
例えば、画角の左端の点Ｓ４３を含む被写体面Ｓ４０と、画角の右端の点Ｓ３２を含む被写体面Ｓ３０とを比較すると、被写体面Ｓ４０は被写体面Ｓ３０よりもレンズ中心Ｒ２から遠い位置に存在する。このため、被写体面Ｓ４０が撮像される場合には、被写体面Ｓ３０が撮像される場合よりも広い領域が撮像される。例えば、被写体面Ｓ４０上と、被写体面Ｓ３０上に同じ長さの線分を被写体として配置した場合を想定する。この場合には、被写体面Ｓ３０について生成された撮像画像と、被写体面Ｓ４０について生成された撮像画像とを比較すると、被写体面Ｓ４０について生成された撮像画像に含まれる線分の方が短くなる。
【０１８４】
このため、例えば、図２０（ａ）に示す被写体３１２が第２の撮像系１９２により撮像される場合には、図２１（ａ）に示す撮像画像３１５のように、被写体３１２に対応する領域が台形の形状となる。すなわち、図２１（ａ）に示す例では、撮像画像３１５において、被写体３１２に対応する矩形のうち、左側の辺が右側の辺よりも短くなる。
【０１８５】
同様に、図２０（ａ）に示す被写体３１３が第３の撮像系１９３により撮像される場合には、図２１（ａ）に示す撮像画像３１６のように、被写体３１３に対応する領域が台形の形状となる。このように、３眼の撮像部により生成された撮像画像には、台形歪みが発生する。そこで、以下では、撮像画像の台形歪みを補正する台形歪み補正方法について説明する。
【０１８６】
ここで、交点Ｓ１１とレンズ中心Ｒ１との距離をＬ１２とし、交点Ｓ１３とレンズ中心Ｒ１との距離、および、交点Ｓ１２とレンズ中心Ｒ１との距離をＬ１３とする。
【０１８７】
また、交点Ｓ２１とレンズ中心Ｒ２との距離をＬ２２とし、交点Ｓ３１とレンズ中心Ｒ２との距離をＬ３０とし、交点Ｓ４１とレンズ中心Ｒ２との距離をＬ４０とする。
【０１８８】
また、交点Ｓ３２とレンズ中心Ｒ２との距離をＬ２３とし、交点Ｓ４３とレンズ中心Ｒ２との距離をＬ２４とし、交点Ｓ５１とレンズ中心Ｒ２との距離をＬ５１とする。なお、距離Ｌ６１乃至Ｌ６６については、図２４を参照して説明する。
【０１８９】
ここで、三角関数の公式により次式が成り立つ。
Ｌ２１＋Ｌ２２＝Ｌ１１＋Ｌ２２＝（Ｌ１１＋Ｌ１２）／ｃｏｓθ０
この式により、次の式１が求められる。なお、Ｌ１１＝Ｌ２１である。
Ｌ２２＝｛（Ｌ１１＋Ｌ１２）／ｃｏｓθ０｝−Ｌ１１  …式１
【０１９０】
また、距離Ｌ５１については、三角関数の公式と式１により、次の式２が求められる。
Ｌ５１＝Ｌ２２×ｃｏｓθ０
＝［｛（Ｌ１１＋Ｌ１２）／ｃｏｓθ０｝−Ｌ１１）］×ｃｏｓθ０  …式２
【０１９１】
また、距離Ｌ２３については、三角関数の公式と式２により、次の式３が求められる。
Ｌ２３＝Ｌ５１／ｃｏｓ（θ２−θ０）
＝（Ｌ２２×ｃｏｓθ０）／ｃｏｓ（θ２−θ０）  …式３
【０１９２】
また、距離Ｌ３０については、三角関数の公式と式３により、次の式４が求められる。
Ｌ３０＝Ｌ２３×ｃｏｓθ２
＝｛（Ｌ２２×ｃｏｓθ０）／ｃｏｓ（θ２−θ０）｝×ｃｏｓθ２
＝（［（｛（Ｌ１１＋Ｌ１２）／ｃｏｓθ０｝−Ｌ１１）×ｃｏｓθ０］／ｃｏｓ（θ２−θ０）]）×ｃｏｓθ２  …式４
【０１９３】
ここで、第１の撮像系１９１の光軸１９４における距離Ｌ１１およびＬ１２が決定されると、式４を用いることにより、距離Ｌ３０を求めることができる。このように距離Ｌ３０を求めることにより、距離Ｌ１２に対する距離Ｌ３０の比の値ＸＲ（＝Ｌ１２／Ｌ３０）を求めることができる。なお、ＸＲ＜１である。
【０１９４】
また、距離Ｌ２４については、三角関数の公式と式２により、次の式５が求められる。
Ｌ２４＝Ｌ５１／ｃｏｓ（θ２＋θ０）
＝（Ｌ２２×ｃｏｓθ０）／ｃｏｓ（θ２＋θ０）  …式５
【０１９５】
また、距離Ｌ４０については、三角関数の公式と式１および式５により、次の式６が求められる。
Ｌ４０＝Ｌ２４×ｃｏｓθ２
＝｛（Ｌ２２×ｃｏｓθ０）／ｃｏｓ（θ２＋θ０）｝×ｃｏｓθ２
＝［［｛（Ｌ１１＋Ｌ１２）／ｃｏｓθ０−Ｌ１１｝×ｃｏｓθ０］／ｃｏｓ（θ２＋θ０）］×ｃｏｓθ２  …式６
【０１９６】
ここで、第１の撮像系１９１の光軸１９４における距離Ｌ１１およびＬ１２が決定されると、式６を用いることにより、距離Ｌ４０を求めることができる。このように距離Ｌ４０を求めることにより、距離Ｌ１２に対する距離Ｌ４０の比の値ＸＬ（＝Ｌ１２／Ｌ４０）を求めることができる。なお、ＸＬ＞１である。
【０１９７】
次に、比の値ＸＲおよびＸＬを用いて、台形歪みを補正する補正方法について説明する。
【０１９８】
図２１（ａ）に示す撮像画像３１５について、右辺の長さがＸＲ倍となり、左辺の長さがＸＬ倍となるように各座標を変換する。すなわち、撮像画像３１５における右辺側については、右辺の長さがＸＲ倍となるように、矢印３２１方向に縮小される。一方、撮像画像３１５における左辺側については、左辺の長さがＸＬ倍となるように、矢印３２２方向に拡大される。このように、補正がされた補正画像３１７を図２３（ａ）に示す。
【０１９９】
図２３は、本発明の第１の実施の形態における撮像部１３０における撮像系と、これらにより生成された撮像画像および補正後の補正画像との関係を模式的に示す図である。図２３（ａ）には、撮像部１３０により生成される撮像画像３１４と、図２１（ａ）に示す撮像画像３１５および３１６が補正された補正画像３１７および３１８とを模式的に示す。なお、図２３（ｂ）に示す例は、符号等を省略した点以外の点は、図１８に示す例と同一である。
【０２００】
上述したように、図２１（ａ）に示す撮像画像３１５について、右辺の長さがＸＲ倍となり、左辺の長さがＸＬ倍となるように各座標を変換することにより、図２３（ａ）に示す補正画像３１７が生成される。このように生成された補正画像３１７は、外形が台形の画像になる。そこで、補正画像３１７における中央部を長方形に切り出すことにより、台形歪みが補正された画像３２５（太線で示す）を取得することができる。
【０２０１】
同様に、図２１（ａ）に示す撮像画像３１６について、左辺の長さがＸＲ倍となり、右辺の長さがＸＬ倍となるように各座標を変換することにより、図２３（ａ）に示す補正画像３１８が生成される。そして、補正画像３１８における中央部を長方形に切り出すことにより、台形歪みが補正された画像３２６（太線で示す）を取得することができる。なお、撮像画像の台形歪み補正処理は、画像合成処理部２２４により行われる。
【０２０２】
また、このような台形歪み補正を行う場合には、例えば、台形に歪んだ撮像画像における各画素の座標を計測し、比の値ＸＲおよびＸＬを予め求めておく。そして、予め求められた比の値ＸＲおよびＸＬを用いて、台形歪み補正処理を携帯電話装置１００に内蔵されているＣＰＵ等の演算装置を用いてソフトウエア的に求めることができる。
【０２０３】
なお、この例では、３眼撮像動作により発生する撮像画像の台形歪みを補正する補正方法の一例について説明したが、他の台形歪み補正方法（例えば、特開平０８−３０７７７０号公報参照。）により補正を行うようにしてもよい。
【０２０４】
［撮像画像の合成例］
図２４は、本発明の第１の実施の形態における画像合成処理部２２４が合成画像を生成する場合における合成の流れを模式的に示す図である。この例では、３つの撮像系の光軸がなす角度（輻輳角）に基づいて、３つの撮像系により生成された３つの撮像画像を合成する例を示す。すなわち、２つの撮像系により生成された２つの撮像画像のうち、重なり合う部分については輻輳角に基づいて何れか一方を切除し、この切除後に２つの撮像画像を合成する。
【０２０５】
図２４（ａ）には、撮像部１３０における第１の撮像系１９１乃至第３の撮像系１９３により生成された撮像画像３１４、補正画像３１７および３１８と示す。なお、撮像画像３１４、補正画像３１７および３１８は、図２３に示すものと同一である。図２４（ａ）に示すように、台形歪みの補正処理により、台形歪みが補正された撮像画像３１４、補正画像３１７および３１８が取得される。
【０２０６】
ここで、上述したように、補正画像３１７の右端部の領域と、撮像画像３１４の左端部の領域とには同一の被写体が含まれる。また、補正画像３１８の左端部の領域と、撮像画像３１４の右端部の領域とには同一の被写体が含まれる。そこで、以下では、これらの同一の被写体が含まれる領域の算出方法について説明する。
【０２０７】
ここで、図２２において、交点Ｓ１１と交点Ｓ２１との距離をＬ６１とし、交点Ｓ１１と交点Ｓ１３との距離をＬ６２とし、交点Ｓ５１と交点Ｓ２１との距離をＬ６３とする。また、交点Ｓ１３と交点Ｓ５１との距離をＬ６４とし、交点Ｓ３２と交点Ｓ５１との距離をＬ６５とし、交点Ｓ３２と交点Ｓ１３との距離をＬ６６とする。なお、距離Ｌ６６は、第１の撮像系１９１により生成された撮像画像と、第２の撮像系１９２により生成された撮像画像とのうち、同一の被写体が含まれる領域を特定するための距離である。第１の撮像系１９１により生成された撮像画像の左端部の領域と、第２の撮像系１９２により生成された撮像画像の右端部の領域との共通領域である。
【０２０８】
ここで、三角関数の公式により、次の式７および式８が成立する。
Ｌ６１＝（Ｌ１１＋Ｌ１２）×ｔａｎθ０  …式７
Ｌ６２＝Ｌ１２×ｔａｎθ１  …式８
【０２０９】
また、三角関数の公式と式２により、次の式９が求められる。
Ｌ６３＝Ｌ５１×ｔａｎθ０
＝［｛（Ｌ１１＋Ｌ１２）／ｃｏｓθ０｝−Ｌ１１］×ｃｏｓθ０×ｔａｎθ０  …式９
【０２１０】
また、式７乃至式８を用いて、次の式１０が求められる。
Ｌ６４＝Ｌ６１−Ｌ６２−Ｌ６３
＝｛（Ｌ１１＋Ｌ１２）×ｔａｎθ０｝−（Ｌ１２×ｔａｎθ１）−｛（Ｌ１１＋Ｌ１２）／ｃｏｓθ０｝−Ｌ１１）×ｃｏｓθ０×ｔａｎθ０  …式１０
【０２１１】
また、三角関数の公式と式２により、次の式１１が求められる。
Ｌ６５＝Ｌ５１×ｔａｎ（θ２−θ０）
＝［｛（Ｌ１１＋Ｌ１２）／ｃｏｓθ０｝−Ｌ１１］×ｃｏｓθ０×ｔａｎ（θ２−θ０）  …式１１
【０２１２】
以上で求められた式１０および式１１を用いて、次の式１２が求められる。
Ｌ６６＝Ｌ６５−Ｌ６４
＝｛［｛（Ｌ１１＋Ｌ１２）／ｃｏｓθ０｝−Ｌ１１］×ｃｏｓθ０×ｔａｎ（θ２−θ０）｝−｛｛（Ｌ１１＋Ｌ１２）×ｔａｎθ０｝−（Ｌ１２×ｔａｎθ１）−｛（Ｌ１１＋Ｌ１２）／ｃｏｓθ０｝−Ｌ１１）×ｃｏｓθ０×ｔａｎθ０｝  …式１２
【０２１３】
ここで、第１の撮像系１９１の光軸１９４における距離Ｌ１１およびＬ１２が決定されると、式１２を用いることにより、距離Ｌ６６を求めることができる。また、第１の撮像系１９１により生成された撮像画像の右端部の領域と、第３の撮像系１９３により生成された撮像画像の左端部の領域との共通領域についても同様に求めることができる。
【０２１４】
図２４（ｂ）には、撮像画像３１４、補正画像３１７および３１８のうち、合成対象となる領域を示す。例えば、第１の撮像系１９１により生成された撮像画像３１４について、式１２を用いて算出された距離Ｌ６６に相当する領域を削除する。同様に、撮像画像３１４について、撮像画像３１４の右端部について算出された共通領域を削除する。図２４（ｂ）では、両端部の共通領域が削除された後の画像３２７の外形を太線で示す。
【０２１５】
図２４（ｃ）には、撮像画像３１４、補正画像３１７および３１８を用いて生成されたパノラマ画像３３０を示す。図２４（ｂ）に示すように、撮像画像３１４において両端部の画像が削除された後に、この削除後の画像３２７と、補正画像３１７および３１８とを用いてパノラマ画像が生成される。例えば、画像３２７の左端に補正画像３１７が連結され、画像３２７の右端に補正画像３１８が連結されてパノラマ画像３３０が生成される。
【０２１６】
図２５は、本発明の第１の実施の形態における画像合成処理部２２４が合成画像を生成する場合における合成の流れを模式的に示す図である。図２５に示す例は、図２４の変形であり、画像合成の際に削除される領域を含む画像が異なる。すなわち、図２５（ｂ）に示すように、第２の撮像系１９２により生成された撮像画像に対応する補正画像３１７について、式１２を用いて算出された距離Ｌ６６に相当する領域（右端部の領域）を削除する。同様に、補正画像３１８について、その左端部について算出された共通領域を削除する。図２５（ｂ）では、共通領域が削除された後の画像３３２および３３３の外形を太線で示す。
【０２１７】
図２５（ｃ）には、画像３３１乃至３３３を用いて生成されたパノラマ画像３３０を示す。図２５（ｂ）に示すように、例えば、画像３３１の左端に画像３３２が連結され、画像３３１の右端に画像３３３が連結され、パノラマ画像３３０が生成される。
【０２１８】
図２６は、本発明の第１の実施の形態における画像合成処理部２２４が合成画像を生成する場合における合成の流れを模式的に示す図である。図２６に示す例は、図２４の変形であり、画像合成の際に削除される領域を含む画像が異なる。すなわち、図２６（ｂ）に示すように、第１の撮像系１９１により生成された撮像画像３１４について、式１２を用いて算出された距離Ｌ６６の半分に相当する領域を削除する。また、第２の撮像系１９２により生成された撮像画像に対応する補正画像３１７について、式１２を用いて算出された距離Ｌ６６の半分に相当する領域（右端部の領域）を削除する。
【０２１９】
同様に、撮像画像３１４について、撮像画像３１４の右端部について算出された共通領域の半分を削除し、第３の撮像系１９３により生成された撮像画像に対応する補正画像３１８について、共通領域の半分に相当する領域（左端部の領域）を削除する。図２６（ｂ）では、共通領域が削除された後の画像３３４乃至３３６の外形を太線で示す。
【０２２０】
図２６（ｃ）には、画像３３４乃至３３６を用いて生成されたパノラマ画像３３０を示す。図２６（ｂ）に示すように、例えば、画像３３４の左端に画像３３５が連結され、画像３３４の右端に画像３３６が連結され、パノラマ画像３３０が生成される。このように、各画像の一部を削除することにより、適切に画像を合成することができる。
【０２２１】
なお、これらの画像合成処理は、画像合成処理部２２４により行われる。また、図８では、画像信号処理部２２０において、画像合成処理部２２４がＹＣ変換処理部２２３の後段、かつ、シャープネス処理部２２５の前段に配置されている例を示す。ただし、画像信号処理部２２０の他の段階で画像合成処理を行うようにしてもよい。例えば、台形歪み補正処理および画像合成処理については、デモザイク処理部２２２の前段で行うようにしてもよい。また、例えば、台形歪み補正処理および画像合成処理については、デモザイク処理部２２２の後段、かつ、ＹＣ変換処理部２２３の前段で行うようにしてもよい。また、例えば、台形歪み補正処理および画像合成処理については、色調整処理部２２６の後段で行うようにしてもよい。
【０２２２】
また、このような画像合成処理を行う場合には、例えば、台形歪み補正後の画像について、各画像の重複領域を予め計測しておく。そして、この計測された値を用いて、画像の重複領域の削除処理を携帯電話装置１００に内蔵されているＣＰＵ等の演算装置を用いてソフトウエア的に求めることができる。
【０２２３】
この例では、輻輳角に基づいて３つの撮像画像を合成する例について説明したが、例えば、他の画像合成方法を用いて、画像合成処理を行うようにしてもよい。例えば、２つの撮像系により生成された２つの画像のうち、重複する部分については、２つの画像をパターンマッチングさせ、このパターンマッチングにより２つの画像を合成する画像合成方法を用いることができる。また、２つの撮像系により生成された２つの画像における濃度レベルの変化を求め、この濃度レベルの変化に基づいて重複する部分を求めて２つの画像を合成する画像合成方法を用いることができる。
【０２２４】
［撮像モードの制御例］
次に、撮像素子１３４乃至１３６から画像データを読出し、その画像を表示部１４０に表示する例について説明する。
【０２２５】
図２７は、本発明の第１の実施の形態における携帯電話装置１００による撮像処理の撮像対象となる被写体５００を示す図である。被写体５００は、例えば、山を背景にして立っている人５０１、５０２やその周辺の車５０３、家５０４等を含む被写体である。
【０２２６】
［第２の筐体の横長状態における撮像モードの制御例］
最初に、第２の筐体１２０を横長状態とした場合における各撮像素子からの画像データの読出方法および読み出された画像データの表示方法について説明する。また、本発明の第１の実施の形態では、第２の筐体１２０を横長状態とした場合における撮像モードとして５種類の撮像モードを示す。
【０２２７】
［３眼横長広角画像撮像モードの制御例］
図２８は、本発明の第１の実施の形態における撮像素子１３４乃至１３６における画像データの読出方法の一例（第１の読出方法）を模式的に示す図である。
【０２２８】
図２８（ａ）には、撮像素子１３４乃至１３６において、画素データが読み出される画素データ読出領域４０３乃至４０５を示す。この画素データ読出領域４０３乃至４０５は、図４（ｂ）に示す画素データ読出領域４０３乃至４０５と同様である。このため、同一の符号を付して共通する部分についての説明を省略する。また、以下では、撮像素子１３４乃至１３６における画素データ読出領域についてはその輪郭を太線で示す。ここで、画素データ読出領域４０３乃至４０５は、図１３に示すレジスタ３７０および３８０に保持されている設定内容に基づいて決定される領域である。また、この例では、画素データ読出領域４０３乃至４０５に含まれる各画素のうち、全画素を読み出す例について説明する。
【０２２９】
ここで、本発明の第１の実施の形態では、例えば、撮像素子１３４として、横１４４０画素×縦１９２０画素の画素数を有し、画素の横対縦比が３：４となる撮像素子を用いる例を示す。また、撮像素子１３５および１３６として、横１９２０画素×縦１４４０画素の画素数を有し、画素の横対縦比が４：３となる撮像素子を用いる例を示す。
【０２３０】
この読出し動作を行う場合における撮像素子１３４乃至１３６の画素データの読出に関する各設定値が、図１３に示すレジスタ３７０および３８０に保持されている。具体的には、次の（１１）乃至（１７）の設定値が、複眼全画素読出し撮像時の縦方向撮像領域設定レジスタ３７４および複眼全画素読出し撮像時の横方向撮像領域設定レジスタ３８４に保持されている。
（１１）撮像素子１３４において読み出す領域（画素データ読出領域４０３）の水平方向の画素数Ｈ１０
（１２）撮像素子１３４において読み出す領域（画素データ読出領域４０３）の垂直方向の画素数Ｖ１１
（１３）撮像素子１３５および１３６において読み出す領域（画素データ読出領域４０４および４０５）の水平方向の画素数Ｈ１１
（１４）撮像素子１３５および１３６において読み出す領域（画素データ読出領域４０４および４０５）の垂直方向の画素数Ｖ１１
（１５）撮像素子１３４乃至１３６において、画素が配列されているアレイ端から読出開始位置までの水平方向の画素数および垂直方向までの画素数
（１６）撮像素子１３４乃至１３６において、垂直同期信号から垂直方向の画素読み出し開始までの垂直バックポーチ期間
（１７）撮像素子１３４乃至１３６において、水平同期信号から水平方向の画素読み出し開始までの水平バックポーチ期間
【０２３１】
これらの設定値は、予め設定しておくようにしてもよく、ユーザ操作により、信号線Ｌ２を介して、複眼全画素読出し撮像時の縦方向撮像領域設定レジスタ３７４および複眼全画素読出し撮像時の横方向撮像領域設定レジスタ３８４に設定されるようにしてもよい。
【０２３２】
図２８（ｂ）には、画素データ読出領域４０３乃至４０５における読出開始位置４１１乃至４１３および読出走査方向を示す。この読出開始位置４１１乃至４１３および読出走査方向は、図６（ａ）に示す読出開始位置４１１乃至４１３および読出走査方向と同様である。このため、同一の符号を付して共通する部分についての説明を省略する。
【０２３３】
このように、撮像素子１３４乃至１３６から読み出された画像データについては、上述したように、各画像の重複部分を合成して合成画像を生成する。しかしながら、以下では、説明の容易のため、各画像の重複部分については考慮せずに説明する。この例では、横１４４０画素×縦１９２０画素の撮像素子１３４から、その一部の画像データ（横１４４０画素×縦１４４０画素）が読み出され、横１９２０画素×縦１４４０画素の撮像素子１３５および１３６から、その全部の画像データが読み出される。このように読み出された画像データを合成する場合には、横対縦の比が１１：３の約７６０万画素（横５２８０画素×縦１４４０画素）の画像が生成される。このように生成された合成画像の表示例を図２９に示す。
【０２３４】
図２９は、本発明の第１の実施の形態における表示部１４０における画像の表示例を示す図である。図２９に示す例は、図２８に示す第１の読出方法により読み出された画像データを表示する表示例である。
【０２３５】
図２９（ａ）には、携帯電話装置１００による撮像処理の撮像対象となる被写体５００を示す。なお、被写体５００は、図２７に示すものと同一である。ここで、被写体５００における撮像範囲５１１乃至５１３は、図４（ａ）に示す撮像素子１３４乃至１３６の画素データ読出可能領域４００乃至４０２に対応する撮像範囲であるものとする。すなわち、撮像範囲５１１は、撮像素子１３４の画素データ読出可能領域４００に対応し、撮像範囲５１２は、撮像素子１３５の画素データ読出可能領域４０１に対応し、撮像範囲５１３は、撮像素子１３６の画素データ読出可能領域４０２に対応するものとする。また、撮像範囲５１１乃至５１３のうち、図２８に示す画素データ読出領域４０３乃至４０４に対応する領域の輪郭を太線で示す。
【０２３６】
図２９（ｂ）には、被写体５００を撮像対象とした場合に、図２８に示す第１の読出方法により読み出された画像データを表示部１４０に表示する表示例を示す。なお、図２９（ｂ）には、携帯電話装置１００を構成する第１の筐体１１０および第２の筐体１２０のうち、第１の筐体１１０を省略して示す。また、以下に示す表示例でも、第１の筐体１１０を省略して示す。
【０２３７】
上述したように、表示部１４０の横対縦の比は４：３であるため、横対縦の比が１１：３である画像を表示部１４０の全画面に表示させることができない。そこで、表示部１４０における各画素が正方格子である場合には、例えば、図２８に示す第１の読出方法により読み出されて生成された横対縦の比が１１：３の画像を解像度変換して表示させる。例えば、その画像の横方向の画素数が表示部１４０の横方向の画素数と略同一となり、横対縦の比が１１：３となるように、画像を水平方向および垂直方向に解像度変換する。
【０２３８】
図２９（ｂ）に示すように、解像度変換がされた合成画像を、表示部１４０における垂直方向の中央部分（撮像画像表示領域５２１）に表示させる。ここで、表示された画像の上下の余白部分（余白画像表示領域５２２および５２３）には、例えば、単一色の画像を表示させることができる。
【０２３９】
なお、表示部１４０の各画素が正方格子でない場合には、表示部１４０に表示させた時に画像の形状が異常とならないように、表示部１４０の画素の縦横の長さの比を用いて解像度変換の倍率を変換し、この変換された画像を表示させることができる。
【０２４０】
図２９（ｃ）には、撮像素子１３４乃至１３６から読み出された画素データを表示する場合における表示部１４０における走査方向を示す。この走査方向については、図６（ｃ）に示す例と同様であるため、ここでの説明を省略する。
【０２４１】
［３眼横長狭角画像撮像モードの制御例］
図３０は、本発明の第１の実施の形態における撮像素子１３４乃至１３６における画像データの読出方法の一例（第２の読出方法）を模式的に示す図である。
【０２４２】
図３０（ａ）には、撮像素子１３４乃至１３６において、画素データが読み出される画素データ読出領域４２１乃至４２３を示す。第２の読出方法は、デジタルスチルカメラ等の撮像装置のユーザが広く慣れ親しんでいる横長の画像を読み出す方法であり、例えば、撮像素子１３４の一部の領域を読み出すとともに、撮像素子１３５および１３６の一部の領域を読み出す。
【０２４３】
画素データ読出領域４２１は、例えば、図２８に示す画素データ読出領域４０３と同一とする（例えば、横１４４０画素×縦１４４０画素の領域）。また、画素データ読出領域４２２および４２３は、例えば、垂直方向の長さＶ２１を、画素データ読出可能領域４０１および４０２の垂直方向の長さＶ２０と同一とする。また、画素データ読出領域４２２および４２３は、例えば、水平方向の長さＨ２１を、画素データ読出可能領域４０１および４０２の水平方向の長さの１／６とする。すなわち、画素データ読出領域４２２および４２３は、例えば、横２４０画素×縦１４４０画素の領域とする。また、画素データ読出領域４２１乃至４２３は、図１３に示すレジスタ３７０および３８０に保持されている設定内容に基づいて決定される領域である。また、この例では、画素データ読出領域４２１乃至４２３に含まれる各画素のうち、全画素を読み出す例について説明する。ここで、撮像素子１３４乃至１３６には、いわゆる、倒立像が結像されるため、撮像素子１３５および１３６の画素データ読出領域４２２および４２３は、撮像素子１３４の反対側の領域となる。
【０２４４】
この読出し動作を行う場合における撮像素子１３４乃至１３６の画素データの読出に関する各設定値が、図１３に示すレジスタ３７０および３８０に保持されている。具体的には、次の（２１）乃至（２７）の設定値が、複眼全画素読出し撮像時の縦方向撮像領域設定レジスタ３７４および複眼全画素読出し撮像時の横方向撮像領域設定レジスタ３８４に保持されている。
（２１）撮像素子１３４において読み出す領域（画素データ読出領域４２１）の水平方向の画素数Ｈ２０
（２２）撮像素子１３４において読み出す領域（画素データ読出領域４２１）の垂直方向の画素数Ｖ２１
（２３）撮像素子１３５および１３６において読み出す領域（画素データ読出領域４２２および４２３）の水平方向の画素数Ｈ２１
（２４）撮像素子１３５および１３６において読み出す領域（画素データ読出領域４２２および４２３）の垂直方向の画素数Ｖ２１
（２５）撮像素子１３４乃至１３６において、画素が配列されているアレイ端から読出開始位置までの水平方向の画素数および垂直方向までの画素数
（２６）撮像素子１３４乃至１３６において、垂直同期信号から垂直方向の画素読み出し開始までの垂直バックポーチ期間
（２７）撮像素子１３４乃至１３６において、水平同期信号から水平方向の画素読み出し開始までの水平バックポーチ期間
【０２４５】
これらの設定値は、予め設定しておくようにしてもよく、ユーザ操作により、信号線Ｌ２を介して、複眼全画素読出し撮像時の縦方向撮像領域設定レジスタ３７４および複眼全画素読出し撮像時の横方向撮像領域設定レジスタ３８４に設定されるようにしてもよい。
【０２４６】
図３０（ｂ）には、画素データ読出領域４２１乃至４２３における読出開始位置４２４乃至４２６および読出走査方向を示す。この例では、横１４４０画素×縦１９２０画素の撮像素子１３４から、その一部の画像データ（横１４４０画素×縦１４４０画素）が読み出される。また、横１９２０画素×縦１４４０画素の撮像素子１３５および１３６から、その一部の画像データ（横２４０画素×縦１４４０画素）が読み出される。このように読み出された画像データを合成する場合には、横対縦の比が４：３の約２７６万画素（横１９２０画素×縦１４４０画素）の画像が生成される。このように生成された合成画像の表示例を図２９に示す。
【０２４７】
このように、画素データ読出領域４２１乃至４２３は、撮像素子１３５および１３６における読出領域の大きさを、第１の読出方法よりも小さくした例である。そして、第２の読出方法により読み出された画像データを合成して生成される合成画像は、横対縦の比が４：３（１６：９等とするようにしてもよい）となる。このため、現在、市販されている撮像装置における記録用画像の横対縦の比と同じ横対縦比の合成画像を生成して表示させることができる。
【０２４８】
図３１は、本発明の第１の実施の形態における表示部１４０における画像の表示例を示す図である。図３１に示す例は、図３０に示す第２の読出方法により読み出された画像データを表示する表示例である。
【０２４９】
図３１（ａ）には、携帯電話装置１００による撮像処理の撮像対象となる被写体５００を示す。図３１（ａ）に示す例は、画素データ読出領域が変更された点以外は、図２９（ａ）に示す例と略同様である。このため、図２９（ａ）と共通する部分には同一の符号を付して、その部分についての説明を省略する。なお、撮像範囲５１１乃至５１３のうち、図３０に示す画素データ読出領域４２１乃至４２３に対応する領域の輪郭を太線で示す。
【０２５０】
図３１（ｂ）には、被写体５００を撮像対象とした場合に、図３０に示す第２の読出方法により読み出された画像データを表示部１４０に表示する表示例を示す。
【０２５１】
上述したように、表示部１４０の横対縦の比は４：３であり、横対縦の比が４：３であるため、合成画像を表示部１４０の全画面に表示させることができる。例えば、合成画像のサイズが表示部１４０の画素数と同一となるように解像度変換し、表示部１４０に表示させる。また、この場合には、図２９（ｂ）に示す余白画像表示領域５２２および５２３が不要となる。
【０２５２】
なお、図３０に示す第２の読出方法により読み出されて生成された合成画像の横対縦の比が、表示装置の横対縦の比と同じでない場合には、第１の読出方法と同様に表示させることができる。この場合に、例えば、表示された合成画像の上下の余白部分（余白画像表示領域）には、例えば、単一色を表示させる。
【０２５３】
図３１（ｃ）には、撮像素子１３４乃至１３６から読み出された画素データを表示する場合における表示部１４０における走査方向を示す。この走査方向については、図６（ｃ）に示す例と同様であるため、ここでの説明を省略する。
【０２５４】
［単眼横長画像撮像モードの制御例］
図３２は、本発明の第１の実施の形態における撮像素子１３４乃至１３６における画像データの読出方法の一例（第３の読出方法）を模式的に示す図である。
【０２５５】
図３２（ａ）には、撮像素子１３４乃至１３６において、画素データが読み出される画素データ読出領域４３１を示す。第３の読出方法は、デジタルスチルカメラ等の撮像装置のユーザが広く慣れ親しんでいる横長の画像を読み出す方法であり、例えば、撮像素子１３４の横方向の略全ての領域を読み出すとともに、縦方向では横方向よりも画素数の少ない領域を読み出す。なお、撮像素子１３５および１３６からの読出しは行わない。
【０２５６】
画素データ読出領域４３１は、例えば、水平方向の長さＨ３０を、画素データ読出可能領域４００の水平方向の長さと同一とし、垂直方向の長さＶ３０を、画素データ読出可能領域４００の垂直方向の長さの半分程度とする。画素データ読出領域４３１は、例えば、横１４４０画素×縦１０８０画素の領域とする。また、画素データ読出領域４３１は、図１３に示すレジスタ３７０および３８０に保持されている設定内容に基づいて決定される領域である。また、この例では、画素データ読出領域４３１に含まれる各画素のうち、全画素を読み出す例について説明する。
【０２５７】
この読出し動作を行う場合における撮像素子１３４の画素データの読出に関する各設定値が、図１３に示すレジスタ３７０および３８０に保持されている。具体的には、次の（３１）乃至（３５）の設定値が、単眼全画素読出し撮像時の縦方向撮像領域設定レジスタ３７１および単眼全画素読出し撮像時の横方向撮像領域設定レジスタ３８１に保持されている。
（３１）撮像素子１３４において読み出す領域（画素データ読出領域４３１）の水平方向の画素数Ｈ３０
（３２）撮像素子１３４において読み出す領域（画素データ読出領域４３１）の垂直方向の画素数Ｖ３０
（３３）撮像素子１３４において、画素が配列されているアレイ端から読出開始位置までの水平方向の画素数および垂直方向までの画素数
（３４）撮像素子１３４において、垂直同期信号から垂直方向の画素読み出し開始までの垂直バックポーチ期間
（３５）撮像素子１３４において、水平同期信号から水平方向の画素読み出し開始までの水平バックポーチ期間
【０２５８】
これらの設定値は、予め設定しておくようにしてもよく、ユーザ操作により、信号線Ｌ２を介して、単眼全画素読出し撮像時の縦方向撮像領域設定レジスタ３７１および単眼全画素読出し撮像時の横方向撮像領域設定レジスタ３８１に設定されるようにしてもよい。
【０２５９】
図３２（ｂ）には、画素データ読出領域４３１における読出開始位置４３２および読出走査方向を示す。この例では、横１４４０画素×縦１９２０画素の撮像素子１３４から、その一部の画像データ（横１４４０画素×縦１０８０画素）が読み出される。また、撮像素子１３５および１３６からの読出は行われない。このように読み出された画像データを用いて、横対縦の比が４：３の約１５６万画素（横１４４０画素×縦１０８０画素）の画像が生成される。このように生成された画像の表示例を図３３に示す。
【０２６０】
このように、画素データ読出領域４３１は、撮像素子１３４のみから読出しを行い、撮像素子１３５および１３６からの読出しを行わない例である。そして、第３の読出方法により読み出された画像データに基づいて生成される画像は、第２の読出方法と同様に、横対縦の比が４：３（１６：９等とするようにしてもよい）となる。このため、現在、市販されている撮像装置における記録用画像の横対縦の比と同じ横対縦比の画像を生成して表示させることができる。また、例えば、一般に広く普及しているＶＧＡ（Video Graphics Array）画像（横６４０画素×縦４８０画素）よりも高精細な画像を、撮像素子１３５および１３６を動作させずに生成することができる。これにより、消費電力を低減させることができる。
【０２６１】
図３３は、本発明の第１の実施の形態における表示部１４０における画像の表示例を示す図である。図３３に示す例は、図３２に示す第３の読出方法により読み出された画像データを表示する表示例である。
【０２６２】
図３３（ａ）には、携帯電話装置１００による撮像処理の撮像対象となる被写体５００を示す。図３３（ａ）に示す例は、画素データ読出領域が変更された点以外は、図２９（ａ）に示す例と略同様である。このため、図２９（ａ）と共通する部分には同一の符号を付して、その部分についての説明を省略する。なお、撮像範囲５１１乃至５１３のうち、図３２に示す画素データ読出領域４３１に対応する領域の輪郭を太線で示す。
【０２６３】
図３３（ｂ）には、被写体５００を撮像対象とした場合に、図３０に示す第２の読出方法により読み出された画像データを表示部１４０に表示する表示例を示す。
【０２６４】
上述したように、表示部１４０の横対縦の比は４：３であり、生成された画像の横対縦の比が４：３であるため、画像を表示部１４０の全画面に表示させることができる。例えば、画像のサイズが表示部１４０の画素数と同一となるように解像度変換し、表示部１４０に表示させる。また、この場合には、図２９（ｂ）に示す余白画像表示領域５２２および５２３が不要となる。
【０２６５】
なお、図３２に示す第３の読出方法により読み出されて生成された画像の横対縦の比が、表示装置の横対縦の比と同じでない場合には、第１の読出方法と同様に表示させることができる。この場合に、例えば、表示された合成画像の上下の余白部分（余白画像表示領域）には、例えば、単一色を表示させる。
【０２６６】
図３３（ｃ）には、撮像素子１３４乃至１３６から読み出された画素データを表示する場合における表示部１４０における走査方向を示す。この走査方向については、図６（ｃ）に示す例と同様であるため、ここでの説明を省略する。
【０２６７】
［単眼縦長画像撮像モードの制御例］
図３４は、本発明の第１の実施の形態における撮像素子１３４乃至１３６における画像データの読出方法の一例（第４の読出方法）を模式的に示す図である。
【０２６８】
図３４（ａ）には、撮像素子１３４乃至１３６において、画素データが読み出される画素データ読出領域４３５を示す。第４の読出方法は、携帯電話装置のユーザが広く慣れ親しんでいる縦長の画像を読み出す方法であり、例えば、撮像素子１３４の全ての領域を読み出す。なお、撮像素子１３５および１３６からの読出しは行わない。
【０２６９】
画素データ読出領域４３５は、例えば、水平方向の長さＨ４０を、画素データ読出可能領域４００の水平方向の長さと同一とし、垂直方向の長さＶ４０を、画素データ読出可能領域４００の垂直方向の長さ同一とする。画素データ読出領域４３５は、例えば、横１４４０画素×縦１９２０画素の領域とする。また、画素データ読出領域４３５は、図１３に示すレジスタ３７０および３８０に保持されている設定内容に基づいて決定される領域である。また、この例では、画素データ読出領域４３５に含まれる各画素のうち、全画素を読み出す例について説明する。
【０２７０】
この読出し動作を行う場合における撮像素子１３４の画素データの読出に関する各設定値が、図１３に示すレジスタ３７０および３８０に保持されている。具体的には、次の（４１）乃至（４５）の設定値が、単眼全画素読出し撮像時の縦方向撮像領域設定レジスタ３７１および単眼全画素読出し撮像時の横方向撮像領域設定レジスタ３８１に保持されている。
（４１）撮像素子１３４において読み出す領域（画素データ読出領域４３５）の水平方向の画素数Ｈ４０
（４２）撮像素子１３４において読み出す領域（画素データ読出領域４３５）の垂直方向の画素数Ｖ４０
（４３）撮像素子１３４において、画素が配列されているアレイ端から読出開始位置までの水平方向の画素数および垂直方向までの画素数
（４４）撮像素子１３４において、垂直同期信号から垂直方向の画素読み出し開始までの垂直バックポーチ期間
（４５）撮像素子１３４において、水平同期信号から水平方向の画素読み出し開始までの水平バックポーチ期間
【０２７１】
これらの設定値は、予め設定しておくようにしてもよく、ユーザ操作により、信号線Ｌ２を介して、単眼全画素読出し撮像時の縦方向撮像領域設定レジスタ３７１および単眼全画素読出し撮像時の横方向撮像領域設定レジスタ３８１に設定されるようにしてもよい。
【０２７２】
図３４（ｂ）には、画素データ読出領域４３５における読出開始位置４３６および読出走査方向を示す。この例では、横１４４０画素×縦１９２０画素の撮像素子１３４から、その全部の画像データ（横１４４０画素×縦１９２０画素）が読み出される。また、撮像素子１３５および１３６からの読出は行われない。このように読み出された画像データを用いて、横対縦の比が３：４の約２７６万画素（横１４４０画素×縦１９２０画素）の画像が生成される。このように生成された画像の表示例を図３５に示す。
【０２７３】
このように、画素データ読出領域４３５は、撮像素子１３４から読出しを行い、撮像素子１３５および１３６からの読出しを行わない例である。そして、第４の読出方法により読み出された画像データに基づいて生成される画像は、横対縦の比が３：４となる。このため、例えば、一般に広く普及している縦長のＶＧＡ画像（横６４０画素×縦４８０画素）よりも高精細な画像を、撮像素子１３５および１３６を動作させずに生成することができる。これにより、消費電力を低減させることができる。
【０２７４】
図３５は、本発明の第１の実施の形態における表示部１４０における画像の表示例を示す図である。図３５に示す例は、図３４に示す第４の読出方法により読み出された画像データを表示する表示例である。
【０２７５】
図３５（ａ）には、携帯電話装置１００による撮像処理の撮像対象となる被写体５００を示す。図３５（ａ）に示す例は、画素データ読出領域が変更された点以外は、図２９（ａ）に示す例と略同様である。このため、図２９（ａ）と共通する部分には同一の符号を付して、その部分についての説明を省略する。なお、撮像範囲５１１乃至５１３のうち、図３４に示す画素データ読出領域４３５に対応する領域の輪郭を太線で示す。
【０２７６】
図３５（ｂ）には、被写体５００を撮像対象とした場合に、図３４に示す第４の読出方法により読み出された画像データを表示部１４０に表示する表示例を示す。
【０２７７】
上述したように、表示部１４０の横対縦の比は４：３であるため、生成された画像の横対縦の比が３：４である画像を表示部１４０の全画面に表示させることができない。そこで、例えば、第１の読出方法と同様に、横対縦の比が３：４の画像を解像度変換して表示させる。例えば、その画像の縦方向の画素数が表示部１４０の縦方向の画素数と略同一となり、横対縦の比が３：４となるように、画像を水平方向および垂直方向に解像度変換する。
【０２７８】
図３５（ｂ）に示すように、解像度変換がされた画像を、表示部１４０における水平方向の中央部分（撮像画像表示領域５２７）に表示させる。ここで、表示された画像の左右の余白部分（余白画像表示領域５２８および５２９）には、例えば、単一色の画像を表示させることができる。
【０２７９】
なお、第４の読出方法により読み出されて生成された画像の横対縦の比が、表示装置の横対縦の比と同じでない場合には、第１の読出方法と同様に表示させることができる。
【０２８０】
図３５（ｃ）には撮像素子１３４乃至１３６から読み出された画素データを表示する場合における表示部１４０における走査方向を示す。この走査方向については、図６（ｃ）に示す例と同様であるため、ここでの説明を省略する。
【０２８１】
［単眼縦長小領域画像撮像モードの制御例］
図３６は、本発明の第１の実施の形態における撮像素子１３４乃至１３６における画像データの読出方法の一例（第５の読出方法）を模式的に示す図である。
【０２８２】
図３６（ａ）には、撮像素子１３４乃至１３６において、画素データが読み出される画素データ読出領域４３７を示す。第５の読出方法は、携帯電話装置のユーザが広く慣れ親しんでいる縦長の画像を読み出す方法であり、例えば、撮像素子１３４の一部の領域を読み出す。なお、撮像素子１３５および１３６からの読出しは行わない。
【０２８３】
画素データ読出領域４３７は、例えば、水平方向の長さＨ５０を、画素データ読出可能領域４００の水平方向の長さよりも短くし、垂直方向の長さＶ５０を、画素データ読出可能領域４００の垂直方向の長さよりも短くする。画素データ読出領域４３７は、例えば、横４８０画素×縦６４０画素の領域とする。また、画素データ読出領域４３７は、図１３に示すレジスタ３７０および３８０に保持されている設定内容に基づいて決定される領域である。また、この例では、画素データ読出領域４３７に含まれる各画素のうち、全画素を読み出す例について説明する。
【０２８４】
この読出し動作を行う場合における撮像素子１３４の画素データの読出に関する各設定値が、図１３に示すレジスタ３７０および３８０に保持されている。具体的には、次の（５１）乃至（５５）の設定値が、単眼全画素読出し撮像時の縦方向撮像領域設定レジスタ３７１および単眼全画素読出し撮像時の横方向撮像領域設定レジスタ３８１に保持されている。
（５１）撮像素子１３４において読み出す領域（画素データ読出領域４３７）の水平方向の画素数Ｈ５０
（５２）撮像素子１３４において読み出す領域（画素データ読出領域４３７）の垂直方向の画素数Ｖ５０
（５３）撮像素子１３４において、画素が配列されているアレイ端から読出開始位置までの水平方向の画素数および垂直方向までの画素数
（５４）撮像素子１３４において、垂直同期信号から垂直方向の画素読み出し開始までの垂直バックポーチ期間
（５５）撮像素子１３４において、水平同期信号から水平方向の画素読み出し開始までの水平バックポーチ期間
【０２８５】
これらの設定値は、予め設定しておくようにしてもよく、ユーザ操作により、信号線Ｌ２を介して、単眼全画素読出し撮像時の縦方向撮像領域設定レジスタ３７１および単眼全画素読出し撮像時の横方向撮像領域設定レジスタ３８１に設定されるようにしてもよい。
【０２８６】
図３６（ｂ）には、画素データ読出領域４３７における読出開始位置４３８および読出走査方向を示す。この例では、横１４４０画素×縦１９２０画素の撮像素子１３４から、その一部の画像データ（横４８０画素×縦６４０画素）が読み出される。また、撮像素子１３５および１３６からの読出は行われない。このように読み出された画像データを用いて、横対縦の比が３：４の約３１万画素（横４８０画素×縦６４０画素）の画像が生成される。このように生成された画像の表示例を図３７に示す。
【０２８７】
このように、画素データ読出領域４３７は、撮像素子１３４の一部から読出しを行い、撮像素子１３５および１３６からの読出しを行わない例である。また、第５の読出方法により読み出された画像データに基づいて生成される画像は、例えば、第４の読出方法により生成される画像よりも無線伝送に適する画像（すなわち、データ量が少ない画像）である。
【０２８８】
図３７は、本発明の第１の実施の形態における表示部１４０における画像の表示例を示す図である。図３７に示す例は、図３６に示す第５の読出方法により読み出された画像データを表示する表示例である。
【０２８９】
図３７（ａ）には、携帯電話装置１００による撮像処理の撮像対象となる被写体５００を示す。図３７（ａ）に示す例は、画素データ読出領域が変更された点以外は、図２９（ａ）に示す例と略同様である。このため、図２９（ａ）と共通する部分には同一の符号を付して、その部分についての説明を省略する。なお、撮像範囲５１１乃至５１３のうち、図３６に示す画素データ読出領域４３７に対応する領域の輪郭を太線で示す。
【０２９０】
図３７（ｂ）には、被写体５００を撮像対象とした場合に、図３６に示す第５の読出方法により読み出された画像データを表示部１４０に表示する表示例を示す。
【０２９１】
上述したように、表示部１４０の横対縦の比は４：３であるため、横対縦の比が３：４である画像を表示部１４０の全画面に表示させることができない。そこで、例えば、第４の読出方法と同様に、横対縦の比が３：４の画像を解像度変換して表示させる。例えば、その画像の縦方向の画素数が表示部１４０の縦方向の画素数と略同一となり、横対縦の比が３：４となるように、画像を水平方向および垂直方向に解像度変換する。
【０２９２】
図３７（ｂ）に示すように、解像度変換がされた画像を、表示部１４０における水平方向の中央部分（撮像画像表示領域５３１）に表示させる。ここで、表示された画像の左右の余白部分（余白画像表示領域５３２および５３３）には、例えば、単一色の画像を表示させることができる。
【０２９３】
なお、第５の読出方法により読み出されて生成された画像の横対縦の比が、表示装置の横対縦の比と同じでない場合には、第１の読出方法と同様に表示させることができる。
【０２９４】
図３７（ｃ）には、撮像素子１３４乃至１３６から読み出された画素データを表示する場合における表示部１４０における走査方向を示す。この走査方向については、図６（ｃ）に示す例と同様であるため、ここでの説明を省略する。
【０２９５】
ここで、撮像素子１３４乃至１３６の画素データの読出に関する各設定値は、上述したように、図１３に示すレジスタ３７０および３８０に保持されるとともに、撮像制御部２０１に保持される。そして、第２の筐体１２０が横長状態である場合には、図１等に示す撮像範囲切替スイッチ１１１がユーザが押下される毎に、第１の読出方法乃至第５の読出方法が切り替えられる。この場合に、撮像範囲切替スイッチ１１１が押下される毎に、撮像制御部２０１がその押下を検出し、第１の読出方法乃至第５の読出方法を順次切り替える。また、例えば、携帯電話装置１００が起動した直後に、第２の筐体１２０が横長状態である場合には、第１の読出方法を設定することができる。
【０２９６】
［画素間引きおよび画素加算の例］
以上では、第１の読出方法乃至第５の読出方法として、画素データ読出領域に含まれる全ての画素を読み出す例について説明した。しかしながら、使用目的に応じて、高精細な画像が必要でない場合も想定される。そこで、以下では、画素データ読出領域に含まれる各画素のうちの一部を読み出して消費電力を低減させる例について説明する。
【０２９７】
以下で示す第６の読出方法乃至第１０の読出方法は、撮像素子１３４乃至１３６において画素間引き処理を行うことにより、画素データ読出領域に含まれる各画素のうちの一部を読み出す例である。なお、以下での説明は省略するが、撮像素子１３４乃至１３６において画素加算処理を行うことにより、画素データ読出領域に含まれる各画素のうちの一部を読み出すようにしてもよい。
【０２９８】
［３眼横長広角画像撮像モードの間引き例］
最初に、第６の読出方法について、図２８および図２９を参照して説明する。第６の読出方法は、第１の読出方法に対応するものであり、図２８に示す画素データ読出領域４０３乃至４０５において、縦方向で１／２の画素間引き読み出しを行い、横方向で１／２の間引き読出しを行う例である。すなわち、横１４４０画素×縦１９２０画素の撮像素子１３４における画素データ読出領域４０３から、縦方向および横方向において１／２に間引きされた画像データ（横７２０画素×縦７２０画素）が読み出される。また、横１９２０画素×縦１４４０画素の撮像素子１３５および１３６における画素データ読出領域４０４および４０５から、縦方向および横方向において１／２に間引きされた画像データ（横９６０画素×縦７２０画素）が読み出される。このように読み出された画像データを合成する場合には、横対縦の比が１１：３の約１９０万画素（横２６４０画素×縦７２０画素）の画像が生成される。この画像は、図２９に示す例と同様に、水平方向に比較的広い画角であり、かつ、ＶＧＡ画像よりも高精細な画像である。また、第１の読出方法よりも少ない消費電力により生成することができる。
【０２９９】
この読出し動作を行う場合における撮像素子１３４乃至１３６の画素データの読出に関する各設定値が、図１３に示すレジスタ３７０および３８０に保持されている。具体的には、上述した（１１）乃至（１７）の設定値が、複眼画素間引き読出し撮像時の縦方向撮像領域設定レジスタ３７５および複眼画素間引き読出し撮像時の横方向撮像領域設定レジスタ３８５に保持されている。また、水平方向および垂直方向の間引き間隔が、複眼画素間引き読出し撮像時の縦方向画素間引き間隔設定レジスタ３７６および複眼画素間引き読出し撮像時の横方向画素間引き間隔設定レジスタ３８６に保持されている。
【０３００】
これらの設定値は、予め設定しておくようにしてもよく、ユーザ操作により、信号線Ｌ２を介して設定されるようにしてもよい。
【０３０１】
［３眼横長狭角画像撮像モードの間引き例］
次に、第７の読出方法について、図３０および図３１を参照して説明する。第７の読出方法は、第２の読出方法に対応するものであり、図３０に示す画素データ読出領域４２１乃至４２３において、縦方向で１／２の画素間引き読み出しを行い、横方向で１／２の間引き読出しを行う例である。すなわち、横１４４０画素×縦１９２０画素の撮像素子１３４における画素データ読出領域４２１から、縦方向および横方向において１／２に間引きされた画像データ（横７２０画素×縦７２０画素）が読み出される。また、横１９２０画素×縦１４４０画素の撮像素子１３５および１３６における画素データ読出領域４２２および４２３から、縦方向および横方向において１／２に間引きされた画像データ（横２４０画素×縦７２０画素）が読み出される。このように読み出された画像データを合成する場合には、横対縦の比が４：３の約６９万画素（横９６０画素×縦７２０画素）の画像が生成される。この画像は、図３１に示す例と同様に、水平方向に比較的広い画角であり、かつ、ＶＧＡ画像よりも高精細な画像である。また、第２の読出方法よりも少ない消費電力により生成することができる。
【０３０２】
この読出し動作を行う場合における撮像素子１３４乃至１３６の画素データの読出に関する各設定値が、図１３に示すレジスタ３７０および３８０に保持されている。具体的には、上述した（１１）乃至（２７）の設定値が、複眼画素間引き読出し撮像時の縦方向撮像領域設定レジスタ３７５および複眼画素間引き読出し撮像時の横方向撮像領域設定レジスタ３８５に保持されている。また、水平方向および垂直方向の間引き間隔が、複眼画素間引き読出し撮像時の縦方向画素間引き間隔設定レジスタ３７６および複眼画素間引き読出し撮像時の横方向画素間引き間隔設定レジスタ３８６に保持されている。
【０３０３】
これらの設定値は、予め設定しておくようにしてもよく、ユーザ操作により、信号線Ｌ２を介して設定されるようにしてもよい。
【０３０４】
［単眼横長画像撮像モードの間引き例］
次に、第８の読出方法について、図３２および図３３を参照して説明する。第８の読出方法は、第３の読出方法に対応するものであり、図３２に示す画素データ読出領域４３１において、縦方向で１／２の画素間引き読み出しを行い、横方向で１／２の間引き読出しを行う例である。すなわち、横１４４０画素×縦１９２０画素の撮像素子１３４における画素データ読出領域４３１から、縦方向および横方向において１／２に間引きされた画像データ（横７２０画素×縦５４０画素）が読み出される。このように読み出された画像データを合成する場合には、横対縦の比が４：３の約３９万画素（横７２０画素×縦５４０画素）の画像が生成される。この画像は、図３３に示す例と同一の画角であり、かつ、ＶＧＡ画像よりも高精細な画像である。また、第３の読出方法よりも少ない消費電力により生成することができる。
【０３０５】
この読出し動作を行う場合における撮像素子１３４の画素データの読出に関する各設定値が、図１３に示すレジスタ３７０および３８０に保持されている。具体的には、上述した（３１）乃至（３５）の設定値が、単眼画素間引き読出し撮像時の縦方向撮像領域設定レジスタ３７２および単眼画素間引き読出し撮像時の横方向撮像領域設定レジスタ３８２に保持されている。また、水平方向および垂直方向の間引き間隔が、単眼画素間引き読出し撮像時の縦方向画素間引き間隔設定レジスタ３７３および単眼画素間引き読出し撮像時の横方向画素間引き間隔設定レジスタ３８３に保持されている。
【０３０６】
これらの設定値は、予め設定しておくようにしてもよく、ユーザ操作により、信号線Ｌ２を介して設定されるようにしてもよい。
【０３０７】
［単眼縦長画像撮像モードの間引き例］
次に、第９の読出方法について、図３４および図３５を参照して説明する。第９の読出方法は、第４の読出方法に対応するものであり、図３４に示す画素データ読出領域４３５において、縦方向で１／２の画素間引き読み出しを行い、横方向で１／２の間引き読出しを行う例である。すなわち、横１４４０画素×縦１９２０画素の撮像素子１３４における画素データ読出領域４３５から、縦方向および横方向において１／２に間引きされた画像データ（横７２０画素×縦９６０画素）が読み出される。このように読み出された画像データを合成する場合には、横対縦の比が３：４の約６９万画素（横７２０画素×縦９６０画素）の画像が生成される。この画像は、図３５に示す例と同一の画角であり、かつ、ＶＧＡ画像よりも高精細な画像である。また、第４の読出方法よりも少ない消費電力により生成することができる。
【０３０８】
この読出し動作を行う場合における撮像素子１３４の画素データの読出に関する各設定値が、図１３に示すレジスタ３７０および３８０に保持されている。具体的には、上述した（３１）乃至（３５）の設定値が、単眼画素間引き読出し撮像時の縦方向撮像領域設定レジスタ３７２および単眼画素間引き読出し撮像時の横方向撮像領域設定レジスタ３８２に保持されている。また、水平方向および垂直方向の間引き間隔が、単眼画素間引き読出し撮像時の縦方向画素間引き間隔設定レジスタ３７３および単眼画素間引き読出し撮像時の横方向画素間引き間隔設定レジスタ３８３に保持されている。
【０３０９】
これらの設定値は、予め設定しておくようにしてもよく、ユーザ操作により、信号線Ｌ２を介して設定されるようにしてもよい。
【０３１０】
［単眼縦長小領域画像撮像モードの間引き例］
次に、第１０の読出方法について、図３６および図３７を参照して説明する。第１０の読出方法は、第５の読出方法に対応するものであり、図３６に示す画素データ読出領域４３７において、縦方向で１／２の画素間引き読み出しを行い、横方向で１／２の間引き読出しを行う例である。すなわち、横１４４０画素×縦１９２０画素の撮像素子１３４における画素データ読出領域４３７から、縦方向および横方向において１／２に間引きされた画像データ（横２４０画素×縦３２０画素）が読み出される。このように読み出された画像データを合成する場合には、横対縦の比が３：４の約８万画素（横２４０画素×縦３２０画素）の画像が生成される。この画像は、図３７に示す例と同一の画角である。また、第５の読出方法よりも少ない消費電力により生成することができる。
【０３１１】
この読出し動作を行う場合における撮像素子１３４の画素データの読出に関する各設定値が、図１３に示すレジスタ３７０および３８０に保持されている。具体的には、上述した（５１）乃至（５５）の設定値が、単眼画素間引き読出し撮像時の縦方向撮像領域設定レジスタ３７２および単眼画素間引き読出し撮像時の横方向撮像領域設定レジスタ３８２に保持されている。また、水平方向および垂直方向の間引き間隔が、単眼画素間引き読出し撮像時の縦方向画素間引き間隔設定レジスタ３７３および単眼画素間引き読出し撮像時の横方向画素間引き間隔設定レジスタ３８３に保持されている。
【０３１２】
これらの設定値は、予め設定しておくようにしてもよく、ユーザ操作により、信号線Ｌ２を介して設定されるようにしてもよい。
【０３１３】
［第２の筐体の縦長状態における撮像モードの制御例］
次に、第２の筐体１２０を縦長状態とした場合における各撮像素子からの画像データの読出方法および読み出された画像データの表示方法について説明する。また、本発明の第１の実施の形態では、第２の筐体１２０を縦長状態とした場合における撮像モードとして４種類の撮像モードを示す。ここで、例えば、第２の筐体１２０を縦長状態として撮影が行われている場合には、ユーザには横長の広角画像を撮影する意思がないと想定される。そこで、本発明の第１の実施の形態では、第２の筐体１２０を縦長状態とされている場合には、水平方向に比較的狭い範囲の画像を生成する例を示す。
【０３１４】
［３眼横長狭角画像撮像の制御例］
第１１の読出方法は、上述した第２の読出方法と同様に、デジタルスチルカメラ等の撮像装置のユーザが広く慣れ親しんでいる横長の画像を読み出す方法である。例えば、撮像素子１３４の一部の領域を読み出すとともに、撮像素子１３５および１３６の一部の領域を読み出す。このため、第１１の読出方法として、上述した第２の読出方法と同様の画素データ読出領域４２１乃至４２３（図３０に示す）において、全画素を読み出す例について説明する。
【０３１５】
なお、画素データ読出領域４２１乃至４２３、これに関連する各設定値のレジスタ３７０および３８０の保持内容については、図３０（ａ）に示す例と同様であるため、ここでの説明を省略する。また、画素データ読出領域４２１乃至４２３における読出開始位置４２４乃至４２６および読出走査方向についても、図３０（ｂ）に示す例と同様であるため、ここでの説明を省略する。また、生成された合成画像の表示例を図３８に示す。
【０３１６】
図３８は、本発明の第１の実施の形態における表示部１４０における画像の表示例を示す図である。図３８に示す例は、第１１の読出方法により読み出された画像データを表示する表示例である。
【０３１７】
図３８（ａ）には、携帯電話装置１００による撮像処理の撮像対象となる被写体５００を示す。図３８（ａ）に示す例は、画素データ読出領域が変更された点以外は、図２９（ａ）に示す例と略同様である。このため、図２９（ａ）と共通する部分には同一の符号を付して、その部分についての説明を省略する。なお、撮像範囲５１１乃至５１３のうち、図３０に示す画素データ読出領域４２１乃至４２３に対応する領域の輪郭を太線で示す。
【０３１８】
図３８（ｂ）には、被写体５００を撮像対象とした場合に、第１１の読出方法により読み出された画像データを表示部１４０に表示する表示例を示す。なお、図３８（ｂ）には、第１の筐体１１０を縦長状態にした場合を示す。また、第１の筐体１１０を縦長状態にした場合における表示部１４０の横対縦の比は３：４となる。
【０３１９】
上述したように、表示部１４０の横対縦の比は３：４であるため、生成された画像の横対縦の比が４：３である画像を表示部１４０の全画面に表示させることができない。そこで、例えば、第１の読出方法と同様に、横対縦の比が４：３の画像を解像度変換して表示させる。例えば、その画像の横方向の画素数が表示部１４０の横方向の画素数と略同一となり、横対縦の比が４：３となるように、画像を水平方向および垂直方向に解像度変換する。
【０３２０】
図３８（ｂ）に示すように、解像度変換がされた画像を、表示部１４０における垂直方向の中央部分（撮像画像表示領域５４１）に表示させる。ここで、表示された画像の上下の余白部分（余白画像表示領域５４２および５４３）には、例えば、単一色の画像を表示させることができる。
【０３２１】
図３８（ｃ）には、画像メモリ１７０に書き込まれた撮像画像および余白画像を表示する際の表示部１４０の走査方向を模式的に示す。
【０３２２】
［撮像画像の回転処理例］
ここで、第２の筐体１２０が縦長状態である場合において、撮像素子において読み出された画像を、上述した第２の筐体１２０の横長状態と同様に表示部１４０に表示させる場合を想定する。この場合には、第２の筐体１２０が９０度回動しているため、第１の筐体１１０を基準とすると、９０度回動された画像が表示部１４０に表示される。すなわち、ユーザにとっても、表示部１４０に表示された画像に含まれる被写体が、９０度回転された状態となるため、違和感を覚えることになる。そこで、以下では、第２の筐体１２０の回動方向とは反対方向に画像を９０度回転させて表示させる例について説明する。
【０３２３】
図３９は、本発明の第１の実施の形態における表示部１４０に表示される画像を回転させる回転処理を模式的に示す図である。この例では、撮像時における被写体の向きと、撮像素子における走査方向と、画像メモリ１７０への画像データの書き込み時および読出し時における方向と、表示部１４０における表示の走査方向と、表示部１４０に表示される被写体の向きとの関係を示す。なお、画像メモリ１７０への画像データの書き込みおよび読出しは、ＤＳＰ２００により行われる。
【０３２４】
図３９（ａ）には、撮像素子１３４乃至１３６において、走査方向に読み出された撮像画像５４５が、その走査方向でＤＳＰ２００により画像メモリ１７０に書き込まれた状態を模式的に示す。図３９（ａ）では、撮像素子１３４乃至１３６における走査方向を矢印で示す。
【０３２５】
図３９（ｂ）には、画像メモリ１７０に書き込まれた撮像画像５４５について、撮像素子１３４乃至１３６の走査方向と直交する方向に走査しながら読み出す状態を模式的に示す。図３９（ｂ）では、画像メモリ１７０から読み出される撮像画像５４５の走査方向を矢印で示す。
【０３２６】
図３９（ｃ）には、図３９（ｂ）に示す走査方向で画像メモリ１７０から読み出された撮像画像５４５について、図３９（ａ）に示す方向と同一の方向で走査しながら画像メモリ１７０へ書き戻す状態を模式的に示す。図３９（ｃ）では、画像メモリ１７０に書き込まれる撮像画像５４５の走査方向を矢印で示す。このように、撮像素子１３４乃至１３６の走査方向と直交する方向に走査しながら画像メモリ１７０から読み出された撮像画像５４５について、この読み出された方向で走査しながら画像メモリ１７０へ書き戻す。これにより、撮像素子１３４乃至１３６から読み出された撮像画像５４５を９０°回転させた状態で、画像メモリ１７０に保持させることができる。
【０３２７】
図３９（ｄ）には、図３９（ｃ）に示す走査方向で画像メモリ１７０に書き込まれた撮像画像５４５に余白画像５４６および５４７を付加した状態を模式的に示す。余白画像５４６および５４７は、図３８（ｂ）に示す余白画像表示領域５４２および５４３に表示される画像である。
【０３２８】
図３９（ｅ）には、画像メモリ１７０に書き込まれた撮像画像５４５、余白画像５４６および５４７を、最初の書き込み時と同じ方向で走査しながら読み出す状態を模式的に示す。図３９（ｅ）に示す状態で読み出された撮像画像５４５、余白画像５４６および５４７を表示部１４０に表示させることにより、ユーザに違和感を与えない画像を表示させることができる。図３９（ｅ）に示す状態で読み出された撮像画像５４５、余白画像５４６および５４７を表示部１４０に表示させる表示例は、図３８（ｂ）に示す。
【０３２９】
［単眼横長画像撮像モードの制御例］
第１２の読出方法は、上述した第１１の読出方法と同様に、デジタルスチルカメラ等の撮像装置のユーザが広く慣れ親しんでいる横長の画像を読み出す方法である。例えば、撮像素子１３４の横方向の略全ての領域を読み出すとともに、縦方向では横方向よりも画素数の少ない領域を読み出す。なお、撮像素子１３５および１３６からの読出しは行わない。このため、第１２の読出方法として、上述した第３の読出方法と同様の画素データ読出領域４３１（図３２に示す）において、全画素を読み出す例について説明する。
【０３３０】
なお、画素データ読出領域４３１、および、これに関連する各設定値のレジスタ３７０および３８０の保持内容については、図３２（ａ）に示す例と同様であるため、ここでの説明を省略する。また、画素データ読出領域４３１における読出開始位置４３２および読出走査方向についても、図３２（ｂ）に示す例と同様であるため、ここでの説明を省略する。また、生成された合成画像の表示例を図４０に示す。
【０３３１】
図４０は、本発明の第１の実施の形態における表示部１４０における画像の表示例を示す図である。図４０に示す例は、第１２の読出方法により読み出された画像データを表示する表示例である。
【０３３２】
図４０（ａ）には、携帯電話装置１００による撮像処理の撮像対象となる被写体５００を示す。図４０（ａ）に示す例は、画素データ読出領域が変更された点以外は、図２９（ａ）に示す例と略同様である。このため、図２９（ａ）と共通する部分には同一の符号を付して、その部分についての説明を省略する。なお、撮像範囲５１１乃至５１３のうち、図３２に示す画素データ読出領域４３１に対応する領域の輪郭を太線で示す。
【０３３３】
図４０（ｂ）には、被写体５００を撮像対象とした場合に、第１２の読出方法により読み出された画像データを表示部１４０に表示する表示例を示す。なお、図４０（ｂ）に表示例は、図３９に示す回転処理により回転された撮像画像の表示例である。
【０３３４】
上述したように、表示部１４０の横対縦の比は３：４であるため、生成された画像の横対縦の比が４：３である画像を表示部１４０の全画面に表示させることができない。そこで、例えば、第１１の読出方法と同様に、横対縦の比が４：３の画像を解像度変換して表示させる。例えば、その画像の横方向の画素数が表示部１４０の横方向の画素数と略同一となり、横対縦の比が４：３となるように、画像を水平方向および垂直方向に解像度変換する。
【０３３５】
図４０（ｂ）に示すように、解像度変換がされた画像を、表示部１４０における垂直方向の中央部分（撮像画像表示領域５５１）に表示させる。ここで、表示された画像の上下の余白部分（余白画像表示領域５５２および５５３）には、例えば、単一色の画像を表示させることができる。
【０３３６】
図４０（ｃ）には、撮像素子１３４から読み出された画素データを表示する場合における表示部１４０における走査方向を示す。
【０３３７】
［単眼縦長画像撮像モードの制御例］
第１３の読出方法は、携帯電話装置のユーザが広く慣れ親しんでいる縦長の画像を読み出す方法であり、例えば、撮像素子１３４の全ての領域を読み出す。なお、撮像素子１３５および１３６からの読出しは行わない。このため、第１３の読出方法として、上述した第４の読出方法と同様の画素データ読出領域４３５（図３４に示す）において、全画素を読み出す例について説明する。
【０３３８】
なお、画素データ読出領域４３５、および、これに関連する各設定値のレジスタ３７０および３８０の保持内容については、図３４（ａ）に示す例と同様であるため、ここでの説明を省略する。また、画素データ読出領域４３５における読出開始位置４３６および読出走査方向についても、図３４（ｂ）に示す例と同様であるため、ここでの説明を省略する。また、生成された合成画像の表示例を図４１に示す。
【０３３９】
図４１は、本発明の第１の実施の形態における表示部１４０における画像の表示例を示す図である。図４１に示す例は、第１３の読出方法により読み出された画像データを表示する表示例である。
【０３４０】
図４１（ａ）には、携帯電話装置１００による撮像処理の撮像対象となる被写体５００を示す。図４１（ａ）に示す例は、画素データ読出領域が変更された点以外は、図２９（ａ）に示す例と略同様である。このため、図２９（ａ）と共通する部分には同一の符号を付して、その部分についての説明を省略する。なお、撮像範囲５１１乃至５１３のうち、図３２に示す画素データ読出領域４３５に対応する領域の輪郭を太線で示す。
【０３４１】
図４１（ｂ）には、被写体５００を撮像対象とした場合に、第１３の読出方法により読み出された画像データを表示部１４０に表示する表示例を示す。なお、図４１（ｂ）に表示例は、図３９に示す回転処理により回転された撮像画像の表示例である。
【０３４２】
上述したように、表示部１４０の横対縦の比は３：４であり、生成された画像の横対縦の比が３：４であるため、その画像を表示部１４０の全画面に表示させることができる。例えば、画像のサイズが表示部１４０の画素数と同一となるように解像度変換し、表示部１４０に表示させる。また、この場合には、余白画像表示領域が不要となる。
【０３４３】
なお、第１３の読出方法により読み出されて生成された画像の横対縦の比が、表示装置の横対縦の比と同じでない場合には、第１２の読出方法と同様に表示させることができる。この場合に、例えば、表示された合成画像の上下の余白部分（余白画像表示領域）には、例えば、単一色を表示させる。
【０３４４】
図４１（ｃ）には、撮像素子１３４から読み出された画素データを表示する場合における表示部１４０における走査方向を示す。
【０３４５】
［単眼縦長小領域画像撮像モードの制御例］
第１４の読出方法は、携帯電話装置のユーザが広く慣れ親しんでいる縦長の画像を読み出す方法であり、例えば、撮像素子１３４の一部の領域を読み出す。なお、撮像素子１３５および１３６からの読出しは行わない。このため、第１４の読出方法として、上述した第５の読出方法と同様の画素データ読出領域４３７（図３６に示す）において、全画素を読み出す例について説明する。
【０３４６】
なお、画素データ読出領域４３７、および、これに関連する各設定値のレジスタ３７０および３８０の保持内容については、図３６（ａ）に示す例と同様であるため、ここでの説明を省略する。また、画素データ読出領域４３７における読出開始位置４３８および読出走査方向についても、図３６（ｂ）に示す例と同様であるため、ここでの説明を省略する。また、生成された合成画像の表示例を図４２に示す。
【０３４７】
図４２は、本発明の第１の実施の形態における表示部１４０における画像の表示例を示す図である。図４２に示す例は、第１４の読出方法により読み出された画像データを表示する表示例である。
【０３４８】
図４２（ａ）には、携帯電話装置１００による撮像処理の撮像対象となる被写体５００を示す。図４２（ａ）に示す例は、画素データ読出領域が変更された点以外は、図２９（ａ）に示す例と略同様である。このため、図２９（ａ）と共通する部分には同一の符号を付して、その部分についての説明を省略する。なお、撮像範囲５１１乃至５１３のうち、図３６に示す画素データ読出領域４３７に対応する領域の輪郭を太線で示す。
【０３４９】
図４２（ｂ）には、被写体５００を撮像対象とした場合に、第１４の読出方法により読み出された画像データを表示部１４０に表示する表示例を示す。なお、図４２（ｂ）に表示例は、図３９に示す回転処理により回転された撮像画像の表示例である。
【０３５０】
上述したように、表示部１４０の横対縦の比は３：４であり、生成された画像の横対縦の比が３：４であるため、その画像を表示部１４０の全画面に表示させることができる。例えば、画像のサイズが表示部１４０の画素数と同一となるように解像度変換し、表示部１４０に表示させる。また、この場合には、余白画像表示領域が不要となる。
【０３５１】
なお、第１４の読出方法により読み出されて生成された画像の横対縦の比が、表示装置の横対縦の比と同じでない場合には、第１２の読出方法と同様に表示させることができる。この場合に、例えば、表示された合成画像の上下の余白部分（余白画像表示領域）には、例えば、単一色を表示させる。
【０３５２】
図４２（ｃ）には、撮像素子１３４から読み出された画素データを表示する場合における表示部１４０における走査方向を示す。
【０３５３】
ここで、撮像素子１３４乃至１３６の画素データの読出に関する各設定値は、上述したように、図１３に示すレジスタ３７０および３８０に保持されるとともに、撮像制御部２０１に保持される。そして、第２の筐体１２０が縦長状態である場合には、図１等に示す撮像範囲切替スイッチ１１１がユーザが押下される毎に、第１１の読出方法乃至第１４の読出方法が切り替えられる。この場合に、撮像範囲切替スイッチ１１１が押下される毎に、撮像制御部２０１がその押下を検出し、第１１の読出方法乃至第１４の読出方法を順次切り替える。また、例えば、携帯電話装置１００が起動した直後に、第２の筐体１２０が縦長状態である場合には、第１４の読出方法を設定することができる。
【０３５４】
［画素間引きおよび画素加算の例］
以上では、第１１の読出方法乃至第１４の読出方法として、画素データ読出領域に含まれる全ての画素を読み出す例について説明した。しかしながら、使用目的に応じて、高精細な画像が必要でない場合も想定される。そこで、以下では、画素データ読出領域に含まれる各画素のうちの一部を読み出して消費電力を低減させる例について説明する。
【０３５５】
以下で示す第１５の読出方法乃至第１８の読出方法は、撮像素子１３４乃至１３６において画素間引き処理を行うことにより、画素データ読出領域に含まれる各画素のうちの一部を読み出す例である。なお、以下での説明は省略するが、撮像素子１３４乃至１３６において画素加算処理を行うことにより、画素データ読出領域に含まれる各画素のうちの一部を読み出すようにしてもよい。
【０３５６】
［３眼横長狭角画像撮像モードの間引き例］
最初に、第１５の読出方法について、図３８を参照して説明する。第１５の読出方法は、第１１の読出方法に対応するものであり、図３０に示す画素データ読出領域４２１乃至４２３において、縦方向で１／２の画素間引き読み出しを行い、横方向で１／２の間引き読出しを行う例である。なお、これらの間引き処理については、第７の読出方法に示す例と同様であるため、ここでの詳細な説明を省略する。また、これらの間引き処理における撮像素子１３４乃至１３６の画素データの読出に関する各設定値のレジスタ３７０および３８０の保持内容についても、第７の読出方法に示す例と同様であるため、ここでの詳細な説明を省略する。
【０３５７】
［単眼横長画像撮像モードの間引き例］
次に、第１６の読出方法について、図４０を参照して説明する。第１６の読出方法は、第１２の読出方法に対応するものであり、図３２に示す画素データ読出領域４３１において、縦方向で１／２の画素間引き読み出しを行い、横方向で１／２の間引き読出しを行う例である。なお、これらの間引き処理については、第８の読出方法に示す例と同様であるため、ここでの詳細な説明を省略する。また、これらの間引き処理における撮像素子１３４乃至１３６の画素データの読出に関する各設定値のレジスタ３７０および３８０の保持内容についても、第８の読出方法に示す例と同様であるため、ここでの詳細な説明を省略する。
【０３５８】
［単眼縦長画像撮像モードの間引き例］
次に、第１７の読出方法について、図４１を参照して説明する。第１７の読出方法は、第１３の読出方法に対応するものであり、図３４に示す画素データ読出領域４３５において、縦方向で１／２の画素間引き読み出しを行い、横方向で１／２の間引き読出しを行う例である。なお、これらの間引き処理については、第９の読出方法に示す例と同様であるため、ここでの詳細な説明を省略する。また、これらの間引き処理における撮像素子１３４乃至１３６の画素データの読出に関する各設定値のレジスタ３７０および３８０の保持内容についても、第９の読出方法に示す例と同様であるため、ここでの詳細な説明を省略する。
【０３５９】
［単眼縦長小領域画像撮像モードの間引き例］
次に、第１８の読出方法について、図４２を参照して説明する。第１８の読出方法は、第１４の読出方法に対応するものであり、図３６に示す画素データ読出領域４３７において、縦方向で１／２の画素間引き読み出しを行い、横方向で１／２の間引き読出しを行う例である。なお、これらの間引き処理については、第１０の読出方法に示す例と同様であるため、ここでの詳細な説明を省略する。また、これらの間引き処理における撮像素子１３４乃至１３６の画素データの読出に関する各設定値のレジスタ３７０および３８０の保持内容についても、第１０の読出方法に示す例と同様であるため、ここでの詳細な説明を省略する。
【０３６０】
［モニタリング動作時における読出例］
次に、モニタリング動作が行われている場合における画素データの読出方法について説明する。例えば、静止画を記録するための静止画記録モードが設定されている場合には、静止画の記録指示操作が行われるまでの間、モニタリング動作が行われる。このモニタリング動作は、例えば、静止画の記録指示操作を行う前に、携帯電話装置１００の向きや被写体の大きさが適切であるか否かを確認するためのモニタリング画像を表示部１４０に表示させる動作である。このモニタリング画像は、携帯電話装置１００の向きや被写体の大きさが適切であるか否かをユーザが確認するための画像であり、記録するための画像ではない。このため、記録するための画像と比較して、高精細な画像としなくてもよい。
【０３６１】
また、一般に、撮像装置が備える表示装置の画素数は、撮像装置が備える撮像素子の画素数の数十分の一であることが多い。このため、モニタリング動作が行われている場合において、画像の記録動作時よりも撮像素子から読み出す画素数を削減することができる。一方、モニタリング画像は、携帯電話装置１００の向きや被写体の大きさを確認するための画像であるため、モニタリング画像の画角は、記録動作の場合と同一であることが好ましい。そこで、以下では、モニタリング動作が行われている場合において、記録動作の場合と画角を同一とし、読み出す画素数を削減するモニタリング画像の読出し方法について説明する。
【０３６２】
例えば、第１の読出方法乃至第５の読出方法の何れかが設定されている場合において、モニタリング動作が行われている場合には、上述した第６の読出方法乃至第１０の読出方法と同様に、画素間引き処理を行うことにより、読み出す画素数を削減する。この場合に、上述した第６の読出方法乃至第１０の読出方法で示した間引き率（１／２）よりも大きい間引き率とすることができる。
【０３６３】
また、例えば、第６の読出方法乃至第１０の読出方法の何れかが設定されている場合において、モニタリング動作が行われている場合についても同様に、画素間引き処理を行うことにより、読み出す画素数を削減する。この場合に、上述した間引き率（１／２）よりもさらに大きい間引き率（例えば、１／２に１／Ｍ（：Ｍ＞１（Ｍは整数））を乗算した値）とすることができる。なお、第１１の読出方法乃至第１８の読出方法の何れかが設定され、モニタリング動作が行われている場合についても同様に、読み出す画素数を削減することができる。なお、画素間引き処理の代わりに、画素加算処理を行うことにより、読み出す画素数を削減するようにしてもよい。また、モニタリング画像の表示については、読み出された画素数が異なる以外は、第１の読出方法乃至第５の読出方法の表示例と同様であるため、ここでの説明を省略する。
【０３６４】
［画素間引きおよび画素加算の変形例］
以上では、撮像素子１３４乃至１３６において画素間引きおよび画素加算を行うことにより画像データの画素数を少なくする例を示した。この例では、ＤＳＰ２００において画素間引きおよび画素加算を行う例を示す。
【０３６５】
図８に示す画素加算処理部２２１は、画素加算処理および画素間引き処理を行うものであり、ＤＳＰ２００内部において、画像バッファ２１１乃至２１９の後段の位置、および、デモザイク処理部２２２の前段の位置に配置されている。なお、画素加算処理部２２１の構成は、撮像素子１３４乃至１３６の加算器３５４乃至３５７、３６６と略同様とすることができる。
【０３６６】
画素加算処理部２２１は、例えば、垂直方向の画素加算を行うため、少なくとも画像データの２本以上の水平ラインに含まれる一定量の画像データを保存するデータメモリを有する。また、画素加算処理部２２１は、画像データ上で同一カラムに位置する画像データを画像メモリ１７０から読み出し、読み出された画像データを加算器により加算する加算処理（すなわち、垂直画素の加算処理）を行う。
【０３６７】
また、例えば、水平画素の加算処理を行う場合には、画素加算処理部２２１は、複数カラムの画像データをそれぞれ読み出し、読み出された画像データを加算器により加算する加算処理（すなわち、水平画素の加算処理）を行う。
【０３６８】
また、例えば、垂直画素の加算処理および水平画素の加算処理の双方を行う場合には、複数カラムにおいて垂直画素の加算処理を行い、この加算処理により得られた画像データについて水平画素の加算処理をさらに行う。
【０３６９】
これらの加算処理後に、画素加算処理部２２１は、加算処理後の画像データを後段のデモザイク処理部２２２に出力する。または、画素加算処理部２２１は、加算処理後の画像データを画像メモリ１７０に書き込む。
【０３７０】
また、例えば、画素加算処理部２２１は、加算処理において入力される２つの画像データのうちの１つの画像データを加算器に入力するデータ線は選択信号線を備え、このデータ線とこの選択信号線とのＡＮＤ結果が加算器に入力される。また、画素加算処理部２２１は、他の１つの画像データを保持する。例えば、選択信号線が選択されている場合には、データ線の値が加算器に入力されて画素加算処理が行われる。一方、選択信号線が選択されていない場合には、データ線から加算器に入力される値が０となり、画素加算処理が行われない。この場合には、画素間引き処理となり、加算器の選択信号線を備えていない側のデータ線から入力された画像データが出力される。
【０３７１】
［画素間引きおよび画素加算の画像データの流れを示す例］
図４３は、本発明の第１の実施の形態における撮像素子１３４により画素間引きおよび画素加算が行われた場合における画像データの流れを模式的に示す図である。図４３に示す太線の矢印付近に配置された添え字は、画像データの画素数を表す。図４３に示す例では、画素数が横１９２０画素×縦１４４０画素の撮像素子１３４を用いて、画素データ数を水平方向において１／２を間引きし、垂直方向において１／２を間引きする例を示す。なお、撮像素子１３４を用いて、画素データ数を水平方向において１／２を画素加算し、垂直方向において１／２を画素加算する場合についても同様に表すことができる。図４３に示すように、撮像素子１３４から出力される画像データの画素数（横９６０画素×縦７２０画素）は、撮像素子１３４が有する画素数（横１９２０画素×縦１４４０画素の）よりも小さくなっている。
【０３７２】
図４４は、本発明の第１の実施の形態における画素加算処理部２２１により画素数を変更する場合における画像データの流れを模式的に示す図である。図４４に示す太線の矢印付近に配置された添え字は、画像データの画素数を表す。図４４に示す例では、画素数が横１９２０画素×縦１４４０画素の撮像素子１３４から出力された画像データについて、画素加算処理部２２１が、水平方向における画素データ数を１／２とし、垂直方向における画素データ数を１／２とする例を示す。図４４に示すように、画素加算処理部２２１から出力される画像データの画素数（横９６０画素×縦７２０画素）が、撮像素子１３４が有する画素数および画素加算処理部２２１に入力される画像データの画素数よりも小さくなっている。
【０３７３】
図４５は、本発明の第１の実施の形態における画像メモリ１７０から画像データを読み出す際に画素数を変更する場合における画像データの流れを模式的に示す図である。図４５に示す太線の矢印付近に配置された添え字は、画像データの画素数を表す。図４５に示す例では、画像メモリ１７０から画像データを読み出す際に、画像データ上で一定の画素数毎に間隔を開けて画像データを読み出すことにより、画像データの画素数を小さくする例を示す。すなわち、画素数が横１９２０画素×縦１４４０画素の撮像素子１３４から出力された画像データが画像メモリ１７０に保持される。この画像メモリ１７０に保持されている画像データをデモザイク処理部２２２が読み出す際に、水平方向における画素データ数を１／２とし、垂直方向における画素データ数を１／２として、画像データを読み出す。図４５に示すように、画像メモリ１７０から読み出されデモザイク処理部２２２に入力される画像データの画素数が、撮像素子１３４の画素数と画像バッファ２１１乃至２１３から画像メモリ１７０に書き込まれた画像データの画素数よりも小さくなっている。
【０３７４】
［画像データの領域を変化させる場合の変形例］
この例では、ＤＳＰ２００を用いて画素データを読み出す領域を変化させ、画像データの画素数を小さくする例を示す。
【０３７５】
図４６は、本発明の第１の実施の形態における撮像素子１３４により読出領域を変化させる場合における画像データの流れを模式的に示す図である。図４６に示す太線の矢印付近に配置された添え字は、画像データの画素数を表す。図４６に示す例では、画素数が横１９２０画素×縦１４４０画素の撮像素子１３４を用いて、画素数が横４８０画素×縦６４０画素の画像データを読み出す例を示す。図４６に示すように、撮像素子１３４が有する画素数が横１９２０画素×縦１４４０画素であるのに対し、撮像素子１３４から出力される画像データの画素数が横４８０画素×縦６４０画素となっている。
【０３７６】
図４７は、本発明の第１の実施の形態における画像メモリ１７０から画像データを読み出す際に読出領域を変化させる場合における画像データの流れを模式的に示す図である。図４７に示す太線の矢印付近に配置された添え字は、画像データの画素数を表す。図４７に示す例では、画像メモリ１７０から画像データを読み出す際に、画像データ上で一部の領域の画像データを読み出すことにより、画像データの領域を変化させて画像データの画素数を小さくする例を示す。すなわち、画素数が横１９２０画素×縦１４４０画素の撮像素子１３４から出力された画像データが画像メモリ１７０に保持される。この画像メモリ１７０に保持されている画像データをデモザイク処理部２２２が読み出す際に、画素数が横４８０画素×縦６４０画素の領域に対応する画像データを読み出す。図４７に示すように、撮像素子１３４の画素数および画像バッファ２１１乃至２１３から画像メモリ１７０に書き込まれた画像データの画素数が横１９２０画素×縦１４４０画素である。これに対して、画像メモリ１７０から読み出されてデモザイク処理部２２２に入力される画像データの画素数が横４８０画素×縦６４０画素となる。
【０３７７】
［単眼撮像動作時における２つの撮像系の停止例］
以上では、３つの撮像系のうち、少なくとも１つの撮像系を用いて撮像画像を生成する例について説明した。ここで、例えば、消費電力を低減させるため、撮像画像を生成しない撮像系については、その動作の停止等を行うことが好ましい。そこで、以下では、撮像画像を生成する場合に、撮像画像を生成しない撮像系についてその動作の停止等を行う例を示す。
【０３７８】
［携帯電話装置の構成例］
図４８は、本発明の第１の実施の形態における携帯電話装置１００の機能構成例を示すブロック図である。なお、図４８に示す構成例は、図３に示す構成のうち、第１の撮像系１９１乃至第３の撮像系１９３への電源供給に関する構成以外の構成を省略し、撮像制御部２０１を追加した例である。この例では、撮像系への電源を遮断することにより、撮像系の動作を停止させる例を示す（図５０に示す制御方法１）。なお、電源制御部２０７、電源供給部２０８および電源供給部２０９は、図３に示すものと同一である。このため、以下では、撮像系の動作停止に関する部分を中心に説明し、図３と共通する部分についての説明を省略する。
【０３７９】
例えば、撮像制御部２０１は、撮像素子１３４により生成される画像データのみを使用する撮像動作（単眼撮像動作）が選択された場合には、電源供給部２０９に対して、第２の撮像系１９２および第３の撮像系１９３への電源供給の遮断を指示する。これにより、単眼撮像動作が行われている場合には、撮像動作に使用されていない第２の撮像系１９２および第３の撮像系１９３の動作を停止させることができ、消費電力を削減することができる。なお、第２の撮像系１９２および第３の撮像系１９３への電源供給を遮断する場合には、ＤＳＰ２００から第２の撮像系１９２および第３の撮像系１９３へのクロック信号、垂直同期信号、水平同期信号等の出力を停止することが好ましい。これにより、消費電力をさらに削減することができる。
【０３８０】
図４９は、本発明の第１の実施の形態における携帯電話装置１００の機能構成例を示すブロック図である。なお、図４９に示す各構成例は、撮像動作の停止処理に関する構成のみを簡略化して示す。すなわち、論理積演算回路８０１乃至８０７と、各信号線のみを示す。ここで、論理積演算回路８０１乃至８０７には、２つの入力信号線が接続され、これらの各入力信号線から「Ｈ」信号が入力されたときに「Ｈ」信号を出力信号線に出力する論理積演算（ＡＮＤ）を行う回路である。また、この例では、撮像系の動作を停止させる場合に、停止対象となる撮像系への電源は遮断せずに、停止対象となる撮像系へのクロック供給等を遮断する例を示す。
【０３８１】
図４９（ａ）には、撮像系へのクロック供給を停止させるためのＤＳＰ２００における回路構成例を示す。ここで、信号線８０９は、撮像素子１３４へのクロック信号の信号線であり、信号線８１０は、撮像素子１３５へのクロック信号の信号線であり、信号線８１１は、撮像素子１３６へのクロック信号の信号線である。また、信号線８１２は、撮像素子１３４へのオン／オフ制御信号の信号線であり、信号線８１３は、撮像素子１３５へのオン／オフ制御信号の信号線であり、信号線８１４は、撮像素子１３６へのオン／オフ制御信号の信号線である。また、信号線８１５は、撮像素子１３４へ出力されるクロック信号の信号線であり、信号線８１６は、撮像素子１３５へ出力されるクロック信号の信号線であり、信号線８１７は、撮像素子１３６へ出力されるクロック信号の信号線である。例えば、単眼撮像動作が選択された場合には、撮像制御部２０１が信号線８１２乃至８１４のうち、信号線８１３および８１４の信号を「Ｌ」信号とする。これにより、撮像素子１３５および１３６へのクロック供給が停止される（図５０に示す制御方法２）。
【０３８２】
図４９（ｂ）には、撮像系への電源供給およびクロック供給を遮断させずに、撮像素子１３４乃至１３６内のクロックを生成するための回路の動作を停止させる場合における回路構成例を示す。この例では、図１２に示す逓倍器／分周器３９１、３９２のうちの逓倍器８１８を例にして示す。なお、この例で示す逓倍器８１８は、撮像素子１３５および１３６の逓倍器であるものとする。ここで、信号線８１９は、ＤＳＰ２００からのクロック信号の信号線であり、信号線８２０は、ＤＳＰ２００からの撮像オン／オフ信号の信号線である。また、信号線８２１は、逓倍後のクロック信号の信号線である。例えば、単眼撮像動作が選択された場合には、ＤＳＰ２００が信号線８２０の信号を「Ｌ」信号とする。これにより、撮像素子１３５および１３６内の逓倍器が停止される（図５０に示す制御方法３）。
【０３８３】
図４９（ｃ）には、撮像系への電源供給およびクロック供給と、撮像素子内でのクロックの逓倍器とを遮断させずに、撮像素子１３４乃至１３６内の垂直走査回路および水平走査回路の動作を停止させる場合における回路構成例を示す。ここで、信号線８２３は、垂直走査回路８２２内部の１ライン目における垂直制御信号の信号線であり、信号線８２４は、垂直走査回路８２２内部の２ライン目における垂直制御信号の信号線である。また、信号線８２５および８３１は、ＤＳＰ２００からの撮像オン／オフ信号の信号線であり、信号線８２８および８３０は、撮像素子内の逓倍器／分周器からのクロック信号の信号線である。また、信号線８２６は、垂直走査回路８２２の外部に出力される１ライン目における垂直制御信号の信号線であり、信号線８２７は、垂直走査回路８２２の外部に出力される２ライン目における垂直制御信号の信号線である。また、信号線８３２は、水平走査回路８２９内部へのクロック信号の信号線である。また、信号線８３３は、水平走査回路８２９の外部に出力される１ライン目における水平制御信号の信号線であり、信号線８３４は、水平走査回路８２９の外部に出力される２ライン目における水平制御信号の信号線である。なお、この例では、１ライン目および２ライン目の信号線のみを示し、他のラインの信号線を省略する。例えば、単眼撮像動作が選択された場合には、ＤＳＰ２００が信号線８２５および８３１の信号を「Ｌ」信号とする。これにより、撮像素子１３５および１３６内の垂直走査回路および水平走査回路において、垂直走査信号および水平走査信号の出力が停止される（図５０に示す制御方法４）。ここで、図４９（ｃ）に示す例では、上述した例と比較して、第２の撮像系１９２および第３の撮像系１９３の内部で動作している回路が多いため、上述した例と比較すると消費電力の削減の効果が少ない。しかしながら、撮像素子にクロックが供給され、撮像素子内部の逓倍器も動作しているため、単眼撮像動作から複眼撮像動作への切替操作が行われた場合には、第２の撮像系１９２および第３の撮像系１９３の動作を迅速に再開させることができる。
【０３８４】
また、ＤＳＰ２００から撮像系へ供給する垂直同期信号および水平同期信号を固定することにより、撮像系の動作を停止させるようにしてもよい（図５０に示す制御方法５）。この場合には、各同期信号が入力されないため、撮像素子が画像データの読出動作を行えない状態となる。
【０３８５】
図５０は、本発明の第１の実施の形態における撮像系の動作を停止させるための制御方法と、各信号線との関係を示す図である。図５０に示す一覧表は、上述した各制御方法と、各信号線との関係を示すものである。図５０に示す各制御方法を行うことにより、撮像系の動作を停止させることができる。なお、制御方法１に対応する欄のうち斜線が付された欄の信号線は、出力なしにしておくことが好ましい。また、制御方法２乃至５に対応する欄のうち斜線が付された欄の信号線は、「Ｌ」固定または「Ｈ」固定することが好ましい。また、図５０に示す一覧表に記載されていない信号線（ＤＳＰ２００から撮像系への信号線）については、「Ｈ」出力、「Ｌ」出力、出力不足、出力なしの何れの状態とするようにしてもよい。ただし、消費電力を低減させるため、出力なしの状態にしておくことが好ましい。
【０３８６】
［撮像系からＤＳＰへの画像データの取り込み例］
図５１は、本発明の第１の実施の形態における撮像素子からの出力タイミングと、画像バッファへの書込みの様子を模式的に表すタイミングチャートである。図５１に示す横軸は、時間軸を示す。また、波形７００は、ＤＳＰ２００から各撮像系への水平同期信号を示す。また、横軸７０１乃至７０３は、各撮像系からＤＳＰ２００に出力される画像データの時間遷移を示す。また、横軸７０４乃至７０６は、画像バッファ２１１乃至２１９の書き込み状態の時間遷移を示す。なお、図５１に示す例では、各撮像系に対応する１組の３つの画像バッファの書き込み状態を同一ライン上に示す。
【０３８７】
例えば、第１の撮像系１９１と対向する画像バッファ１Ａ、１Ｂ、１Ｃを例にして説明する。例えば、１個目の画像バッファ１Ａへの撮像素子１３４からの画像データの書込が終了すると、画像バッファ１Ａは、ＤＳＰ２００内部への読み出しを待つ待機状態となる。この画像バッファ１Ａの待機状態の間、２個目の画像バッファ１Ｂへの撮像素子１３４からの画像データの書込が行われる。そして、２個目の画像バッファ１Ｂへの撮像素子１３４からの画像データの書込が終了すると、画像バッファ１Ｂは、ＤＳＰ２００内部への読み出しを待つ待機状態となる。また、２個目の画像バッファ１Ｂへの画像データの書込が終了すると、１個目の画像バッファ１Ａから、ＤＳＰ２００内部への画像データの読出しが行われる。そして、画像バッファ１Ｃの書込みが完了する前に、画像バッファ１Ａからの画像データの読出しが終了し、画像バッファ１Ａについては画像データを書き込める状態となる。続いて、これらの一連の動作が繰り返し行われる。また、画像バッファ２Ａ乃至２Ｃ、画像バッファ３Ａ乃至３Ｃについても同様に行われる。
【０３８８】
ここで、３個の画像バッファに書き込まれたデータを１本のデータバス２０４を用いて読み出す場合には、撮像素子が画像バッファへ書き込んだ時間の少なくとも１／３以下の時間で画像バッファ内の画像データを読み取ることが必要である。
【０３８９】
以下では、撮像素子が各画素の画像データを読み出し、かつ、画像バッファ２１１乃至２１９に書き込むクロック周波数と、画像バッファ２１１乃至２１９の画像データをＤＳＰ２００が読み出すためのクロック周波数との関係について説明する。また、複眼撮像動作の際に画像バッファ２１１乃至２１９の画像データをＤＳＰ２００が読み出すためのクロック周波数と、単眼撮像記録の際に画像バッファ２１１乃至２１９の画像データをＤＳＰ２００が読み出すためのクロック周波数との関係について説明する。
【０３９０】
図５２乃至図５４は、本発明の第１の実施の形態における撮像素子における各画素の読み出しおよび画像バッファへの書き込むためのクロック周波数と、画像バッファから画像データを読み出すためのクロック周波数との関係を示す図である。ここで、図５２乃至図５４に示す横軸の関係は、１ライン中の時間経過を示すものとし、縦軸の関係は、１フレーム中のライン毎の時間経過を示すものとする。なお、図５２に示す例は、図２８に示す第１の読出方法に対応する例（３眼横長広角画像撮像モード）である。また、図５３に示す例は、図３２に示す第３の読出方法に対応する例（単眼横長画像撮像モード）である。また、図５４に示す例は、図３６に示す第５の読出方法に対応する例（単眼縦長小領域画像撮像モード）である。
【０３９１】
図５２（ａ）には、３眼横長広角画像撮像モードが設定されている場合において、撮像素子におけるクロック周波数と、撮像素子からの画像データの出力タイミングとの関係を示す。波形７１０は、３眼横長広角画像撮像モードが設定されている場合において、撮像素子１３４乃至１３６における全領域から全画素を読み出す際に用いられるクロックを示す。また、横軸７１３乃至７１８は、撮像素子１３４乃至１３６から読み出され、画像バッファ２１１乃至２１９に出力される画像データの時間遷移を矩形で模式的に示す。なお、ライン７１９には、画像バッファ２１１に出力される画像データを示し、ライン７２０には、画像バッファ２１２に出力される画像データを示し、ライン７２１には、画像バッファ２１３に出力される画像データを示す。この例では、横軸７１５においてのみ矩形内に異なる符号（Ｄ１１乃至Ｄ１Ｃ等）を付し、他の横軸では矩形内における符号を省略する。また、横軸７１３に示す大きい破線の丸は垂直同期信号のタイミングを示し、横軸７１３乃至７１８に示す小さい点線の丸は水平同期信号のタイミングを示す。なお、以下の図５２乃至図５４に示す横軸についても、同様に、大きい破線の丸および小さい点線の丸を付して、垂直同期信号のタイミングおよび水平同期信号のタイミングを示すものとする。
【０３９２】
図５２（ｂ）には、３眼横長広角画像撮像モードが設定されている場合において、ＤＳＰ２００におけるクロック周波数と、画像バッファからの画像データの読出しタイミングとの関係を示す。波形７２２は、３眼横長広角画像撮像モードが設定されている場合において、ＤＳＰ２００が画像バッファ２１１乃至２１９から画像データを読み出す際に用いられるクロックを示す。また、横軸７２５乃至７３２は、画像バッファ２１１乃至２１９から読み出される画像データの時間遷移を矩形で模式的に示す。この例では、横軸７２９においてのみ矩形に異なる符号（Ｄ１１乃至Ｄ１Ｃ等）を矢印で関連付けし、他の横軸では矩形における符号を省略する。なお、これらの各符号は、図５２（ａ）に示す符号に対応する。また、区間７３３は、撮像素子１３４の読出し区間であり、区間７３４は、撮像素子１３５の読出し区間であり、区間７３５は、撮像素子１３６の読出し区間である。
【０３９３】
ここで、３個の撮像素子１３４乃至１３６から３枚の画像データがＤＳＰ２００に入力されると、この入力された画像データが画像バッファ２１１乃至２１９に書き込まれる。そして、画像バッファ２１１乃至２１９に書き込まれた画像データは、ＤＳＰ２００内の１本のデータバス２０４を介して読み出され、画像メモリとのＩ／Ｆ２０６を介して画像メモリ１７０へ書き込まれる。例えば、３眼横長広角画像撮像モードの設定されている場合を想定する。この場合には、図５２（ａ）および（ｂ）に示すように、撮像素子１３４乃至１３６が画像バッファ２１１乃至２１９へ画像データを書き込んだ時間の１／３以下の時間で各画像バッファ２１１乃至２１９の画像データを読み出す必要がある。
【０３９４】
図５３（ａ）には、単眼横長画像撮像モードが設定されている場合において、撮像素子におけるクロック周波数と、撮像素子からの画像データの出力タイミングとの関係を示す。図５３（ｂ）には、単眼横長画像撮像モードが設定されている場合において、ＤＳＰ２００におけるクロック周波数と、画像バッファからの画像データの読出しタイミングとの関係を示す。波形７３６は、単眼横長画像撮像モードが設定されている場合において、ＤＳＰ２００が画像バッファ２１１乃至２１９から画像データを読み出す際に用いられるクロックを示す。なお、区間７３７は、撮像素子１３４の読出し区間である。また、図５２に示す例と共通する部分には、同一の符号を付す。
【０３９５】
ここで、図５２および図５３を比較すると、３眼横長広角画像撮像モードが設定されている場合には、単眼横長画像撮像モードが設定されている場合と比較して画像データ量が３倍であることが把握できる。このため、３眼横長広角画像撮像モードが設定されている場合には、画像バッファ２１１乃至２１９の画像データを読み出すためのクロック周波数として、３眼横長撮像動作の３倍のクロック周波数が必要となる。また、同様に、３眼横長広角画像撮像モードが設定されている場合に、ＤＳＰ２００内部の画像信号処理を行う場合には、単眼横長画像撮像モードが設定されている場合と比較して３倍のクロック周波数が必要となる。
【０３９６】
図５４（ａ）には、単眼縦長小領域画像撮像モードが設定されている場合において、撮像素子におけるクロック周波数と、撮像素子からの画像データの出力タイミングとの関係を示す。波形７３８は、単眼縦長小領域画像撮像モードが設定されている場合において、撮像素子１３４乃至１３６における特定領域からのみ全画素を読み出す際に用いられるクロックを示す。図５４（ｂ）には、単眼縦長小領域画像撮像モードが設定されている場合において、ＤＳＰ２００におけるクロック周波数と、画像バッファからの画像データの読出しタイミングとの関係を示す。波形７３９は、単眼縦長小領域画像撮像モードが設定されている場合において、ＤＳＰ２００が画像バッファ２１１乃至２１９から画像データを読み出す際に用いられるクロックを示す。なお、区間７４０は、撮像素子１３４の読出し区間である。なお、図５２に示す例と共通する部分には、同一の符号を付す。
【０３９７】
ここで、図５３および図５４を比較すると、単眼縦長小領域画像撮像モードが設定されている場合には、受光面の全画素を読み出す場合と比較して画像データのデータ量が少ないことが把握できる。このため、単眼縦長小領域画像撮像モードが設定されている場合には、画像バッファ２１１の画像データを読み出すためのクロック周波数として、全画素を読み出す場合と比較して小さいクロック周波数が必要となる。また、同様に、ＤＳＰ２００内部の画像信号処理を行う場合には、全画素を読み出す場合と比較して小さいクロック周波数とすることができる。
【０３９８】
［ＤＳＰのデータバスに要求される動作周波数例］
図５５は、本発明の第１の実施の形態における撮像素子１３４により生成された画像データの流れを模式的に示す図である。図５５に示す構成は、図４３に示す構成例と同一であり、各部がデータバス２０４を経由して伝送する画像データのデータフォーマットを追記した点のみが異なる。また、この例では、ＤＳＰ２００における画素加算処理部２２１を使用しないものとし、画像出力は表示部１４０への出力のみとし、外部表示装置への出力は行わないものとする。
【０３９９】
撮像素子１３４から画像バッファ２１１乃至２１３に書き込まれる画像データは、ベイヤーデータ７５０である。また、ＤＳＰ２００に入力された画像データは、ベイヤーデータをＲＧＢ（Ｒ（Red：赤）、Ｇ（Green：緑）、Ｂ（Blue：青））データへ補間するデモザイク処理部２２２の前段までは、ベイヤーデータフォーマットで伝送される。すなわち、画像バッファ２１１乃至２１３から画像メモリ１７０への画像データの書き込みと、デモザイク処理部２２２への画像データの読出しについては、画像データがベイヤーデータフォーマットで伝送される。
【０４００】
ここで、デモザイク処理部２２２によりデモザイク処理された画像データについては、解像度変換処理を行う前までの間、各処理部間を直接受け渡しされる。信号処理の際に扱うデータ量が大きい解像度変換の際には、所望の画像データを所望のタイミングで入力しやすいように画像データをデータバス２０４経由で画像メモリ１７０へ書き込んでおく。そして、解像度変換部２３１および２５１は、画像メモリ１７０から解像度変換処理に必要な画像データを読み込む。
【０４０１】
これにより、記録用画像の解像度変換前にＲＧＢデータフォーマットの画像データがデータバス２０４経由で画像メモリ１７０に書き込まれる。また、画像記録用の解像度変換の際にＲＧＢデータフォーマットの画像データがデータバス２０４経由で画像メモリ１７０から読み出される。
【０４０２】
また、表示部１４０に画像を表示させる場合には、一般的にＹＣｂＣｒフォーマットで画像データを表示部１４０から要求される。このため、表示装置用の解像度変換の前にＹＣｂＣｒデータフォーマットの画像データをデータバス２０４経由で画像メモリ１７０に書き込む。また、画像表示用の解像度変換の際にＹＣｂＣｒデータフォーマットの画像データをデータバス２０４経由で画像メモリ１７０から読み出す。
【０４０３】
ここで、データバス２０４経由で伝送される１枚の画像データのデータ量について説明する。例えば、１枚の画像データが撮像素子１３４からＤＳＰ２００に入力された場合に、この入力された画像データを記録媒体１８０に１枚の画像ファイルとして記録するとともに表示部１４０に表示させる場合を想定して説明する。この場合には、ベイヤーデータの画像データが２枚分と、ＹＣｂＣｒデータの画像データが２枚分と、ＲＧＢデータの画像データが２枚分とがデータバス２０４を経由して伝送される。すなわち、画像バッファ２１１乃至２１３からデモザイク処理部２２２までの間の２枚分の画像データがベイヤーデータフォーマットで伝送される（ベイヤー７５１および７５２）。また、色調整処理部２２６から解像度変換部２３１までの間の２枚分の画像データがＹＣｂＣｒデータフォーマットで伝送される（ＹＣｂＣｒ７５３および７５６）。また、ＲＧＢ変換処理部２２７から解像度変換部２５１までの間の２枚分の画像データがＲＧＢデータフォーマットで伝送される（ＲＧＢ７５４および７５５）。
【０４０４】
ここで、ＹＣｂＣｒデータフォーマットの画像データの１枚分のデータ量は、同一画像サイズのベイヤーフォーマットの画像データの略２倍である。また、ＲＧＢデータフォーマットの画像データの１枚分のデータ量は、同一画像サイズのベイヤーフォーマットの画像データの略３倍である。例えば、１枚分の画像データを、記録媒体１８０に１枚の画像ファイルとして記録するとともに表示部１４０に表示させる場合には、ベイヤーデータフォーマット換算で略１２枚分の画像データをデータバス２０４経由で伝送する必要がある。この画像データの伝送に関する処理を図５６に示す。
【０４０５】
図５６は、本発明の第１の実施の形態におけるデータバス２０４を占有する処理と時間との関係を模式的に示す図である。図５６（ａ）には、上述した撮像素子１３４からＤＳＰ２００に入力された１枚分の画像データを、記録媒体１８０に１枚の画像ファイルとして記録するとともに表示部１４０に表示させる場合におけるデータバス２０４を占有する処理と時間との関係を示す。図５６では横軸を時間軸とし、１フレームを処理する場合における関係を示す。なお、図５５に示す例において、対応する各処理については図５５に示す符号と同一のものを付す。
【０４０６】
図５６（ｂ）には、撮像素子１３４からＤＳＰ２００に入力された１枚分の画像データを、記録媒体１８０に記録せずに、表示部１４０に表示させる場合におけるデータバス２０４を占有する処理と時間との関係を示す。この例は、いわゆるモニタリング画像の表示動作が行われる場合の例である。ここで、モニタリング画像の表示動作が行われる場合には、画像を表示部１４０に表示するが、記録用の画像データを生成しない。すなわち、記録画像の解像度変換の前段で、ＲＧＢデータを画像メモリ１７０へ書き込む処理７５４と、記録画像の解像度変換の際にＲＧＢデータを画像メモリ１７０から読み出す処理７５５とが不要となる。このため、モニタリング画像の表示動作において、撮像素子１３４からＤＳＰ２００に入力された１枚分の画像データを表示部１４０に表示させる場合には、ベイヤーデータフォーマット換算で略６枚分の画像データをデータバス２０４経由で伝送するのみでよい。
【０４０７】
以上で示したように、データバス２０４経由で伝送される画像データのデータ量が算出することができる。以下では、データバス２０４に要求される動作周波数について説明する。
【０４０８】
ここでは、データバス２０４に要求される動作周波数の算出に用いられる変数を示す。
Ｈ：撮像素子において画素データ読出しを行う領域の横方向画素数。
Ｖ：撮像素子において画素データ読出しを行う領域の縦方向画素数。
Ｒ：撮像素子において画素データ読出しを行う際に画素間引き読出しを行う場合の間引き率。
Ｂ：画像の各画素データのビット幅。
Ｆ：撮像素子から入力された画像をＤＳＰ２００において１秒間に画像信号処理できる画像の枚数。
Ｋｂ：撮像素子から入力された１枚の画像を記録媒体１８０へ記録および表示部１４０へ表示するまで間にＤＳＰ２００のデータバス２０４上をベイヤーデータ形式で伝送する必要がある画像の枚数。
Ｋｙ：撮像素子から入力された１枚の画像を記録媒体１８０へ記録および表示部１４０へ表示するまで間にＤＳＰ２００のデータバス２０４上をＹＣｂＣｒデータ形式で伝送する必要がある画像の枚数。
Ｋｒ：撮像素子から入力された１枚の画像を記録媒体１８０へ記録および表示部１４０へ表示するまで間にＤＳＰ２００のデータバス２０４上をＲＧＢデータ形式で伝送する必要がある画像の枚数。
Ｋ：撮像素子から入力された１枚の画像を記録媒体１８０へ記録および表示部１４０へ表示するまで間にＤＳＰ２００のデータバス２０４上を伝送させる画像の枚数をベイヤー画像データ換算で換算した値。
なお、Ｋは次式で求められる。
Ｋ＝Ｋｂ×１＋Ｋｙ×２＋Ｋｒ×３
Ｄ：ＤＳＰ２００のデータバス２０４のビット幅
【０４０９】
これらの変数を用いて、１秒間にＤＳＰ２００へ入力されるデータ量（単位：ビット）ＤＤ１は、式１３により求められる。
ＤＤ１＝Ｈ×Ｖ×Ｒ×Ｂ×Ｆ  …式１３
【０４１０】
また、１秒間にデータバス２０４で伝送すべきデータ量（単位：ビット）ＤＤ２は、式１４により求められる。
ＤＤ２＝Ｈ×Ｖ×Ｒ×Ｂ×Ｆ×Ｋ  …式１４
【０４１１】
また、画像データを伝送させるために必要なデータバス２０４のクロック周波数（単位：Ｈｚ）Ｆｃｌｋは、式１５により求められる。
Ｆｃｌｋ＝Ｈ×Ｖ×Ｒ×Ｂ×Ｆ×Ｋ／（Ｄ−ＤｍｏｄＢ）  …式１５
【０４１２】
ここで、クロック周波数Ｆｃｌｋの好ましい範囲の下限値Ｆｃｌｋ  ｍｉｎは、式１６により求めることができる。
Ｆｃｌｋ  ｍｉｎ＝（Ｈ×Ｖ×Ｒ×Ｂ×Ｆ×Ｋ×１．０）／（Ｄ−ＤｍｏｄＢ）  …式１６
【０４１３】
ここで、データバス２０４上では、データ間に一切の隙間が無く絶えずデータが伝送されているわけではない。このため、データバス２０４を使って伝送する必要があるデータ量に基づいて、データバス２０４の動作周波数を求める場合には、データバス２０４の転送能力に数十％の余裕を持たせておくことが当業者間では広く知られている。
【０４１４】
例えば、数％の余裕を持たせた場合には、持たせた余裕の量が少なすぎるおそれがある。一方、百数十％の余裕を持たせた場合には、余裕を持たせすぎである。これらについても当業者間では広く知られている。例えば、データバス２０４上のデータ伝送の間隔が空いてしまい、データバス２０４の伝送量が低下してしまうのは、数１０％である。このため、データバス２０４の伝送能力として、最大で１００％の余裕を持たせておけば、十分である。このため、クロック周波数Ｆｃｌｋの好ましい範囲の上限値は、以下のようになる。
【０４１５】
ここで、クロック周波数Ｆｃｌｋの好ましい範囲の上限値Ｆｃｌｋ  ｍａｘは、式１７により求めることができる。
Ｆｃｌｋ  ｍａｘ＝（Ｈ×Ｖ×Ｒ×Ｂ×Ｆ×Ｋ×２．０）／（Ｄ−ＤｍｏｄＢ）  …式１７
【０４１６】
このように、クロック周波数Ｆｃｌｋの好ましい範囲の下限値Ｆｃｌｋ  ｍｉｎおよび上限値Ｆｃｌｋ  ｍａｘを求めることができるため、データバス２０４のクロック周波数Ｆｃｌｋの好ましい範囲については、式１８により定義することができる。
（Ｈ×Ｖ×Ｒ×Ｂ×Ｆ×Ｋ×１．０）／（Ｄ−ＤｍｏｄＢ）≦Ｆｃｌｋ≦（Ｈ×Ｖ×Ｒ×Ｂ×Ｆ×Ｋ×２．０）／（Ｄ−ＤｍｏｄＢ）  …式１８
【０４１７】
ここで、式１６乃至式１８に示す「Ｄ−ＤｍｏｄＢ」について説明する。
【０４１８】
データバス２０４のビット幅が撮像素子の各画素のビット幅の整数倍になっていない場合には、画像メモリ１７０への書込み動作に無駄が生じる。例えば、データバス２０４のビット幅が１２８ビットであり、撮像素子の各画素のビット幅が１２ビットである場合には、１２ビットの画素データを１１画素分転送することはできず、１０画素分しか転送できない。このため、書込み動作として８ビット分の無駄が生じる。この無駄を示す量が、ＤｍｏｄＢである。すなわち、データバス２０４のビット幅から、この無駄を示す量を減算した値（実効的なデータバス幅）が「Ｄ−ＤｍｏｄＢ」である。
【０４１９】
上述した式１６乃至式１８に示すように、データバス２０４の好ましい動作周波数の範囲を算出する場合には、Ｈ、Ｖ、Ｒ、Ｂ、Ｆ、Ｋ、Ｄにより算出することができる。しかしながら、Ｈ、Ｖ、Ｒ、Ｂ、Ｆ、Ｋ、Ｄの各値は、携帯電話装置１００により行われる撮像動作の内容に応じて変化する。このため、各撮像動作において設定されているＨ、Ｖ、Ｒ、Ｂ、Ｆ、Ｋ、Ｄの各値に応じて、データバス２０４の動作周波数を変化させることが好ましい。このように、データバス２０４の動作周波数を変化させることにより、ＤＳＰ２００において、データバス２０４の動作周波数を必要十分な値にまで低減させることができ、消費電力を低減させることができる。
【０４２０】
図５７は、本発明の第１の実施の形態における携帯電話装置１００の各撮像動作についてデータバス２０４の動作周波数を決定するためのパラメータを示す図である。図５７に示す各パラメータ（Ｈ１ｓｒ、Ｖ１ｓｒ等）を設定しておくことにより、携帯電話装置１００の各撮像動作についてデータバス２０４の動作周波数を決定することができる。これらの各パラメータの一例を図５８に示す。
【０４２１】
図５８は、本発明の第１の実施の形態における携帯電話装置１００の各撮像動作についてデータバス２０４の動作周波数を決定するためのパラメータの一例を示す図である。この例では、静止画記録動作を行う場合を例にして示す。また、各パラメータに基づいて、データバス２０４の動作周波数の下限値Ｆｃｌｋ＿ｍｉｎおよび上限値Ｆｃｌｋ＿ｍａｘが予め算出することができる。なお、図５８に示す例では、１秒間に静止画記録処理を行う画像の枚数、および、１秒間にモニタリング動作を行う画像の枚数を、３０枚とする場合を示す。
【０４２２】
［静止画記録動作の時分割処理例］
次に、静止画記録動作に関する時分割処理について説明する。この時分割処理は、例えば、静止画の撮像記録処理について、１フレームの期間内（すなわち、画像信号処理部２２０に供給される垂直同期信号１期間内）に終了させず、数フレームの期間に跨って各処理を行うことを意味するものとする。
【０４２３】
例えば、近年、広く普及しているカメラ付き携帯電話装置を用いて、ユーザが比較的多くの静止画撮影を行う場合でも、数秒間に１枚程度であることが多い。このため、静止画記録動作を行う場合には、例えば、１枚の静止画の画像信号処理および記録処理等については、約１秒間かけて行うようにしても、ユーザの利便性を損なうおそれは少ないことが想定される。また、このように、１枚の静止画の画像信号処理および記録処理等を行うことにより、ＤＳＰ２００のデータバス２０４の動作周波数を低減させることができ、消費電力を削減させることができる。
【０４２４】
なお、静止画を１枚記録した後に、その画像信号処理および記録処理等が終了するまでの間は、表示部１４０には「しばらくお待ちください」等のメッセージを表示して、静止画撮像処理を実行中であることを通知することができる。また、メッセージ以外に、静止画撮像処理を実行中であることを示すアイコンや標識を表示するようにしてもよく、モニタリング動作を並行して行い、モニタリング画像を表示するようにしてもよい。
【０４２５】
図５９および図６０は、本発明の第１の実施の形態における画像信号処理部２２０により行われる時分割処理を模式的に示す図である。図５９および図６０に示す例は、モニタリング動作が行われている間に、静止画の記録指示操作が行われた場合における時分割処理を示す。図５９に示す横軸は時間軸を示す。また、波形７６０は垂直同期信号を示す。また、横軸７９５は、データバス２０４を占有する処理と時間との関係を示す。横軸７９５に示す白抜きの矩形は、各フレームのモニタリング処理に必要なデータバス２０４を占有する処理を表す。また、横軸７９５に示す内部に斜線を付した矩形は、静止画の記録処理に必要なデータバス２０４を占有する処理（時分割処理）を表す。
【０４２６】
上述したように、モニタリング動作が行われている場合には、静止画の撮像動作が行われている場合と比較して、データバス２０４を経由して伝送させることが必要なデータ量が少ない。ここで、例えば、区間７９６の何れかの時刻において、静止画の記録指示操作が行われた場合を想定する。この場合には、矢印７９７に示すフレーム３について静止画の記録動作が行われる。例えば、ユーザから記録指示操作が受け付けられた場合には、ＤＳＰ２００が、記録指示操作のタイミングに対応するフレーム（例えば、フレーム３）およびこれに続く複数フレーム（例えば、フレーム４乃至８）に跨って画像信号処理および記録処理を行う。この画像信号処理および記録処理が行われている間、撮像素子とＤＳＰ２００は、モニタリング動作を並行して行う。そして、記録動作が終了した場合には（例えば、矢印７９８に示す時刻）、撮像素子とＤＳＰ２００はモニタリング動作のみを行う。
【０４２７】
なお、静止画の記録処理の時分割処理を行う場合に、時分割処理が行われている間はモニタリング動作を行わず、表示部１４０に単一色、または、予め用意されている画像を表示するようにしてもよい。また、これらの画像と、ユーザに画像記録処理中であることを知らせるメッセージ等とを表示するようにしてもよい。
【０４２８】
図６０には、上述した時分割処理において、垂直同期信号の期間内にモニタリング動作および記録処理の時分割処理を行うために、ＤＳＰ２００のデータバス２０４を経由して伝送させることが必要なデータ量を示す。なお、図６０に示す例は、図５６に示す例の一部を変形したものであり、図６０（ｂ）において記録動作時分割処理７５９を追加した点が異なる。なお、図５６に示す例と共通する部分には、同一の符号を付す。
【０４２９】
例えば、図６０（ａ）に示す記録処理を１２分割する。そして、図６０（ｂ）に示すように、モニタリング動作においては、１フレームについてベイヤー画像２枚分のデータ伝送を伴う量だけ各信号処理（例えば、記録動作時分割処理７５９）を行う。そして、記録処理が開始されたフレーム以降では、記録動作開始後のモニタリング動作を行いながら、記録処理のための信号処理を行う。ただし、最初の１つ目の処理は、画像メモリ１７０への画像データの書込みを完了させるため、必ずベイヤー画像１枚分と同等以上にする。なお、図６０（ｂ）に示す矩形７５１乃至７５３、７５６は、図５９に示す横軸７９５における白抜きの矩形に対応し、図６０（ｂ）に示す矩形７５９は、図５９に示す横軸７９５における内部に斜線を付した矩形に対応する。
【０４３０】
図６１は、本発明の第１の実施の形態における携帯電話装置１００の静止画記録動作についてデータバス２０４の動作周波数を決定するためのパラメータの一例を示す図である。図６１に示す例は、１秒間に静止画記録処理を行う画像の枚数を１枚とした点およびこれに関連する値を変更した点以外は、図５８と同様である。このように、１秒間に静止画記録処理を行う画像の枚数を１枚とすることにより、データバス２０４の動作周波数の下限値Ｆｃｌｋ＿ｍｉｎおよび上限値Ｆｃｌｋ＿ｍａｘを低減させることができる。また、ＤＳＰ２００の消費電力を削減させることができる。
【０４３１】
ここで、上述したように、モニタリング動作において生成される画像は、観賞用の画像でないため、画素データを間引きして消費電力を削減することが好ましい。そこで、図５８および図６１に示す例でも、モニタリング動作の場合には、画素データの間引き率として１よりも小さい値を用いている。このため、ＤＳＰ２００のデータバス２０４に必要とされる動作周波数が、図５８および図６１に示す静止画記録動作において、データバス２０４に必要とされる動作周波数よりも小さくすることができ、消費電力を削減することができる。
【０４３２】
図６２は、本発明の第１の実施の形態における携帯電話装置１００の動画記録動作についてデータバス２０４の動作周波数を決定するためのパラメータの一例を示す図である。図６２に示す例は、図５７に示す各パラメータとして、動画記録動作の一例を示す。
【０４３３】
ここで、３眼横長広角画像撮像モードが設定されている場合には、単眼横長画像撮像モードが設定されている場合と比較して画像データ量が約３倍となる。このため、例えば、静止画記録動作を行う場合には、垂直同期信号の数個分の時間をかけて（すなわち、数フレーム分の時間をかけて）、大きな画像の信号処理を行うことができる。これにより、データバス２０４に必要とされる動作周波数が大きくなり過ぎることを抑制することができる。しかしながら、動画記録動作を行う場合には、フレーム毎に新たな画像が入力されるため、１フレームの期間内で３眼の画像データを信号処理することが必要となる。そこで、データバス２０４に必要とされる動作周波数が大きくなり過ぎることを抑制するため、図６２に示すように、画像の間引き処理を行い、データ量を低減することが好ましい。
【０４３４】
［画像データの取り込み遅延の対策例］
本発明の第１の実施の形態では、３個の撮像素子からＤＳＰ２００へ同時に入力される３枚の画像データをリングバッファ構造の画像バッファに一時的に保持させる。このリングバッファ構造の画像バッファを用いることにより、３個の撮像素子からＤＳＰ２００へ同時に入力される３枚の画像データを、１本のデータバス２０４および画像メモリとのＩ／Ｆ２０５を介して、最小１個の画像メモリ１７０に書き込むことができる。しかしながら、リングバッファ構造の画像バッファ２１１乃至２１９を用いる場合には、以下で示すように、画像バッファ２１１乃至２１９から読み出されてＤＳＰ２００内部へ取り込まれるまでに画像データの遅延が発生する。そこで、このように発生する遅延に対する処理を行うことが必要となる。
【０４３５】
図６３は、本発明の第１の実施の形態における画像バッファ２１１乃至２１９への書き込みタイミングと、ＤＳＰ２００内部へ取り込みタイミングとの様子を模式的に表すタイミングチャートである。図６３に示す横軸は時間軸を示す。また、波形７６１は、ＤＳＰ２００から各撮像系への垂直同期信号を示し、波形７６２は、ＤＳＰ２００から各撮像系への水平同期信号を示す。なお、波形７６２におけるＢＰ１は、２ライン分の垂直バックポーチを示す。なお、図６３に示す例では、画像バッファ２１１乃至２１９の１つの容量が、撮像素子１３４乃至１３６からＤＳＰ２００へ入力される画像データの１ライン分のデータ量と同じ場合を想定する。
【０４３６】
横軸７６３には、第１の撮像系１９１からＤＳＰ２００に入力される画像データの時間遷移を示し、横軸７６４には、第２の撮像系１９２からＤＳＰ２００に入力される画像データの時間遷移を示す。また、横軸７６５には、第３の撮像系１９３からＤＳＰ２００に入力される画像データの時間遷移を示す。
【０４３７】
また、横軸７６６には、画像バッファ２１１乃至２１３の書き込み状態の時間遷移を示し、横軸７６７には、画像バッファ２１４乃至２１６の書き込み状態の時間遷移を示し、横軸７６８には、画像バッファ２１７乃至２１９の書き込み状態の時間遷移を示す。なお、図６３に示す例では、各撮像系に対応する１組の３つの画像バッファの書き込み状態を同一ライン上に示す。
【０４３８】
また、横軸７６９には、ＤＳＰ２００の画像バッファ２１１乃至２１９からのデータ読出し、および、ＤＳＰ２００内部へのデータ送出の対象となる画像データを示す。
【０４３９】
また、波形７７０は、ＤＳＰ２００から各撮像系へ入力した垂直同期信号と同じタイミングの垂直同期信号を示し、波形７７１は、ＤＳＰ２００内部へ供給するために遅延させた垂直同期信号を示す。また、波形７７０におけるＢＰ２は、４ライン分の垂直バックポーチを示し、波形７７１におけるＢＰ３は、２ライン分の垂直バックポーチを示す。
【０４４０】
図６３に示すように、画像バッファ２１１乃至２１９への画像の有効データの書込みが開始されてから、このデータが画像バッファから読み出されてＤＳＰ２００内部へ取り込まれるまでに、２ライン分の遅延が発生する。
【０４４１】
図６４は、本発明の第１の実施の形態における画像バッファ２１１乃至２１９への書き込みタイミングと、ＤＳＰ２００内部へ取り込みタイミングとの様子を模式的に表すタイミングチャートである。図６４に示す横軸は時間軸を示す。また、波形７８１は、ＤＳＰ２００から各撮像系への水平同期信号を示す。なお、波形７８１におけるＢＰ４は、撮像素子１３４乃至１３６により生成された画像における水平バックポーチを示す。なお、図６３に示す例では、画像バッファ２１１乃至２１９の１つの容量が、撮像素子１３４乃至１３６からＤＳＰ２００へ入力される画像データの１ライン分のデータ量の１／３と同じ場合を想定する。
【０４４２】
横軸７８２には、第１の撮像系１９１からＤＳＰ２００に入力される画像データの時間遷移を示し、横軸７８３には、第２の撮像系１９２からＤＳＰ２００に入力される画像データの時間遷移を示す。また、横軸７８４には、第３の撮像系１９３からＤＳＰ２００に入力される画像データの時間遷移を示す。
【０４４３】
また、横軸７８５には、画像バッファ２１１乃至２１３の書き込み状態の時間遷移を示し、横軸７８６には、画像バッファ２１４乃至２１６の書き込み状態の時間遷移を示し、横軸７８７には、画像バッファ２１７乃至２１９の書き込み状態の時間遷移を示す。なお、図６４に示す例では、各撮像系に対応する１組の３つの画像バッファの書き込み状態を同一ライン上に示す。
【０４４４】
また、横軸７８９には、ＤＳＰ２００の画像バッファ２１１乃至２１９からのデータ読出し、および、ＤＳＰ２００内部へのデータ送出の対象となる画像データを示す。
【０４４５】
また、波形７９０は、ＤＳＰ２００から各撮像系へ入力した水平同期信号と同じタイミングの水平同期信号を示し、波形７９１は、ＤＳＰ２００内部へ供給するために遅延させた水平同期信号を示す。また、波形７９０におけるＢＰ５は、水平バックポーチを示し、波形７９１におけるＢＰ６は、水平バックポーチを示す。
【０４４６】
図６４に示すように、画像バッファ２１１乃至２１９への画像の有効データの書込みが開始されてから、このデータが画像バッファから読み出されてＤＳＰ２００内部へ取り込まれるまでに、画像の有効データ領域の２／３ライン分の遅延が発生する。
【０４４７】
これらの遅延を取り除き、垂直同期信号と画像の有効データとの間隔、および、水平同期信号と画像の有効データとの間隔を、撮像素子１３４乃至１３６において画像データが生成された際の間隔と同じにすることが必要である。このために、本発明の第１の実施の形態では、少なくともＤＳＰ２００内部の画像信号処理部２２０の一部には、ＤＳＰ２００から撮像素子１３４乃至１３６へ入力した同期信号と周期が同じで位相が遅れた信号を使用する。また、ＤＳＰ２００の撮像制御部２０１が、ＤＳＰ２００から撮像素子１３４乃至１３６へ入力する同期信号を生成して供給するとともに、撮像素子１３４乃至１３６へ入力した同期信号と周期が同じで位相が遅れた信号も生成する。そして、この生成された同期信号をＤＳＰ２００内の各部に供給する。
【０４４８】
［撮像装置の動作例］
図６５は、本発明の第１の実施の形態における携帯電話装置１００による撮像制御処理の処理手順を示すフローチャートである。
【０４４９】
最初に、携帯電話装置１００において電源が投入される（ステップＳ９０１）。続いて、撮像動作の開始指示操作が受け付けられたか否かが判断される（ステップＳ９０２）。例えば、ユーザが、表示部１４０におけるメニュー画面において、撮像動作の開始を指示する指示操作を行うことにより、撮像動作を開始させることができる。撮像動作の開始指示操作が受け付けられていない場合には（ステップＳ９０２）、撮像動作の開始指示操作が受け付けられるまで、監視を継続する。
【０４５０】
撮像動作の開始指示操作が受け付けられた場合には（ステップＳ９０２）、回動状態検出部１５０が、第２の筐体１２０の回動状態を検出する（ステップＳ９０３）。続いて、撮像制御部２０１が、第２の筐体１２０の回動状態が横長状態であるか否かを判断し（ステップＳ９０４）、第２の筐体１２０の回動状態が横長状態である場合には、横長状態撮像処理が行われる（ステップＳ９１０）。なお、横長状態撮像処理については、図６６を参照して詳細に説明する。一方、第２の筐体１２０の回動状態が縦長状態である場合には、縦長状態撮像処理が行われる（ステップＳ９５０）。なお、横長状態撮像処理については、図６９を参照して詳細に説明する。
【０４５１】
続いて、撮像動作の終了指示操作が受け付けられたか否かが判断される（ステップＳ９０５）。撮像動作の終了指示操作が受け付けられていない場合には（ステップＳ９０５）、ステップＳ９０３に戻る。一方、撮像動作の終了指示操作が受け付けられた場合には（ステップＳ９０５）、撮像制御処理の動作を終了する。
【０４５２】
図６６は、本発明の第１の実施の形態における携帯電話装置１００による撮像制御処理の処理手順のうちの横長状態撮像処理（図６５に示すステップＳ９１０の処理手順）を示すフローチャートである。
【０４５３】
最初に、撮像制御部２０１が、初期設定として３眼横長広角画像撮像モードを設定する（ステップＳ９１１）。続いて、撮像制御部２０１が、静止画／動画撮像モードのうちの何れの撮像モードが設定されているかを判断する（ステップＳ９１２）。静止画撮像モードが設定されている場合には（ステップＳ９１２）、静止画撮像処理が行われる（ステップＳ９２０）。なお、静止画撮像処理については、図６７を参照して詳細に説明する。一方、動画撮像モードが設定されている場合には（ステップＳ９１２）、動画撮像処理が行われる（ステップＳ９３０）。なお、動画撮像処理については、図６８を参照して詳細に説明する。
【０４５４】
続いて、撮像範囲切替指示操作が受け付けられたか否かが判断される（ステップＳ９１３）。例えば、図１等に示す撮像範囲切替スイッチ１１１が押下されたか否かが判断される。撮像範囲切替指示操作が受け付けられていない場合には（ステップＳ９１３）、ステップＳ９１５に進む。一方、撮像範囲切替指示操作が受け付けられた場合には（ステップＳ９１３）、撮像制御部２０１が、受け付けられた撮像範囲切替指示操作に応じて撮像モードを切り替える（ステップＳ９１４）。例えば、撮像範囲切替スイッチ１１１が押下される毎に、（１）３眼横長広角画像撮像モード、（２）３眼横長狭角画像撮像モード、（３）単眼横長画像撮像モード、（４）単眼縦長画像撮像モード、（５）単眼縦長小領域画像撮像モードの順序で切替が行われる。
【０４５５】
続いて、第２の筐体１２０の回動状態に変化があったか否かが判断され（ステップＳ９１５）、第２の筐体１２０の回動状態に変化がない場合には、ステップＳ９１２に戻る。一方、第２の筐体１２０の回動状態に変化があった場合には（ステップＳ９１５）、横長状態撮像処理の動作を終了する。
【０４５６】
図６７は、本発明の第１の実施の形態における携帯電話装置１００による撮像制御処理の処理手順のうちの静止画撮像処理（図６６に示すステップＳ９２０の処理手順）を示すフローチャートである。
【０４５７】
最初に、設定された撮像モードに応じて、モニタリング処理が行なわれる（ステップＳ９２１）。例えば、３眼横長広角画像撮像モードが設定されている場合には、図２９（ａ）に示す太線の範囲内の画像が、図２９（ｂ）に示すように、モニタリング画像として表示部１４０に表示される。また、上述したように、モニタリング処理時には、画素間引き処理や画素加算処理を行うようにしてもよい。
【０４５８】
続いて、静止画の記録指示操作が受け付けられたか否かが判断される（ステップＳ９２２）。例えば、モニタリング画像が表示部１４０に表示されている状態で、決定キー１１４が押下されたか否かが判断される。静止画の記録指示操作が受け付けられていない場合には（ステップＳ９２２）、ステップＳ９２４に進む。一方、静止画の記録指示操作が受け付けられた場合には（ステップＳ９２２）、設定された撮像モードに応じて、静止画記録処理が行われる（ステップＳ９２３）。例えば、３眼横長広角画像撮像モードが設定されている場合には、図２９（ａ）に示す太線の範囲内の画像が、記録媒体１８０に記録される。
【０４５９】
続いて、撮像範囲切替指示操作が受け付けられたか否かが判断される（ステップＳ９２４）。撮像範囲切替指示操作が受け付けられていない場合には（ステップＳ９２４）、第２の筐体１２０の回動状態に変化があったか否かが判断される（ステップＳ９２５）。第２の筐体１２０の回動状態に変化がない場合には（ステップＳ９２５）、静止画撮像モードから動画撮像モードへの切替操作が受け付けられたか否かが判断される（ステップＳ９２６）。例えば、静止画撮像モードが設定されている状態で、静止画／動画切替スイッチ１１２が押下されたか否かが判断される。撮像範囲切替指示操作の受け付け、第２の筐体１２０の回動状態変化、静止画撮像モードから動画撮像モードへの切替操作の受け付けの何れかがあった場合には（ステップＳ９２４乃至Ｓ９２６）、静止画撮像処理の動作を終了する。一方、撮像範囲切替指示操作の受け付け、第２の筐体１２０の回動状態変化、静止画撮像モードから動画撮像モードへの切替操作の受け付けの何れもなかった場合には（ステップＳ９２４乃至Ｓ９２６）、ステップＳ９２１に戻る。
【０４６０】
図６８は、本発明の第１の実施の形態における携帯電話装置１００による撮像制御処理の処理手順のうちの動画撮像処理（図６６に示すステップＳ９３０の処理手順）を示すフローチャートである。
【０４６１】
最初に、設定された撮像モードに応じて、モニタリング処理が行われる（ステップＳ９３１）。
【０４６２】
続いて、動画の記録開始指示操作が受け付けられたか否かが判断される（ステップＳ９３２）。例えば、モニタリング画像が表示部１４０に表示されている状態で、決定キー１１４が押下されたか否かが判断される。動画の記録開始指示操作が受け付けられていない場合には（ステップＳ９３２）、ステップＳ９３５に進む。一方、動画の記録開始指示操作が受け付けられた場合には（ステップＳ９３２）、設定された撮像モードに応じて、動画記録処理が行われる（ステップＳ９３３）。続いて、動画の記録終了指示操作が受け付けられたか否かが判断される（ステップＳ９３４）。例えば、動画記録処理が行われている状態で、決定キー１１４が再押下されたか否かが判断される。動画の記録終了指示操作が受け付けられていない場合には（ステップＳ９３４）、動画記録処理が継続して行われる（ステップＳ９３３）。一方、動画の記録終了指示操作が受け付けられた場合には（ステップＳ９３４）、動画記録処理を終了してステップＳ９３５に進む。
【０４６３】
続いて、撮像範囲切替指示操作が受け付けられたか否かが判断される（ステップＳ９３５）。撮像範囲切替指示操作が受け付けられていない場合には（ステップＳ９３５）、第２の筐体１２０の回動状態に変化があったか否かが判断される（ステップＳ９３６）。第２の筐体１２０の回動状態に変化がない場合には（ステップＳ９３６）、動画撮像モードから静止画撮像モードへの切替操作が受け付けられたか否かが判断される（ステップＳ９３７）。撮像範囲切替指示操作の受け付け、第２の筐体１２０の回動状態変化、動画撮像モードから静止画撮像モードへの切替操作の受け付けの何れかがあった場合には（ステップＳ９３５乃至Ｓ９３７）、動画撮像処理の動作を終了する。一方、撮像範囲切替指示操作の受け付け、第２の筐体１２０の回動状態変化、動画撮像モードから静止画撮像モードへの切替操作の受け付けの何れもなかった場合には（ステップＳ９３５乃至Ｓ９３７）、ステップＳ９３１に戻る。なお、動画撮像モードが設定されている場合には、静止画撮像モードよりも間引き率を上げて動画記録処理を行うようにしてもよい。
【０４６４】
図６９は、本発明の第１の実施の形態における携帯電話装置１００による撮像制御処理の処理手順のうちの縦長状態撮像処理（図６５に示すステップＳ９５０の処理手順）を示すフローチャートである。
【０４６５】
最初に、撮像制御部２０１が、初期設定として単眼縦長画像撮像モードを設定する（ステップＳ９５１）。続いて、撮像制御部２０１が、静止画／動画撮像モードのうちの何れの撮像モードが設定されているかを判断する（ステップＳ９５２）。静止画撮像モードが設定されている場合には（ステップＳ９５２）、静止画撮像処理が行われる（ステップＳ９６０）。なお、静止画撮像処理については、表示部１４０に表示される画像が異なる点以外は、図６７に示す処理手順と略同一である。このため、以下での説明を省略する。一方、動画撮像モードが設定されている場合には（ステップＳ９５２）、動画撮像処理が行われる（ステップＳ９７０）。なお、動画撮像処理については、表示部１４０に表示される画像が異なる点以外は、図６８に示す処理手順と略同一である。このため、以下での説明を省略する。
【０４６６】
続いて、撮像範囲切替指示操作が受け付けられたか否かが判断される（ステップＳ９５３）。撮像範囲切替指示操作が受け付けられていない場合には（ステップＳ９５３）、ステップＳ９５５に進む。一方、撮像範囲切替指示操作が受け付けられた場合には（ステップＳ９５３）、撮像制御部２０１が、受け付けられた撮像範囲切替指示操作に応じて撮像モードを切り替える（ステップＳ９５４）。例えば、撮像範囲切替スイッチ１１１が押下される毎に、（１）単眼縦長画像撮像モード、（２）単眼縦長小領域画像撮像モード、（３）単眼横長画像撮像モード、（４）３眼横長狭角画像撮像モードの順序で切替が行われる。
【０４６７】
続いて、第２の筐体１２０の回動状態に変化があったか否かが判断され（ステップＳ９５５）、第２の筐体１２０の回動状態に変化がない場合には、ステップＳ９５２に戻る。一方、第２の筐体１２０の回動状態に変化があった場合には（ステップＳ９５５）、縦長状態撮像処理の動作を終了する。
【０４６８】
以上で示したように、本発明の第１の実施の形態では、複数の撮像モードの切替を容易に行うことができる。ここで、例えば、携帯電話装置の通話操作、電子メールの文章作成や文章読み取り等の操作を行う場合には、筐体を縦長にして使用することが多い。このため、例えば、カメラ付き携帯電話装置を用いて撮影が行われる場合にも、筐体および表示装置を縦長の状態にして撮影し、縦長の画像を記録することが多い。また、このように記録された縦長の画像について、例えば、携帯電話装置のユーザの間で再生または伝送等が行われることも多い。
【０４６９】
しかしながら、人間の視野は横方向にもっと広い。このため、横縦比が大きい画像を記録することにより、人間の視野に入る領域に近い撮像範囲の画像を記録することができ、ユーザに与える違和感を軽減させることができると想定される。そこで、本発明の第１の実施の形態では、カメラ付き携帯電話装置のユーザが広く慣れ親しんでいる縦長画像と、人間の視野に比較的近い画角の大きな画像（例えば、パノラマ画像）との切替を第２の筐体１２０の回動操作のみで行うことができる。このように、比較的容易な操作により、縦長画像と画角の大きな画像とを切り替えることができるため、撮影タイミングを逃してしまうことを防止することができる。また、ユーザ好みの画像を容易に撮影することができる。
【０４７０】
また、カメラ付き携帯電話装置のユーザが広く慣れ親しんでいる縦長画像については、単眼縦長画像撮像モードまたは単眼縦長小領域画像撮像モードにおいて表示または記録することができる。また、人間の視野に比較的近い画角の大きな画像（例えば、パノラマ画像）については、３眼横長広角撮像モード、３眼横長狭角撮像モード、単眼縦長画像撮像モードにおいて表示または記録することができる。また、これらの切替についても、撮像範囲切替スイッチ１１１により容易に行うことができる。このように、比較的容易な操作により、複数種類の画像を切り替えることができるため、撮影タイミングを逃してしまうことを防止することができる。また、ユーザ好みの画像を容易に撮影することができる。
【０４７１】
［撮像素子の配置構成の変形例］
以上では、撮像部を構成する３つの撮像素子のうち、中央の撮像素子の長手方向が配列方向と直交する方向と略一致するように中央の撮像素子が配置される例を示した。ただし、上述したように、例えば、撮像部を構成する３つの撮像素子の各長手方向が配列方向と略一致するように、３つの撮像素子を配置するようにしてもよい。すなわち、図４（ａ）に示す状態で、撮像素子１３４を９０度回転して配置することにより、撮像素子１３４乃至１３６の長手方向と配列方向とを略一致させることができる。図７０では、この配置構成の一例を示す。
【０４７２】
図７０は、本発明の第１の実施の形態における撮像部１３０を構成する３つの撮像素子の配置構成の変形例を示す図である。図７０（ａ）には、撮像素子１１０１、１３５、１３６の配置構成を示す。なお、撮像素子１３５および１３６については、図４（ａ）に示す例と同様であるため、同一の符号を付してこれらの説明を省略する。また、撮像素子１１０１の配置構成については、図４（ａ）に示す撮像素子１３４を９０度回転して配置した点以外については、撮像素子１３４と略同様である。このため、以下では、撮像素子１３４と異なる点を中心にして説明し、共通する部分についての説明の一部を省略する。
【０４７３】
図７０（ａ）には、回動部材１０１側が上側となるように、第１の筐体１１０の長手方向を垂直方向と一致させた場合における配置構成例を示す。具体的には、撮像素子１１０１が中央に配置され、撮像素子１１０１の両側に撮像素子１３５および１３６が配置される。すなわち、配列方向において、撮像素子１１０１、１３５および１３６が横長に配置される。また、撮像素子１１０１、１３５、１３６における中心位置が同一平面上となるように配置される。なお、図７０（ａ）では、図４（ａ）に示す例と同様に、各画素を読み出すことが可能な画素データ読出可能領域１１０２、４０１、４０２を撮像素子１１０１、１３５、１３６内に長方形で模式的に示す。
【０４７４】
図７０（ｂ）には、第２の筐体１２０が横長状態である場合において、画像データを生成する場合における画素データ読出領域の一例を示す。画素データ読出領域１１０３、４０４、４０５は、画素データ読出可能領域１１０２、４０１、４０２において、表示または記録に用いられる画像データを生成する際に各画素を読み出す領域の一例であり、図７０（ｂ）ではその輪郭を太線で示す。画素データ読出領域１１０３、４０４、４０５は、例えば、画素データ読出可能領域１１０２、４０１、４０２と同一とすることができる。また、画素データ読出領域１１０３、４０４、４０５は、例えば、垂直方向の長さをＶ１１とし、水平方向の長さをＨ１１とすることができる。なお、垂直方向の長さＶ１１および水平方向の長さＨ１１は、図４（ｂ）に示すものと同一である。
【０４７５】
図７０（ｃ）には、第２の筐体１２０が縦長状態である場合において、画像データを生成する場合における画素データ読出領域の一例を示す。この例では、撮像素子１１０１、１３５、１３６のうち、撮像素子１１０１のみにより画像データを生成する場合における画素データ読出領域１１０４、１１０５を示す。画素データ読出領域１１０４、１１０５は、画素データ読出可能領域１１０２、４０１、４０２において、表示または記録に用いられる合成画像を生成する際に各画素を読み出す領域の一例であり、図７０（ｃ）ではその輪郭を太線で示す。画素データ読出領域１１０４は、例えば、垂直方向の長さをＶ１１とし、水平方向の長さをＨ６１とすることができる。また、画素データ読出領域１１０５は、例えば、垂直方向の長さをＶ６３とし、水平方向の長さをＨ６２とすることができる。例えば、水平方向の長さＨ６１を１０８０画素とすることができる。また、例えば、水平方向の長さＨ６２を４８０画素とし、垂直方向の長さＶ６３を６４０画素とすることができる。なお、これらの画像生成例については、図７１乃至図７４を参照して詳細に説明する。
【０４７６】
なお、撮像素子１１０１における１ラインのデータを読み出す読出方法については、その１ラインの方向を、撮像素子１３５および１３６と同様に長辺方向とする読出方法を用いることができる。
【０４７７】
［配列方向に横長で配置されている３つの撮像素子により生成された画像の表示例］
次に、図７０（ａ）に示す配置構成により配列されている３つの撮像素子により生成された画像を表示部１４０に表示する例を示す。この例では、図２７に示す被写体５００について撮影が行われた場合を例にして説明する。このため、図２７に示す被写体５００と同一のものについては、同一の符号を付して示す。
【０４７８】
図７１乃至図７４は、本発明の第１の実施の形態における撮像部１３０により生成された画像の表示例を示す図である。
【０４７９】
図７１には、撮像部１３０を構成する撮像素子１１０１、１３５、１３６により生成された各画像が合成された合成画像（パノラマ画像）の表示例を示す。
【０４８０】
図７１（ａ）には、被写体５００における撮像範囲１１１１乃至１１１３を模式的に示す。この撮像範囲１１１１乃至１１１３は、図７０（ａ）に示す撮像素子１１０１、１３５、１３６の画素データ読出可能領域１１０２、４０１、４０２に対応する撮像範囲であるものとする。また、撮像範囲１１１１乃至１１１３のうち、撮像素子１１０１、１３５、１３６において画素データが読み出される画素データ読出領域に対応する領域の輪郭を太線の矩形で示す。なお、図７１（ａ）に示す画素データ読出領域（太線の矩形で示す）は、図７０（ｂ）に示す画素データ読出領域１１０３、４０４、４０５と同一である。また、図７２乃至図７４でも同様に、撮像素子１１０１、１３５、１３６における画素データ読出領域についてはその輪郭を太線の矩形で示す。
【０４８１】
ここで、図７１乃至図７４に示す表示例では、撮像素子１１０１、１３５、１３６として、横１９２０画素×縦１４４０画素の画素数を有し、画素の横対縦の比が４：３となる撮像素子を用いる例を示す。また、この例では、説明の容易のため、各画像の重複部分については考慮せずに説明する。例えば、横１９２０画素×縦１４４０画素の撮像素子１１０１、１３５、１３６から、その全部の画像データが読み出される。このように読み出された画像データを合成する場合には、横対縦の比が４：１の約８２９万画素（横５７６０画素×縦１４４０画素）の画像が生成される。このように生成された合成画像の表示例を図７１（ｂ）に示す。
【０４８２】
図７１（ｂ）には、第２の筐体１２０を横長状態とした場合に、図７１（ａ）に示す画素データ読出領域から読み出された画像データを表示部１４０に表示する表示例を示す。なお、図７１（ｂ）には、携帯電話装置１００を構成する第１の筐体１１０および第２の筐体１２０の外観を省略して表示部１４０の表示領域のみを示す。また、以下に示す表示例でも同様に表示部１４０の表示領域のみを示す。
【０４８３】
上述したように、表示部１４０の横対縦の比は４：３であるため、横対縦の比が４：１である画像を表示部１４０の全画面に表示させることができない。そこで、表示部１４０における各画素が正方格子である場合には、例えば、図７１（ａ）に示す画素データ読出領域から読み出されて生成された横対縦の比が４：１の画像を解像度変換して表示させる。例えば、その画像の横方向の画素数が表示部１４０の横方向の画素数と略同一となり、横対縦の比が４：１となるように、画像を水平方向および垂直方向に解像度変換する。そして、図７１（ｂ）に示すように、解像度変換がされた合成画像を、表示部１４０における垂直方向の中央部分（撮像画像表示領域１１１５）に表示させる。ここで、表示された画像の上下の余白部分（余白画像表示領域１１１６および１１１７）には、例えば、単一色の画像を表示させることができる。
【０４８４】
なお、表示部１４０の各画素が正方格子でない場合には、表示部１４０に表示させた時に画像の形状が異常とならないように、表示部１４０の画素の縦横の長さの比を用いて解像度変換の倍率を変換し、この変換された画像を表示させることができる。
【０４８５】
また、第２の筐体１２０を縦長状態とした場合についても同様に、図７１（ａ）に示す画素データ読出領域から読み出されて生成された画像（横対縦の比が４：１）を解像度変換して表示させることができるが、ここでの図示を省略する。
【０４８６】
図７２（ａ）には、撮像範囲１１１１乃至１１１３における画素データ読出領域を模式的に示す。図７２（ａ）に示す画素データ読出領域（太線の矩形で示す）は、図７０（ｂ）に示す画素データ読出領域１１０３と同一である。例えば、横１９２０画素×縦１４４０画素の撮像素子１１０１から、その全部の画像データが読み出される。このように読み出された画像データにより、横対縦の比が４：３の約２７６万画素（横１９２０画素×縦１４４０画素）の画像が生成される。このように生成された合成画像の表示例を図７２（ｂ）および（ｃ）に示す。
【０４８７】
図７２（ｂ）には、第２の筐体１２０を横長状態とした場合に、図７２（ａ）に示す画素データ読出領域から読み出された画像データを表示部１４０に表示する表示例を示す。上述したように、表示部１４０の横対縦の比は４：３であるため、横対縦の比が４：３である画像を表示部１４０の全画面に表示させることができる。例えば、表示対象となる画像のサイズが表示部１４０の画素数と同一となるように解像度変換し、表示部１４０に表示させる。
【０４８８】
図７２（ｃ）には、第２の筐体１２０を縦長状態とした場合に、図７２（ａ）に示す画素データ読出領域から読み出された画像データを表示部１４０に表示する表示例を示す。この場合には表示部１４０の横対縦の比が３：４であるため、横対縦の比が４：３である画像を表示部１４０の全画面に表示させることができない。そこで、上述したように、表示対象となる画像を解像度変換して表示させることができる。そして、図７２（ｃ）に示すように、解像度変換がされた合成画像を、表示部１４０における垂直方向の中央部分（撮像画像表示領域１１２１）に表示させる。また、表示された画像の上下の余白部分（余白画像表示領域１１２２および１１２３）には、例えば、単一色の画像を表示させることができる。
【０４８９】
図７３（ａ）には、撮像範囲１１１１乃至１１１３における画素データ読出領域１１３０を模式的に示す。図７３（ａ）に示す画素データ読出領域（太線の矩形で示す）１１３０は、図７０（ｃ）に示す画素データ読出領域１１０４と同一である。例えば、横１９２０画素×縦１４４０画素の撮像素子１１０１から、その一部の画像データ（例えば、横１０８０画素×縦１４４０画素）が読み出される。このように読み出された画像データにより、横対縦の比が３：４の約１５６万画素（横１０８０画素×縦１４４０画素）の画像が生成される。このように生成された合成画像の表示例を図７３（ｂ）および（ｃ）に示す。
【０４９０】
図７３（ｂ）には、第２の筐体１２０を横長状態とした場合に、図７３（ａ）に示す画素データ読出領域１１３０から読み出された画像データを表示部１４０に表示する表示例を示す。上述したように、表示部１４０の横対縦の比は４：３であるため、横対縦の比が３：４である画像を表示部１４０の全画面に表示させることができない。そこで、上述したように、例えば、その画像の縦方向の画素数が表示部１４０の縦方向の画素数と略同一となり、横対縦の比が４：３となるように、画像を水平方向および垂直方向に解像度変換する。そして、図７３（ｂ）に示すように、解像度変換がされた画像を、表示部１４０における垂直方向の中央部分（撮像画像表示領域１１３１）に表示させる。また、表示された画像の左右の余白部分（余白画像表示領域１１３２および１１３３）には、例えば、単一色の画像を表示させることができる。
【０４９１】
図７３（ｃ）には、第２の筐体１２０を縦長状態とした場合に、図７３（ａ）に示す画素データ読出領域１１３０から読み出された画像データを表示部１４０に表示する表示例を示す。この場合には表示部１４０の横対縦の比は４：３であるため、横対縦の比が４：３である画像を表示部１４０の全画面に表示させることができる。例えば、表示対象となる画像のサイズが表示部１４０の画素数と同一となるように解像度変換し、表示部１４０に表示させる。
【０４９２】
図７４（ａ）には、撮像範囲１１１１乃至１１１３における画素データ読出領域１１４０を模式的に示す。図７４（ａ）に示す画素データ読出領域（太線の矩形で示す）１１４０は、図７０（ｃ）に示す画素データ読出領域１１０５と同一である。例えば、横１９２０画素×縦１４４０画素の撮像素子１１０１から、その一部の画像データ（例えば、横４８０画素×縦６４０画素）が読み出される。このように読み出された画像データにより、横対縦の比が３：４の約３１万画素（横４８０画素×縦６４０画素）の画像が生成される。このように生成された合成画像の表示例を図７４（ｂ）および（ｃ）に示す。
【０４９３】
図７４（ｂ）には、第２の筐体１２０を横長状態とした場合に、図７４（ａ）に示す画素データ読出領域１１４０から読み出された画像データを表示部１４０に表示する表示例を示す。上述したように、表示部１４０の横対縦の比は４：３であるため、横対縦の比が３：４である画像を表示部１４０の全画面に表示させることができない。そこで、上述したように、例えば、その画像の縦方向の画素数が表示部１４０の縦方向の画素数と略同一となり、横対縦の比が４：３となるように、画像を水平方向および垂直方向に解像度変換する。そして、図７４（ｂ）に示すように、解像度変換がされた画像を、表示部１４０における垂直方向の中央部分（撮像画像表示領域１１４１）に表示させる。また、表示された画像の左右の余白部分（余白画像表示領域１１４２および１１４３）には、例えば、単一色の画像を表示させることができる。
【０４９４】
図７４（ｃ）には、第２の筐体１２０を縦長状態とした場合に、図７４（ａ）に示す画素データ読出領域から読み出された画像データを表示部１４０に表示する表示例を示す。この場合には表示部１４０の横対縦の比は４：３であるため、横対縦の比が４：３である画像を表示部１４０の全画面に表示させることができる。例えば、表示対象となる画像のサイズが表示部１４０の画素数と同一となるように解像度変換し、表示部１４０に表示させる。
【０４９５】
また、画素間引きや画素加算等についても、撮像部を構成する３つの撮像素子のうち、中央の撮像素子を縦長に配置した場合における各処理を適用することができるため、ここでの詳細な説明を省略する。
【０４９６】
［画像ファイルの構成例］
次に、上述した静止画記録処理により記録媒体１８０に記録される画像データ（画像ファイル）について図面を参照して詳細に説明する。
【０４９７】
図７５は、本発明の第１の実施の形態における記録媒体１８０に記憶される画像ファイルのファイル構造の一例を示す図である。図７５に示す例では、ＤＣＦ（Design rule for Camera File system）規格により記録される静止画ファイルのファイル構造を概略的に示す。ＤＣＦは、デジタルスチルカメラやプリンタ等の機器間で、記録媒体を介して画像の相互利用を実現するためのファイルシステム規格である。また、ＤＣＦでは、Ｅｘｉｆ（Exchangeable image file format）をベースにして記録媒体に記録する場合におけるファイル名の付け方やフォルダの構成が規定されている。Ｅｘｉｆは、画像ファイルの中に画像データおよびカメラ情報を付加するための規格であり、画像ファイルを記録するための形式（ファイルフォーマット）を規定するものである。図７５（ａ）には画像ファイル１８１の構成例を示し、図７５（ｂ）には付属情報１８２の構成例を示し、図７５（ｃ）にはメーカーノート１８５の構成例を示す。
【０４９８】
画像ファイル１８１は、ＤＣＦ規格により記録される静止画ファイルであり、図７５（ａ）に示すように、付属情報１８２および画像情報１８３から構成されている。画像情報１８３は、例えば、撮像部１３０により生成され、画像信号処理部２２０により各種画像信号処理が施された画像データについて、解像度変換部２５１により解像度変換され、符号化復号化部２５２によりＪＰＥＧ形式で圧縮された画像データである。
【０４９９】
付属情報１８２は、図７５（ｂ）に示すように、属性情報１８４およびメーカーノート（maker note）１８５から構成されている。属性情報１８４は、画像ファイル１８１に関する属性情報等であり、例えば、ＧＰＳ情報、方位情報、撮像部の特性情報（例えば、デバイス特性）、撮影更新日時、画サイズ、色空間情報、メーカー名等が含まれる。
【０５００】
メーカーノート１８５は、一般的にユーザ独自のデータが記録される領域であり、各メーカーが自由に情報を記録することができる拡張領域である（ＴＡＧＩＤ＝３７５００、MakerNote）。図７５（ｃ）に示すように、メーカーノート１８５には、撮像画像に関する情報として、例えば、単眼撮影／複眼撮影１８６と、パノラマ画像の有無１８７と、合焦位置情報１８８と、顔情報１８９とが記録される。
【０５０１】
単眼撮影／複眼撮影１８６は、撮像素子１３４のみを用いて生成された画像データであるか（単眼撮影）、撮像素子１３４乃至１３６を用いて生成された画像データにより構成される画像データであるか（複眼撮影）を示す情報である。例えば、単眼撮影により生成された画像データである場合には「０」が格納され、複眼撮影により生成された画像データである場合には「１」が格納される。
【０５０２】
パノラマ画像の有無１８７は、アスペクト比が一定の値を超えた画像（パノラマ画像）であるか、それ以外の画像（通常の画像）であるかを示す情報である。例えば、通常の画像である場合には「０」が格納され、パノラマ画像である場合には「１」が格納される。
【０５０３】
合焦位置情報１８８は、撮像画像における合焦位置に関する情報であり、例えば、ＡＦ制御部２８１により検出された合焦位置に関する情報が格納される。
【０５０４】
顔情報１８９は、撮像部１３０により生成された画像に含まれる顔の位置およびサイズを含む情報である。例えば、顔の位置として、撮像画像における顔を含む矩形領域の左上隅の位置（座標）が格納され、顔のサイズとして、撮像画像におけるその矩形領域の垂直方向および水平方向の長さ（縦幅および横幅）が格納される。これらの顔情報は、顔検出部２８２により検出される。
【０５０５】
また、画像ファイル１８１に記録されている付属情報１８２（属性情報１８４およびメーカーノート１８５）を用いて、撮像画像における特定領域に含まれる画像を拡大画像として表示することができる。
【０５０６】
［ポストビュー画像の表示例］
次に、携帯電話装置１００を用いて撮影が行われた場合において、その撮影により記録された撮像画像を撮影直後に表示させる場合における表示方法について説明する。最初に、ポストビュー動作（ポストビュー表示）について説明する。
【０５０７】
ポストビュー動作は、静止画記録モードが設定されている状態で静止画の記録指示操作が行われた場合に、この記録指示操作による撮像画像の記録処理が終了した後に、一定期間、その記録処理により記録された撮像画像を自動的に表示させる動作である。このポストビュー動作において表示される画像（撮像画像）をポストビュー画像と称する。
【０５０８】
なお、ユーザにより静止画の記録指示操作が行われると、一定期間、モニタリング画像を表示部１４０に表示しない。具体的には、記録指示操作が行われてから、携帯電話装置１００において撮像画像の記録処理が終了するまでの間、画像信号処理や画像記録処理を行っているため、新たな撮像画像の撮影を行うことができない旨が表示部１４０に表示される。例えば、表示部１４０には、単色無地の画像（例えば、黒色や紺色）が表示され、この単色無地の画像上に、「処理中」や「しばらくお待ち下さい」等の文字や、装置内部で処理が実行中であることを表す標識（例えば、砂時計）が表示される。このように、新たな撮像画像の撮影を行うことができない旨を表す画像を「黒画像」と称し、この表示動作を「黒画像表示動作」と称する。すなわち、ユーザにより静止画の記録指示操作が行われると、黒画像表示動作により黒画像が表示部１４０に表示され、一定期間経過すると、ポストビュー動作によりポストビュー画像が表示部１４０に表示される。
【０５０９】
なお、以下では、３つの撮像素子が配列方向に横長に配置されている場合（すなわち、図７０（ａ）に示す配置構成である場合）を例にして説明する。また、本発明の各実施の形態では、「画像」と記載した場合には、画像そのものと、その画像を表示するための画像データとの両方の意味を含むものとする。
【０５１０】
［携帯電話装置の機能構成例］
図７６は、本発明の第１の実施の形態における携帯電話装置１００の機能構成例を示すブロック図である。携帯電話装置１００は、画像生成部１４１０と、画像メモリ１４２０と、記録制御部１４３０と、画像記憶部１４４０と、表示制御部１４５０と、表示部１４６０と、操作受付部１４７０と、姿勢検出部１４８０とを備える。
【０５１１】
画像生成部１４１０は、被写体を撮像して撮像画像を生成するものであり、生成された撮像画像を画像メモリ１４２０に保持させる。この撮像画像は、例えば、１つの撮像素子１１０１を用いて生成される撮像画像、または、３つの撮像素子１１０１、１３５、１３６を用いて生成された３つの撮像画像の合成により生成される撮像画像（例えば、パノラマ画像）である。これらの撮像画像は、操作受付部１４７０により受け付けられたユーザ操作に応じて生成される。なお、１つの撮像素子１１０１を用いて生成される撮像画像は、例えば、表示部１４６０における表示領域と略同一のアスペクト比の撮像画像とすることができる。また、画像生成部１４１０は、撮像画像の生成時における各情報を表示制御部１４５０および記録制御部１４３０に出力する。この撮像画像の生成時における各情報は、例えば、撮像画像に含まれる顔に関する情報（顔情報）や合焦位置に関する情報（合焦位置情報）である（例えば、図７５（ｃ）に示す各情報）。なお、画像生成部１４１０は、例えば、図２に示す撮像部１３０およびＤＳＰ２００（図７に示す画像信号処理部２２０、ＡＦ制御部２８１、顔検出部２８２等）に対応する。
【０５１２】
画像メモリ１４２０は、画像生成部１４１０により生成された撮像画像、または、表示制御部１４５０により画像記憶部１４４０から取得された撮像画像（画像ファイル）を保持するものである。そして、画像メモリ１４２０は、保持されている撮像画像を記録制御部１４３０または表示制御部１４５０に供給する。なお、画像メモリ１４２０は、例えば、図２に示す画像メモリ１７０に対応する。
【０５１３】
記録制御部１４３０は、操作受付部１４７０により受け付けられたユーザ操作に応じて、画像生成部１４１０により生成されて画像メモリ１４２０に保持されている撮像画像を画像記憶部１４４０に画像ファイルとして記録させるものである。また、記録制御部１４３０は、撮像画像の記録の際に、画像生成部１４１０から出力された情報（撮像画像の生成時における各情報）をその画像ファイルに記録させる。なお、記録制御部１４３０は、例えば、図２に示すＤＳＰ２００（図７に示す撮像制御部２０１、解像度変換部２５１、符号化復号化部２５２等）に対応する。
【０５１４】
画像記憶部１４４０は、画像生成部１４１０により生成された撮像画像を画像ファイルとして記憶するものであり、記憶されている画像ファイルを表示制御部１４５０に供給する。なお、画像記憶部１４４０は、例えば、図２に示す記録媒体１８０に対応する。
【０５１５】
表示制御部１４５０は、操作受付部１４７０により受け付けられたユーザ操作に応じて、画像生成部１４１０により生成されて画像メモリ１４２０に保持されている撮像画像を表示部１４６０に表示させるものである。例えば、表示制御部１４５０は、記録制御部１４３０により画像記憶部１４４０に記録された撮像画像と同一の画像を表示部１４６０に表示させる。この場合に、画像生成部１４１０から出力された情報（撮像画像の生成時における各情報）に基づいて、画像メモリ１４２０に保持されている撮像画像における特定領域の拡大画像を表示させることができる。また、撮像画像とこれにおける特定領域の拡大画像とを関連付けて表示させることができる。この表示制御例については、図７８乃至図８５等に示す。
【０５１６】
また、表示制御部１４５０は、操作受付部１４７０により受け付けられたユーザ操作に応じて、画像記憶部１４４０に記憶されている画像ファイルを取得して画像メモリ１４２０に保持させてその画像ファイルの撮像画像を表示部１４６０に表示させる。例えば、表示制御部１４５０は、取得された画像ファイルに記録されている情報（撮像画像の生成時における各情報）に基づいて、画像メモリ１４２０に保持されている撮像画像における特定領域の拡大画像を表示させることができる。このように特定領域の拡大画像が表示されている場合に、その拡大画像の表示状態を変更する操作入力が受け付けられると、その拡大画像の切出対象となった撮像画像の種類に応じて、その操作入力に基づく制御量を変更してその拡大画像の表示状態を変更させる。また、特定領域の拡大画像が表示されている場合に、その拡大画像の表示状態を変更する操作入力が受け付けられると、姿勢検出部１４８０により検出された表示部１４６０の姿勢に応じて、その操作入力に基づく制御量を変更するようにしてもよい。表示部１４６０の姿勢は、例えば、横長状態または縦長状態である。なお、これらの表示制御例については、図９２乃至図９５（本発明の第２の実施の形態）等に示す。
【０５１７】
また、表示制御部１４５０は、操作受付部１４７０により受け付けられたユーザ操作に応じて、各設定画面（例えば、図７７、図９１に示す設定画面）を表示部１４６０に表示させる。なお、表示制御部１４５０は、例えば、図２に示すＤＳＰ２００（図７に示す撮像制御部２０１、ＣＰＵ２０２、符号化復号化部２５２、解像度変換部２３１、画像回転処理部２３２等）に対応する。
【０５１８】
表示部１４６０は、表示制御部１４５０の制御に基づいて各画像を表示するものである。この表示例については、図７８乃至図８５、図９２乃至図９５（本発明の第２の実施の形態）等に示す。なお、表示部１４６０は、例えば、図２に示す表示部１４０に対応する。
【０５１９】
操作受付部１４７０は、ユーザによる操作入力を受け付ける操作受付部であり、受け付けられた操作入力の内容を各部に出力する。例えば、操作受付部１４７０は、ユーザにより静止画記録指示操作が行われた場合には、その旨を画像生成部１４１０、記録制御部１４３０および表示制御部１４５０に出力する。また、操作受付部１４７０は、画像記憶部１４４０に記憶されている画像ファイルを表示する表示指示操作が行われた場合には、その旨を表示制御部１４５０に出力する。また、操作受付部１４７０は、画像記憶部１４４０に記憶されている画像ファイルが表示されている場合に、その表示状態を変更する指示操作が行われた場合には、その旨を表示制御部１４５０に出力する。なお、操作受付部１４７０は、例えば、図１および図２に示す各操作部材（撮像範囲切替スイッチ１１１、静止画／動画切替スイッチ１１２、テンキー１１３、決定キー１１４、十字キー１１５等）に対応する。
【０５２０】
姿勢検出部１４８０は、表示部１４６０の姿勢を検出するものであり、その検出結果を表示制御部１４５０に出力する。例えば、姿勢検出部１４８０は、第２の筐体１２０が横長状態である場合には、表示部１４６０の姿勢が横長状態であることを検出し、第２の筐体１２０が縦長状態である場合には、表示部１４６０の姿勢が縦長状態であることを検出する。なお、姿勢検出部１４８０は、図２に示す回動状態検出部１５０に対応する。
【０５２１】
［ポストビュー動作の設定画面の表示例］
図７７は、本発明の第１の実施の形態における表示部１４０のポストビュー動作の設定画面（設定画面１２００、１２１０）の表示例を示す図である。これらの設定画面は、ポストビュー動作を行う際における表示方法を設定するための画面である。
【０５２２】
ここで、本発明の第１の実施の形態では、ポストビュー画像を表示する場合に、表示対象となる画像の種類に応じて表示方法を変更する。例えば、ポストビュー表示の対象となる画像がパノラマ画像でない場合（例えば、アスペクト比が表示部１４０の表示領域と略同一である場合）には、その表示対象となる画像のみをポストビュー表示させる。一方、ポストビュー表示の対象となる画像がパノラマ画像である場合（例えば、アスペクト比が一定の基準を超えている場合）には、そのパノラマ画像と、これにおける特定領域を拡大した画像（拡大画像）とを、同時または順次ポストビュー表示させる。
【０５２３】
図７７（ａ）には、ポストビュー表示の対象となるパノラマ画像における特定領域を指定するための設定画面１２００を示す。設定画面１２００には、その表示対象となるパノラマ画像における特定領域を指定するための複数の操作ボタン１２０１乃至１２０４が設けられている。なお、設定画面１２００は、例えば、ユーザにより所定の操作入力が行われた場合に、表示部１４０に表示される。
【０５２４】
「人物の顔」ボタン１２０１は、パノラマ画像における特定領域として、人物の顔を含む領域を指定する際に押下されるボタンである。
【０５２５】
「フォーカスが合っている被写体」ボタン１２０２は、パノラマ画像における特定領域として、フォーカスが合っている被写体を含む領域を指定する際に押下されるボタンである。
【０５２６】
「パノラマ画像の真中領域」ボタン１２０３は、パノラマ画像における特定領域として、そのパノラマ画像の真中領域を指定する際に押下されるボタンである。
【０５２７】
「表示時に手動操作により指定」ボタン１２０４は、パノラマ画像における特定領域を、そのパノラマ画像が表示された状態でユーザの手動操作により指定する際に押下されるボタンである。
【０５２８】
なお、これらの各操作ボタンの押下操作が行われた後に、決定操作（例えば、決定キー１１４の押下操作）が行われると、その押下された操作ボタンに対応する内容が設定内容として決定される。
【０５２９】
図７７（ｂ）には、ポストビュー表示の対象となる画像がパノラマ画像である場合における表示方法を指定するための設定画面１２１０を示す。設定画面１２１０には、その表示方法を指定するための複数の操作ボタン１２１１乃至１２１４が設けられている。なお、設定画面１２１０は、例えば、ユーザにより所定の操作入力（例えば、設定画面１２００が表示された状態での決定操作）が行われた場合に、表示部１４０に表示される。
【０５３０】
「全体表示→指定領域拡大表示（自動）」ボタン１２１１は、ポストビュー表示の対象となる画像がパノラマ画像である場合に、そのパノラマ画像（全体）を表示した後に指定領域を拡大表示する表示方法を指定する際に押下されるボタンである。また、この表示方法では、そのパノラマ画像から指定領域（拡大表示）への遷移が自動で行われる。ここで、指定領域は、図７７（ａ）に示す設定画面１２００において指定された特定領域である。
【０５３１】
「全体表示→指定領域拡大表示（手動）」ボタン１２１２は、ポストビュー表示の対象となる画像がパノラマ画像である場合に、そのパノラマ画像（全体）を表示した後に指定領域を拡大表示する表示方法を指定する際に押下されるボタンである。また、この表示方法では、そのパノラマ画像から指定領域（拡大表示）への遷移がユーザの手動操作により行われる。
【０５３２】
「指定領域拡大表示→全体表示（自動）」ボタン１２１３は、ポストビュー表示の対象となる画像がパノラマ画像である場合に、指定領域を拡大表示した後にパノラマ画像（全体）を表示する表示方法を指定する際に押下されるボタンである。また、この表示方法では、指定領域（拡大表示）からパノラマ画像への遷移が自動で行われる。
【０５３３】
「指定領域拡大表示→全体表示（手動）」ボタン１２１４は、ポストビュー表示の対象となる画像がパノラマ画像である場合に、指定領域を拡大表示した後にパノラマ画像（全体）を表示する表示方法を指定する際に押下されるボタンである。また、この表示方法では、指定領域（拡大表示）からパノラマ画像への遷移がユーザの手動操作により行われる。
【０５３４】
なお、これらの各操作ボタンの押下操作が行われた後に、決定操作（例えば、決定キー１１４の押下操作）が行われると、その押下された操作ボタンに対応する内容が設定内容として決定される。
【０５３５】
［第２の筐体が横長状態である場合におけるポストビュー画像の表示例］
図７８乃至図８５は、本発明の第１の実施の形態における表示部１４０に表示されるポストビュー画像の表示遷移例を示す図である。この例では、第２の筐体１２０が横長状態である場合において、静止画撮像モードが設定され、ユーザによる静止画の記録指示操作が行われた場合を例にして説明する。また、この例では、３つの撮像素子が配列方向に横長に配置されている場合（すなわち、図７０（ａ）に示す配置構成である場合）を例にして説明する。
【０５３６】
図７８には、設定画面１２００において「人物の顔」ボタン１２０１が押下され、設定画面１２１０において「全体表示→指定領域拡大表示（自動）」ボタン１２１１が押下されて、それぞれの決定操作が行われた場合における表示遷移例を示す。
【０５３７】
静止画撮像モードが設定されている場合には、ユーザによる静止画の記録指示操作が行われるまでの間、モニタリング動作が実行される。そして、モニタリング動作が行われている状態で、ユーザによる静止画の記録指示操作（例えば、決定キー１１４の押下操作）が行われた場合には、静止画記録処理（静止画撮像動作および静止画記録動作）が行われる。具体的には、撮像部１３０がＡＦ（オートフォーカス（自動合焦））動作を行い、焦点を被写体に合わせる。続いて、撮像素子１１０１、１３５、１３６により取り込まれた画像データについてＤＳＰ２００が画像信号処理を施し、画像信号処理が施された画像データ（撮像画像）が画像ファイルとして記録媒体１８０に書き込まれる。
【０５３８】
図７８（ａ）には、静止画記録処理により画像メモリ１７０に保持された撮像画像を示す。この撮像画像は、図７１（ａ）に示す撮像範囲１１１１乃至１１１３に対応する画像である。
【０５３９】
上述したように、ＡＦ動作が行われた場合には、生成された撮像画像における合焦位置（合焦対象となった被写体の位置）がＡＦ制御部２８１に保存される。また、撮像画像に人物の顔が含まれる場合には、その人物の顔が顔検出部２８２により検出され、この検出された顔の位置（撮像画像における顔の位置）が顔検出部２８２に保存される。また、このように検出された顔を合焦対象としてＡＦ動作を行う顔検出ＡＦが行われた場合には、撮像画像における合焦対象となった顔の位置（合焦位置）が顔検出部２８２に保存される。これらの顔の位置として、例えば、検出された顔の少なくとも一部を含む矩形領域の１つの頂点（例えば、左上の頂点）と、垂直方向の長さ（縦幅）および水平方向の長さ（横幅）とが保存される。
【０５４０】
また、静止画記録処理の期間中は、携帯電話装置１００により新たな撮影を行うことができないことをユーザに通知するため、その旨が表示部１４０に表示される。例えば、表示部１４０には黒画像が表示される。そして、静止画記録処理が終了した場合には、表示部１４０に表示されている黒画像が消去され、ポストビュー動作が行われる。なお、表示部１４０における黒画像の表示からポストビュー画像の表示への移行は、ユーザからの指示を受けることなく、携帯電話装置１００により自動的に行われる。
【０５４１】
図７８（ｂ）には、静止画記録処理により画像メモリ１７０に保持された撮像画像の全体を表示する場合における表示例を示す。ポストビュー動作が行われる場合には、最初に、図７８（ｂ）に示すように、静止画記録処理により記録された撮像画像の全体（全体画像）が表示部１４０に表示される。
【０５４２】
ここで、図７に示すように、記録用の解像度変換を行う前の画像データが画像メモリ１７０に書き込まれる。そして、解像度変換部（記録用解像度変換部）２５１が、その書き込まれた画像データを画像メモリ１７０から読み出し、この読み出された画像データを記録用の解像度に変換する。続いて、その記録用の解像度変換がされた画像データが符号化復号化部２５２により符号化され、この符号化された画像データが、記録媒体とのＩ／Ｆ２５３を経由して記録媒体１８０に記録される。このように、静止画記録処理では、符号化前かつ記録用の解像度変換前の画像データが画像メモリ１７０に保持される。
【０５４３】
ポストビュー動作において、全体画像を表示する場合には、画像メモリ１７０に保持されている画像データが読み出されて表示される。すなわち、画像メモリ１７０から読み出された画像データについて、解像度変換部２３１が、表示部１４０に画像全体を表示するのに適した解像度に変換する。
【０５４４】
例えば、撮像素子１１０１、１３５、１３６により生成された画像データを全て合成することにより、約８２９万画素（横５７６０画素×縦１４４０画素）の合成画像（横対縦の比が１２：３）が得られる。また、表示部１４０の横対縦の比は４：３である。そこで、図７１（ｂ）に示す例と同様に、合成画像の縦方向および横方向における解像度を１／９に下げるように、解像度変換部２３１が解像度変換を行う。この１／９の解像度変換が行われた画像が、図７８（ｂ）に示すように、表示部１４０における垂直方向の中央部分（撮像画像表示領域１２２１）に表示させる。ここで、表示された画像の上下の余白部分（余白画像表示領域１２２２および１２２３）には、例えば、単一色の画像を表示させることができる。
【０５４５】
このように撮像素子１１０１、１３５、１３６を用いて生成された合成画像（パノラマ画像）をポストビュー表示させることができる。ここで、図７８（ｂ）に示すように、ポストビュー表示させるパノラマ画像は、解像度が比較的低い状態で表示される。このため、例えば、パノラマ画像に含まれる人物５０１の顔（例えば、その表情や目瞑り）を確認したいような場合には、その顔が小さいため、その確認が困難であることも想定される。そこで、本発明の第１の実施の形態では、ポストビュー動作時において、表示対象となる画像がパノラマ画像である場合には、そのパノラマ画像とそのパノラマ画像における特定領域の拡大画像とを関連付けて表示させる。これにより、ユーザがパノラマ画像の撮影を行った場合に、その全体と、ユーザが注目する領域（特定領域）とを容易に確認することができる。
【０５４６】
ここで、上述したように、撮像画像に人物の顔が含まれる場合には、その人物の顔が顔検出部２８２により検出され、この検出された顔の位置（矩形領域の１つの頂点、縦幅および横幅）が顔検出部２８２に保存される。例えば、画像メモリ１７０に保持されている画像データに含まれる人物５０１および５０２の各顔が、顔検出部２８２により検出され、この検出された顔の位置（矩形領域１２３１および１２３２）が顔検出部２８２に保存される。そこで、拡大画像を表示する場合には、この顔の位置を用いて拡大画像を生成する。例えば、その顔の位置（矩形領域１２３１および１２３２）に対応する画像を、表示部１４０における表示領域の画素数に合わせて解像度変換する。
【０５４７】
なお、本発明の各実施の形態では、撮像画像（全体画像）の一部が切り出された画像（切出画像）が表示部１４０に表示される際の解像度と、切り出す前の全体画像が表示部１４０に表示される際の解像度とに基づいて拡大画像を定義する。すなわち、切出画像が表示部１４０に表示される際の解像度（画像メモリ１７０における解像度）が、切り出す前の全体画像が表示部１４０に表示される際の解像度（画像メモリ１７０における解像度）よりも小さい場合に、その切出画像を拡大画像と定義する。また、本発明の各実施の形態では、その切出画像を表示する動作を「拡大表示動作」または「拡大表示」と称する。さらに、全体画像の表示時における全体画像の解像度（画像メモリ１７０における解像度）に対する切出画像の表示時における切出画像の解像度（画像メモリ１７０における解像度）の比を「拡大率」と称する。
【０５４８】
ここで、拡大画像を表示する場合に、表示対象となる人物の顔の画像（顔画像）を表示部１４０（横６４０画素×縦４８０画素（横対縦の比＝４：３））の表示領域における縦方向の３／４を占めるように表示する場合を例にして説明する。例えば、横５７６０画素×縦１４４０画素（横対縦の比＝１２：３）の画像データが画像メモリ１７０に保持されている場合において、その画像データに含まれる人物の顔が、その画像データの縦方向の１／８の大きさである場合を想定する。この場合には、画像メモリ１７０に保持されている画像データにおける顔画像の縦方向の大きさが１８０画素となる。このため、その顔を中心とする周辺画像（横３２０画素×縦２４０画素（横対縦の比＝４：３））を２倍に解像度変換することにより、その顔画像が表示部１４０の表示領域における縦方向の３／４を占めるように表示することができる。すなわち、その周辺画像（横３２０画素×縦２４０画素（横対縦の比＝４：３））を２倍に解像度変換して、表示対象画像（横６４０画素×縦４８０画素（横対縦の比＝４：３））を生成する。これにより、画像メモリ１７０に保持されている画像データにおける縦方向の大きさが１８０画素であった顔画像から、縦方向の大きさが３６０画素の表示対象画像を生成することができる。
【０５４９】
ここで、解像度が小さい画像から大きい画像へ解像度変換する場合には、画像信号処理として公知の解像度変換方法（例えば、線形補間処理）を用いることができる。このように、解像度が小さい画像から大きい画像を生成する処理は、一般に超解像処理と呼ばれる。この超解像処理を行う装置は、半導体装置として市販されているため、このような半導体装置を用いて解像度変換を行うことができる。すなわち、このような半導体装置をＤＳＰ２００に組み込み、このＤＳＰ２００を用いて解像度変換を行うことができる。
【０５５０】
また、上述した例では、表示部１４０の表示領域における縦方向の画素数（４８０画素）よりも、画像メモリ１７０に保持されている画像データにおける顔画像の縦方向の画素数（１８０画素）が小さい場合を例にして説明した。このため、画像メモリ１７０に保持されている画像データから表示対象画像を生成する場合には、表示部１４０の表示領域における縦方向の画素数（４８０画素）に合わせるために解像度を上げる解像度変換を行う必要があった。ただし、表示部１４０の表示領域における縦方向の画素数（４８０画素）よりも、画像メモリ１７０に保持されている画像データにおける顔画像の縦方向の画素数が大きいことも想定される。この場合において、画像メモリ１７０に保持されている画像データから表示対象画像を生成する場合には、表示部１４０の表示領域における縦方向の画素数（４８０画素）に合わせるために解像度を下げる解像度変換を行う。このようにして生成された表示対象画像を表示部１４０の全面に表示させる。
【０５５１】
図７８（ｃ）には、静止画記録処理により画像メモリ１７０に保持された撮像画像の一部を拡大画像として表示する場合における表示例を示す。図７８（ｂ）に示すように、撮像画像の全体（全体画像）が表示部１４０に一定時間表示される。そして、一定時間経過後に、設定内容に応じた特定領域の拡大画像が表示部１４０に表示される。この例では、「人物の顔」ボタン１２０１の押下操作および決定操作がされているため、人物の顔を含む領域が特定領域となる。このため、人物５０１または５０２の顔を含む領域（矩形領域１２３１または１２３２）が拡大画像の表示対象となる。このように複数の人物の顔が検出されている場合には、撮像画像における顔のサイズ、撮像画像における顔の位置（例えば、中央寄り、左端寄り）、合焦対象となった顔であるか否かに基づいて、拡大画像として表示される顔を決定することができる。例えば、図７８（ｃ）に示す例では、画像メモリ１７０に保持されている画像に含まれる顔のうち、その位置が中央寄りであり、そのサイズが大きい人物５０１の顔が、拡大画像として表示される顔として決定される例を示す。
【０５５２】
また、パノラマ画像を表示（第１段階のポストビュー表示）させた後に、拡大画像を表示させるまでの時間（一定時間）については、ユーザ操作により変更可能として、ユーザが予め設定しておくことが好ましい。また、拡大画像を一定時間表示（第２段階のポストビュー表示）した場合には、ポストビュー画像の表示動作を終了して、モニタリング動作へ移行する。
【０５５３】
ここで、複数の人物の顔が検出されている場合には、例えば、検出された複数の顔を包含する矩形で囲まれた領域を拡大画像として表示するようにしてもよい。また、検出された複数の顔のそれぞれを、拡大画像として一定時間毎に順次表示するようにしてもよい。さらに、検出された複数の顔を含む顔画像を拡大画像として並べて表示するようにしてもよい。この場合における拡大画像は、表示部１４０の表示対象領域のサイズよりも小さいサイズとなる。また、このように並べて表示されている拡大画像の中から、ユーザ操作により選択された拡大画像のみを、１つの拡大画像として表示部１４０に表示するようにしてもよい。これらの表示方法については、ユーザ操作により設定するようにしてもよい。例えば、図７７（ａ）に示す設定画面１２００における「人物の顔」ボタン１２０１の押下操作および決定操作が行われた後に、その表示方法を設定するための設定画面を表示させ、この設定画面においてユーザ操作により設定するようにしてもよい。また、拡大画像として表示させる顔の上限値（例えば、２乃至５）を、ユーザ操作により設定可能とするようにしてもよい。
【０５５４】
例えば、人物５０１の顔および人物５０２の顔を含む矩形領域を拡大画像として表示する例を図７９（ｃ）に示す。また、人物５０１の顔を含む領域および人物５０２の顔を含む領域の双方を拡大画像として同時に表示する例を図８０（ｃ）に示す。さらに、人物５０１の顔を含む領域および人物５０２の顔を含む領域の双方を拡大画像として順次表示する例を図８１（ｂ）および（ｃ）に示す。また、人物５０１の顔を含む領域および人物５０２の顔を含む領域の双方を拡大画像として、パノラマ画像とともに表示する例を図８２（ｂ）に示す。
【０５５５】
図７９には、設定画面１２００において「人物の顔」ボタン１２０１が押下され、設定画面１２１０において「全体表示→指定領域拡大表示（自動）」ボタン１２１１が押下されて、それぞれの決定操作が行われた場合における表示遷移例を示す。この例は、複数の人物の顔を包含する矩形で囲まれた領域を拡大画像として表示する例である。なお、図７９（ａ）および（ｂ）に示す例は、図７８（ａ）および（ｂ）に示す例と略同一であるため、ここでの詳細な説明を省略する。
【０５５６】
図７９（ｃ）には、静止画記録処理により画像メモリ１７０に保持された撮像画像の一部を拡大画像として表示する場合における表示例を示す。図７９（ｂ）に示すように、撮像画像の全体（全体画像）が表示部１４０に一定時間表示された後に、人物５０１の顔を含む矩形領域１２３１と、人物５０２の顔を含む矩形領域１２３２とを包含する矩形領域１２３３を拡大画像として表示する。この各顔を包含する矩形領域は、例えば、顔を含む矩形領域のそれぞれのうち、上下方向の最大値および最小値と、左右方向の最大値および最小値とを特定し、この特定された各値により決定することができる。
【０５５７】
また、矩形領域１２３３に含まれる画像が表示部１４０に表示されるように、矩形領域１２３３に含まれる画像について解像度変換部２３１が解像度変換を行う。図７９（ａ）に示すように、矩形領域１２３３に含まれる画像が横長であるため、表示部１４０の表示領域における横方向の解像度と、矩形領域１２３３に含まれる画像の横方向の解像度とが同一となるように解像度変換が行われる。この解像度変換が行われた画像が、図７９（ｃ）に示すように、表示部１４０における垂直方向の中央部分（撮像画像表示領域１２２４）に表示される。ここで、表示された画像の上下の余白部分（余白画像表示領域１２２５および１２２６）には、例えば、単一色の画像を表示させることができる。
【０５５８】
図８０には、設定画面１２００において「人物の顔」ボタン１２０１が押下され、設定画面１２１０において「全体表示→指定領域拡大表示（自動）」ボタン１２１１が押下されて、それぞれの決定操作が行われた場合における表示遷移例を示す。この例は、複数の人物の顔について、それぞれの矩形領域を拡大画像として表示する例である。なお、図８０（ａ）および（ｂ）に示す例は、図７８（ａ）および（ｂ）に示す例と同一であるため、ここでの詳細な説明を省略する。
【０５５９】
図８０（ｃ）には、静止画記録処理により画像メモリ１７０に保持された撮像画像の一部を拡大画像として表示する場合における表示例を示す。図８０（ｂ）に示すように、撮像画像の全体（全体画像）が表示部１４０に一定時間表示された後に、人物５０１の顔を含む矩形領域１２３１と、人物５０２の顔を含む矩形領域１２３２とのそれぞれが拡大画像として表示される。この場合に、各拡大画像は、水平方向または上下方向に並べて表示させることができる。
【０５６０】
なお、表示対象となる顔の数が多い場合には、各拡大画像をマトリクス状に配置して表示させることができる。また、各拡大画像の一部を表示部１４０に表示させ、他の拡大画像については、スクロール操作により表示させるようにしてもよい。このように表示されている複数の拡大画像について、これらの拡大画像の中からユーザによる所定操作（例えば、十字キー１１５）により１または複数の拡大画像が選択された場合には、この選択された拡大画像のみを表示させるようにしてもよい。
【０５６１】
また、矩形領域１２３１および１２３２に含まれる各画像が表示部１４０に表示されるように、矩形領域１２３１および１２３２に含まれる画像について解像度変換部２３１が解像度変換を行う。図８０（ｃ）に示す例では、表示対象となる矩形領域が２つであるため、矩形領域１２３１および１２３２に含まれる各画像を同一のサイズとし、表示部１４０に水平方向に並べて表示される。この場合には、表示部１４０の表示領域における横方向の解像度と、同一のサイズとされた矩形領域１２３１および１２３２に含まれる各画像の横方向の解像度の合計値とが同一となるように解像度変換が行われる。この解像度変換が行われた画像が、図８０（ｃ）に示すように、表示部１４０における垂直方向の中央部分（撮像画像表示領域１２２７）に表示される。ここで、表示された画像の上下の余白部分（余白画像表示領域１２２８および１２２９）には、例えば、単一色の画像を表示させることができる。
【０５６２】
図８１には、設定画面１２００において「人物の顔」ボタン１２０１が押下され、設定画面１２１０において「全体表示→指定領域拡大表示（自動）」ボタン１２１１が押下されて、それぞれの決定操作が行われた場合における表示遷移例を示す。この例は、複数の人物の顔について、それぞれの矩形領域を拡大画像として順次表示する例である。なお、図８１（ａ）および（ｂ）に示す例は、図７８（ｂ）および（ｃ）に示す例と同一であるため、ここでの詳細な説明を省略する。
【０５６３】
図８１（ｃ）には、静止画記録処理により画像メモリ１７０に保持された撮像画像の一部を拡大画像として表示する場合における表示例を示す。図８１（ａ）および（ｂ）に示すように、撮像画像の全体（全体画像）が表示部１４０に一定時間表示された後に、人物５０１の顔を含む矩形領域１２３１に含まれる画像が表示部１４０に一定時間表示される。そして、図８１（ｃ）に示すように、人物５０１の顔を含む画像が表示部１４０に一定時間表示された後に、人物５０２の顔を含む矩形領域１２３２に含まれる画像が拡大画像として表示される。なお、図８１（ｃ）に示す例は、表示対象となる矩形領域が異なる点以外は、図７８（ｃ）に示す例と同様であるため、ここでの詳細な説明を省略する。
【０５６４】
図８２には、設定画面１２００において「人物の顔」ボタン１２０１が押下されて決定操作が行われた場合における他の表示例を示す。この例は、複数の人物の顔について、それぞれの矩形領域を拡大画像として、パノラマ画像と同時に表示する例である。なお、図８２（ａ）に示す例は、図７８（ａ）に示す例と同一であるため、ここでの詳細な説明を省略する。
【０５６５】
図８２（ｂ）には、静止画記録処理により画像メモリ１７０に保持された撮像画像およびその一部（拡大画像）を同時に表示する場合における表示例を示す。なお、図８２（ｂ）に示す例は、図７８（ｂ）の撮像画像表示領域１２２１に表示されるパノラマ画像と、図８０（ｃ）の撮像画像表示領域１２２７に表示される拡大画像とを同時に表示する例である。すなわち、表示部１４０における撮像画像表示領域１２３５にパノラマ画像が表示され、撮像画像表示領域１２３６にその拡大画像が表示される。これらの各画像は、そのサイズ等に応じて配置が決定されるが、この例では、上下方向に並べて配置される例を示す。また、表示された各画像の上下の余白部分（余白画像表示領域１２３７乃至１２３９）には、例えば、単一色の画像を表示させることができる。なお、パノラマ画像および拡大画像の解像度変換等については、図７８（ｂ）および図８０（ｃ）に示す例と同様であるため、ここでの詳細な説明を省略する。また、図７８（ｂ）の撮像画像表示領域１２２１に表示されるパノラマ画像と、図７９（ｃ）の撮像画像表示領域１２２４に表示される拡大画像とを同時に表示するようにしてもよい。このように、パノラマ画像とともに、この特定領域の拡大画像を関連付けて一度に表示させるようにしてもよい。これにより、ユーザが一度にパノラマ画像および特定領域を確認することができる。
【０５６６】
以上では、３つの撮像素子を用いて生成されたパノラマ画像を表示部１４０に表示する場合には、解像度を１／９に下げる解像度変換処理を行ったパノラマ画像を表示部１４０に表示する例を示した。すなわち、パノラマ画像（例えば、横５７６０画素×縦１４４０画素（横対縦の比＝１２：３））について、解像度を１／９に下げるように解像度変換を行い、表示対象画像（横６４０画素×縦１６０画素（横対縦の比＝１２：３））を生成する。そして、生成された表示対象画像を表示部１４０（例えば、横６４０画素×縦４８０画素（横対縦の比＝４：３））に表示する例を示した。ただし、そのパノラマ画像の全体を表示する場合に、そのパノラマ画像の特定方向における所定位置（例えば、水平方向における中心位置）でそのパノラマ画像を分割し、分割後のパノラマ画像を並べて表示するようにしてもよい。
【０５６７】
図８３には、パノラマ画像およびその全部を拡大画像として表示する場合における表示例を示す。この例は、パノラマ画像を表示した後に、その全部を拡大画像として表示する例である。なお、図８３（ａ）および（ｂ）に示す例は、図７８（ａ）および（ｂ）に示す例と略同一であるため、ここでの詳細な説明を省略する。
【０５６８】
図８３（ｃ）には、静止画記録処理により画像メモリ１７０に保持された撮像画像の全部を拡大画像として表示する場合における表示例を示す。例えば、パノラマ画像（例えば、横５７６０画素×縦１４４０画素（横対縦の比＝１２：３））について、解像度を１／４．５に下げるように解像度変換を行い、表示対象画像（横１２８０画素×縦３２０画素（横対縦の比＝１２：３））を生成する。また、生成された表示対象画像の水平方向における中心位置１２４０（図８３（ａ）に示す）でその表示対象画像を分割して、２つの表示対象画像（横６４０画素×縦３２０画素（横対縦の比＝６：３））を生成する。そして、この分割後の表示対象画像を上下方向に並べて表示部１４０（例えば、横６４０画素×縦４８０画素（横対縦の比＝４：３））に表示する。例えば、分割後の表示対象画像の上下方向の一部が重なるようにして表示部１４０に表示することができる。この場合には、例えば、ユーザ操作により画像の選択操作が行われる毎にその選択操作が行われた画像を上側に重ねて表示させることができる。
【０５６９】
また、例えば、表示部１４０の表示領域に、分割後の表示対象画像の全部を表示させる場合には、表示部１４０の表示領域に合わせて解像度変換を行う。例えば、分割後の表示対象画像を上下方向に並べて表示させた場合に、表示部１４０の表示領域における縦方向に合うように、表示対象画像の解像度を下げるように解像度変換を行う。そして、その解像度変換が行われた２つの表示対象画像を上下方向に並べて表示部１４０に表示する。この表示例を図８３（ｃ）に示す。すなわち、表示部１４０における撮像画像表示領域１２４１に分割後のパノラマ画像が表示される。また、表示された各画像の左右の余白部分（余白画像表示領域１２４２および１２４３）には、例えば、単一色の画像を表示させることができる。なお、生成された表示対象画像の水平方向における中心位置付近には、最も重要となる被写体（例えば、撮影者の最も好みの人物）が含まれている可能性が高い。そこで、例えば、生成された表示対象画像の水平方向における中心位置から離れた位置を、分割境界とするようにしてもよい。また、例えば、中心位置付近において顔が検出された場合に、分割境界がその検出された顔にかからないように分割境界を水平方向に移動して変更するようにしてもよい。また、表示部１４０に表示されているパノラマ画像（図８３（ｂ）に示す）について、分割境界を指定する指定操作を受け付け、この指定された分割境界を用いるようにしてもよい。
【０５７０】
［手動操作による拡大画像の表示遷移例］
以上では、パノラマ画像から拡大画像への表示遷移等を一定時間経過後に自動で行う例を示した。ただし、この表示遷移等をユーザの好みに応じて手動操作により行うようにしてもよい。例えば、ユーザがパノラマ画像の全体を見て、このパノラマ画像の拡大画像を見る必要がないと考えることも想定される。例えば、パノラマ画像の構図の取り方が失敗してすぐに撮り直ししたいような場合、または、パノラマ画像に含まれる被写体（例えば、風景のみ）の細部を確認する必要がない場合等が考えられる。そこで、この例では、第１段階の表示として、パノラマ画像の全体が表示されている場合に、このパノラマ画像における拡大画像を表示させるか否かをユーザ操作により決定し、このユーザ操作に応じて拡大画像を表示する例を示す。
【０５７１】
図８４には、設定画面１２００において「人物の顔」ボタン１２０１が押下され、設定画面１２１０において「全体表示→指定領域拡大表示（手動）」ボタン１２１２が押下されて、それぞれの決定操作が行われた場合における表示遷移例を示す。すなわち、この例は、図７８の変形例であり、パノラマ画像から拡大画像への遷移をユーザ操作により行う点が異なる。このため、図７８と共通する部分には同一の符号を付して、これらの説明の一部を省略する。
【０５７２】
図８４（ｂ）には、静止画記録処理により画像メモリ１７０に保持された撮像画像の全体を表示する場合における表示例を示す。図７８（ｂ）と同様に、撮像画像表示領域１２２１には撮像画像の全体が表示され、撮像画像表示領域１２２１の上部分には余白画像表示領域１２２２が設けられる。ここで、図８４（ｂ）に示す例では、撮像画像表示領域１２２１の下部分の余白画像表示領域１２４５には、指定領域を拡大画像として表示するか否かを指示するための操作ボタンが設けられる。この操作ボタンとして、「指定領域を表示しない」ボタン１２４６および「指定領域を拡大表示」ボタン１２４７が表示される。
【０５７３】
「指定領域を表示しない」ボタン１２４６は、パノラマ画像が表示された後に、指定領域を拡大画像として表示しない場合に押下されるボタンである。このボタンが押下された場合には、パノラマ画像の表示後に拡大画像が表示されず、パノラマ画像が表示されてから一定時間経過後に、モニタリング動作に移行する。例えば、表示されているパノラマ画像のみを確認したい場合には、このボタンを押下することにより、次の撮影に迅速に移ることができる。
【０５７４】
「指定領域を拡大表示」ボタン１２４７は、パノラマ画像が表示された後に、指定領域を拡大画像として表示する場合に押下されるボタンである。このボタンを押下することにより、図８４（ｃ）に示すように、拡大画像が表示される。
【０５７５】
図８４（ｃ）には、静止画記録処理により画像メモリ１７０に保持された撮像画像の一部を拡大画像として表示する場合における表示例を示す。図８４（ｂ）に示す表示画面において、撮像画像の全体（全体画像）が表示部１４０に表示されてから一定時間が経過するまでに、「指定領域を拡大表示」ボタン１２４７が押下されると、設定内容に応じた特定領域の拡大画像が表示部１４０に表示される。この例では、図７８（ｃ）と同様に、画像メモリ１７０に保持されている画像に含まれる顔のうち、その位置が中央寄りであり、そのサイズが大きい人物５０１の顔が、拡大画像として表示される顔として決定される例を示す。
【０５７６】
また、パノラマ画像を表示（第１段階のポストビュー表示）させた後に、拡大画像を表示するか否かを決定するまでの時間（一定時間）については、ユーザ操作により変更可能として、ユーザが予め設定しておくことが好ましい。また、拡大画像を一定時間表示（第２段階のポストビュー表示）した後に、ポストビュー画像の表示動作を終了して、モニタリング動作へ移行する。
【０５７７】
以上では、撮像画像の全体を表示部１４０に表示（第１段階の表示）した後に、一定時間の経過後、または、所定操作がされた後に、その撮像画像の拡大画像を表示部１４０に表示（第２段階の表示）する例を示した。しかしながら、例えば、ポストビュー動作の第１段階として、撮像画像の拡大画像を表示部１４０に表示した後に、一定時間の経過後、または、所定操作がされた後に、その撮像画像の全体を表示部１４０に表示（第２段階の表示）するようにしてもよい。
【０５７８】
［手動操作による特定領域の指定後の拡大画像の表示遷移例］
以上では、予め設定されている特定領域を拡大画像として表示する例を示した。しかしながら、例えば、ユーザがパノラマ画像全体を見てから、このパノラマ画像における拡大画像として表示させたい領域を指定したいと考えることも想定される。そこで、この例では、第１段階の表示として、パノラマ画像の全体が表示されている場合に、このパノラマ画像における拡大画像として表示させる領域（特定領域）を指定し、この指定された特定領域を拡大画像として表示する例を示す。
【０５７９】
図８５には、設定画面１２００において「表示時に手動操作により指定」ボタン１２０４が押下され、設定画面１２１０において「全体表示→指定領域拡大表示（手動）」ボタン１２１２が押下されて、それぞれの決定操作が行われた場合における表示遷移例を示す。すなわち、この例は、図７８および図８４の変形例であり、拡大画像として表示される特定領域をパノラマ画像において指定する点が異なる。このため、図７８または図８４と共通する部分には同一の符号を付して、これらの説明の一部を省略する。
【０５８０】
図８５（ｂ）には、静止画記録処理により画像メモリ１７０に保持された撮像画像の全体を表示する場合における表示例を示す。図７８（ｂ）と同様に、撮像画像表示領域１２５０には撮像画像の全体が表示され、撮像画像表示領域１２５０の上下には余白画像表示領域１２２２および１２２３が設けられる。ここで、図８５（ｂ）に示す例では、撮像画像表示領域１２５０には、表示対象となる特定領域を指定するための特定領域候補標識１２５１および１２５２がパノラマ画像に重ねて表示される。この例では、顔検出部２８２により検出された顔を含む領域を、特定領域の候補としてユーザに明示する例を示す。例えば、特定領域候補標識１２５１および１２５２として、緑色の点線の矩形を用いることができる。そして、特定領域候補標識１２５１および１２５２の何れかをユーザ操作により選択することにより、選択された特定領域候補標識により特定される画像が拡大画像として表示される。この表示例を図８５（ｃ）に示す。
【０５８１】
図８５（ｃ）には、静止画記録処理により画像メモリ１７０に保持された撮像画像の一部を拡大画像として表示する場合における表示例を示す。図８５（ｂ）に示す表示画面において、撮像画像の全体（全体画像）が表示部１４０に表示されてから一定時間が経過するまでに、特定領域候補標識１２５１および１２５２の何れかを選択する選択操作がされた場合を想定する。この場合には、選択された特定領域候補標識により特定される拡大画像が表示部１４０に表示される。図８５（ｃ）には、特定領域候補標識１２５２の選択操作が行われた場合における表示例を示す。
【０５８２】
なお、この例では、複数の特定領域候補標識のうちから１つの特定領域候補標識を選択して拡大画像を表示する例を示すが、複数の特定領域候補標識を選択して、これらの各拡大画像を順次または同時に表示させるようにしてもよい。
【０５８３】
また、パノラマ画像を表示（第１段階のポストビュー表示）させた後に、拡大画像を表示するか否かを決定するまでの時間（一定時間）については、ユーザ操作により変更可能として、ユーザが予め設定しておくことが好ましい。また、拡大画像を一定時間表示（第２段階のポストビュー表示）した後に、ポストビュー画像の表示動作を終了して、モニタリング動作へ移行する。なお、パノラマ画像を表示（第１段階のポストビュー表示）させた後に一定時間内にユーザによる選択操作が行われなかった場合には、ポストビュー動作の第２段階としての拡大画像の表示を行わずにモニタリング動作へ移行する。
【０５８４】
なお、この例では、特定領域候補標識をパノラマ画像に重ねて表示しておき、この特定領域候補標識の中から、所望の特定領域候補標識を選択する例を示した。ただし、例えば、パノラマ画像上の任意の位置を指定して、この指定された位置を含む一定領域に含まれる画像を拡大画像として表示するようにしてもよい。例えば、表示部１４０をタッチパネルで構成し、このタッチパネルに表示されているパノラマ画像上で、ユーザが拡大表示したい位置を押下する。この押下された位置に対応する座標を検出し、その座標を中心とした一定領域を、表示部１４０の表示領域の画素数に合わせて解像度変換する。また、拡大画像の表示領域の大きさについては、ユーザの押下操作に応じて変更するようにしてもよい。例えば、同一の位置を複数回押下された場合には、その押下回数に応じて、拡大画像の表示領域を拡大させることができる。
【０５８５】
［第２の筐体が縦長状態である場合におけるポストビュー画像の表示例］
次に、第２の筐体１２０が縦長状態である場合において、静止画撮像モードが設定され、ユーザによる静止画の記録指示操作が行われた場合を例にして説明する。また、この例では、３つの撮像素子が配列方向に横長に配置されている場合（すなわち、図７０（ａ）に示す配置構成である場合）を例にして説明する。
【０５８６】
この例では、図７３（ｃ）に示す例と同様に、第２の筐体１２０を縦長状態とした場合に、図７３（ａ）に示す画素データ読出領域１１３０から読み出された画像データを表示部１４０に表示する場合を例にして説明する。また、この例では、設定画面１２００において「人物の顔」ボタン１２０１が押下され、設定画面１２１０において「全体表示→指定領域拡大表示（手動）」ボタン１２１２が押下されて、それぞれの決定操作が行われた場合における表示遷移例を示す。
【０５８７】
第２の筐体１２０が縦長状態である場合において、ポストビュー動作の第１段階として画像の全体が表示部１４０に表示される（図７３（ｃ）に示す）。この全体画像の表示方法については、第２の筐体１２０が横長状態である場合におけるポストビュー動作の第１段階としての全体画像表示と略同様である。
【０５８８】
また、表示部１４０に全体画像が表示されてから一定時間内にユーザ操作により指定領域の拡大表示を行う指示操作が行われた場合には、ポストビュー動作の第２段階としての指定領域の画像を拡大表示させる。例えば、図８４（ｂ）に示す「指定領域を表示しない」ボタン１２４６および「指定領域を拡大表示」ボタン１２４７を、ポストビュー動作の第１段階として表示されている全体画像に重ねて表示させ、これらのボタンを用いてその指示操作を行うことができる。
【０５８９】
ここで、第２の筐体１２０が横長配置である場合と同一の被写体を同一の距離から同一倍率で撮影した場合に、その被写体を第２の筐体１２０が横長配置である場合と同じ大きさで拡大表示する例について説明する。例えば、被写体５００に含まれる人物５０１の顔を拡大表示する例を示す。
【０５９０】
第２の筐体１２０が横長状態である場合には、上述したように、人物５０１の顔が、表示部１４０（横６４０画素×縦４８０画素（横対縦の比＝４：３））における表示領域の縦方向の３／４を占めるように拡大画像が表示される。具体的には、画像メモリ１７０に保持されている画像に含まれる人物５０１の顔（縦方向に１８０画素分の大きさ）が、縦方向に３６０画素分の大きさになるように解像度変換されて表示される。第２の筐体１２０が縦長状態である場合における拡大表示についても同様に、画像メモリ１７０に保持されている画像に含まれる人物５０１の顔が、縦方向に３６０画素分の大きさになるように解像度変換されて表示される場合を想定する。
【０５９１】
すなわち、画像メモリ１７０に保持されている画像（横１０８０画素×縦１４４０画素（横対縦の比＝３：４）に含まれる人物５０１の顔を中心とする画像（横２４０画素×縦３２０画素（横対縦の比＝３：４））が取り出される。この取り出された画像は、縦方向３２０画素のうち、人物５０１の顔が１８０画素分の大きさを占めているものとする。そして、この取り出された画像に含まれる人物５０１の顔が、縦方向に３６０画素分の大きさになるように解像度変換されて表示部１４０に表示される。
【０５９２】
［ポストビュー画像の拡大率の比較例］
次に、第２の筐体が横長状態である場合と縦長状態である場合とにおけるポストビュー画像の拡大率の比較例について説明する。この例では、同一の被写体を同一の距離から同一倍率で撮影した場合に、第２の筐体１２０が横長配置である場合および第２の筐体１２０が縦長配置である場合においてその被写体を同じ大きさで拡大表示する例について説明する。例えば、被写体５００に含まれる人物５０１の顔を拡大表示する例を示す。
【０５９３】
第２の筐体１２０が横長状態である場合には、３つの撮像素子１１０１、１３５、１３６を用いて生成された画像（横５７６０画素×縦１４４０画素（横対縦の比＝１２：３））が画像メモリ１７０に保持されているものとする。この保持されている画像には顔の画像（縦方向に１８０画素分の大きさ）が含まれるものとする。また、その画像を表示部１４０（横６４０画素×縦４８０画素（横対縦の比＝４：３））に表示する場合を想定する。
【０５９４】
上述したように、第２の筐体１２０が横長状態である場合において、画像メモリ１７０に保持されている画像の全体を表示部１４０に表示させる場合には、画像メモリ１７０に保持されている画像が、その解像度が１／９に下がるように解像度変換される。また、この場合において、人物５０１の顔の画像を、表示部１４０の表示領域における縦方向の３／４を占めるように表示させる場合には、画像メモリ１７０に保持されている画像が、その解像度が２倍に上がるように解像度変換される。
【０５９５】
本発明の第１の実施の形態では、上述したように、全体画像の表示時における表示対象画像の解像度に対する特定領域に含まれる画像（切出画像）の表示時における表示対象画像の解像度の比を「拡大率」と称する。このため、第２の筐体１２０が横長状態である場合における拡大表示の拡大率は１８倍である。
【０５９６】
また、上述したように、第２の筐体１２０が縦長状態である場合において、全体画像の表示および特定領域の画像を拡大表示する場合を想定する。この場合には、画像メモリ１７０に保持されている画像の全体を表示部１４０に表示させる場合には、上述したように、画像メモリ１７０に保持されている画像が、その解像度が１／２．２５に下がるように解像度変換される。また、第２の筐体１２０が横長状態である場合と同一の大きさとなるように人物５０１の顔の画像を表示する場合には、上述したように、画像メモリ１７０に保持されている画像が、その解像度が２倍に上がるように解像度変換される。このため、第２の筐体１２０が縦長状態である場合における拡大表示の拡大率は４倍である。
【０５９７】
このように、画像メモリ１７０に保持されている画像に含まれる同一の被写体を表示部１４０における大きさが同一となるように拡大表示する場合を想定する。この場合には、第２の筐体１２０が縦長状態である場合の拡大率よりも、第２の筐体１２０が横長状態である場合の拡大率を大きくすることができる。
【０５９８】
［携帯電話装置の動作例］
図８６は、本発明の第１の実施の形態における携帯電話装置１００によるポストビュー画像表示処理の処理手順の一例を示すフローチャートである。この例では、静止画記録処理により記録された撮像画像がパノラマ画像であるか否かに応じて、ポストビュー画像の表示方法を変更する例について説明する。
【０５９９】
最初に、静止画撮像モードが設定されているか否かが判断され（ステップＳ１５０１）、静止画撮像モードが設定されていない場合には、ポストビュー画像表示処理の動作を終了する。一方、静止画撮像モードが設定されている場合には（ステップＳ１５０１）、モニタリング処理が行なわれる（ステップＳ１５０２）。なお、上述したように、モニタリング処理時には、画素間引き処理や画素加算処理を行うようにしてもよい。
【０６００】
続いて、静止画の記録指示操作が行われたか否かが判断され（ステップＳ１５０３）、静止画の記録指示操作が行われていない場合には、モニタリング処理が繰り返し行われる（ステップＳ１５０２）。一方、静止画の記録指示操作が行われた場合には（ステップＳ１５０３）、静止画記録処理が行われる（ステップＳ１５０４）。そして、その静止画記録処理により記録された撮像画像がパノラマ画像であるか否かが判断される（ステップＳ１５０５）。なお、ステップＳ１５０２乃至Ｓ１５０４は、特許請求の範囲に記載の画像生成手順の一例である。また、ステップＳ１５０４は、特許請求の範囲に記載の記録制御手順の一例である。
【０６０１】
その静止画記録処理により記録された撮像画像がパノラマ画像である場合には（ステップＳ１５０５）、その静止画記録処理により記録された撮像画像（パノラマ画像）の全体が表示部１４０に表示される（ステップＳ１５０６）。このパノラマ画像は、例えば、一定時間継続して表示される。そして、一定時間経過後に、その静止画記録処理により記録された撮像画像（パノラマ画像）における特定領域の画像（拡大画像）が表示部１４０に表示される（ステップＳ１５０７）。この拡大画像は、例えば、一定時間継続して表示される。そして、一定時間経過後に、静止画撮像モードの解除操作が行われたか否かが判断され（ステップＳ１５０９）、静止画撮像モードの解除操作が行われた場合には、ポストビュー画像表示処理の動作を終了する。一方、静止画撮像モードの解除操作が行われていない場合には（ステップＳ１５０９）、ステップＳ１５０２に戻る。
【０６０２】
また、その静止画記録処理により記録された撮像画像がパノラマ画像でない場合には（ステップＳ１５０５）、その静止画記録処理により記録された撮像画像の全体が表示部１４０に表示される（ステップＳ１５０８）。この撮像画像は、例えば、一定時間継続して表示される。そして、一定時間経過後に、ステップＳ１５０９に進む。なお、ステップＳ１５０５乃至Ｓ１５０８は、特許請求の範囲に記載の表示制御手順の一例である。
【０６０３】
図８７は、本発明の第１の実施の形態における携帯電話装置１００によるポストビュー画像表示処理の処理手順の一例を示すフローチャートである。この処理手順は、図８６の変形例であり、パノラマ画像の全体表示と、その拡大画像表示との順序が異なる。また、この点以外については、図８６と同一であるため、図８６と共通する部分については、同一の符号を付してこれらの説明を省略する。
静止画記録処理により記録された撮像画像がパノラマ画像である場合には（ステップＳ１５０５）、その静止画記録処理により記録された撮像画像（パノラマ画像）における特定領域の画像（拡大画像）が表示部１４０に表示される（ステップＳ１５０７）。この拡大画像は、例えば、一定時間継続して表示される。そして、一定時間経過後に、その静止画記録処理により記録された撮像画像（パノラマ画像）の全体が表示部１４０に表示される（ステップＳ１５０６）。このパノラマ画像は、例えば、一定時間継続して表示される。
【０６０４】
図８８は、本発明の第１の実施の形態における携帯電話装置１００によるポストビュー画像表示処理の処理手順の一例を示すフローチャートである。この処理手順は、図８６の変形例であり、パノラマ画像の拡大画像の表示方法が異なる。また、この点以外については、図８６と同一であるため、図８６と共通する部分については、同一の符号を付してこれらの説明を省略する。
【０６０５】
静止画記録処理により記録された撮像画像（パノラマ画像）の全体が表示部１４０に表示された後に（ステップＳ１５０６）、一定時間が経過したか否かが判断される（ステップＳ１５１１）。一定時間が経過した場合には（ステップＳ１５１１）、ステップＳ１５０９に進む。一方、一定時間が経過していない場合には（ステップＳ１５１１）、拡大画像の表示指示操作が行われたか否かが判断される（ステップＳ１５１２）。
【０６０６】
拡大画像の表示指示操作が行われていない場合には（ステップＳ１５１２）、ステップＳ１５１１に戻る。一方、拡大画像の表示指示操作が行われた場合には（ステップＳ１５１２）、静止画記録処理により記録された撮像画像（パノラマ画像）における特定領域の画像（拡大画像）が表示部１４０に表示される（ステップＳ１５０７）。この拡大画像は、例えば、一定時間継続して表示される。
【０６０７】
図８９は、本発明の第１の実施の形態における携帯電話装置１００によるポストビュー画像表示処理の処理手順の一例を示すフローチャートである。この処理手順は、図８８の変形例であり、パノラマ画像の全体表示と、その拡大画像表示との順序が異なる。また、この点以外については、図８８と同一であるため、図８８と共通する部分については、同一の符号を付してこれらの説明を省略する。
【０６０８】
静止画記録処理により記録された撮像画像（パノラマ画像）における特定領域の画像（拡大画像）が表示部１４０に表示された後に（ステップＳ１５０７）、一定時間が経過したか否かが判断される（ステップＳ１５１１）。一定時間が経過した場合には（ステップＳ１５１１）、ステップＳ１５０９に進む。一方、一定時間が経過していない場合には（ステップＳ１５１１）、全体画像の表示指示操作が行われたか否かが判断される（ステップＳ１５１３）。
【０６０９】
全体画像の表示指示操作が行われていない場合には（ステップＳ１５１３）、ステップＳ１５１１に戻る。一方、全体画像の表示指示操作が行われた場合には（ステップＳ１５１３）、静止画記録処理により記録された撮像画像（パノラマ画像）の全体が表示部１４０に表示される（ステップＳ１５０６）。このパノラマ画像は、例えば、一定時間継続して表示される。
【０６１０】
図９０は、本発明の第１の実施の形態における携帯電話装置１００によるポストビュー画像表示処理の処理手順の一例を示すフローチャートである。この処理手順は、図８８の変形例であり、パノラマ画像の拡大画像の表示方法が異なる。また、この点以外については、図８８と同一であるため、図８８と共通する部分については、同一の符号を付してこれらの説明を省略する。
【０６１１】
静止画記録処理により記録された撮像画像（パノラマ画像）の全体が表示部１４０に表示された後に（ステップＳ１５０６）、一定時間が経過したか否かが判断される（ステップＳ１５１１）。一定時間が経過していない場合には（ステップＳ１５１１）、拡大画像として表示すべき領域の指定操作と、その拡大表示を指示する表示指示操作とが行われたか否かが判断される（ステップＳ１５２１）。
【０６１２】
その指定操作とその表示指示操作とが行われていない場合には（ステップＳ１５２１）、ステップＳ１５１１に戻る。一方、その指定操作とその表示指示操作とが行われた場合には（ステップＳ１５２１）、静止画記録処理により記録された撮像画像（パノラマ画像）における指定領域（ユーザ操作による指定領域）の拡大画像が表示部１４０に表示される（ステップＳ１５２２）。この拡大画像は、例えば、一定時間継続して表示される。
【０６１３】
なお、本発明の第１の実施の形態では、撮影直後にポストビュー画像を表示する場合を例にして説明したが、静止画を再生する場合についても同様に適用することができる。例えば、静止画の再生指示操作が行われ、静止画を１枚ずつの画送りで順次表示させる場合に、画像ファイルに含まれる属性情報に基づいて、表示対象となる画像がパノラマ画像であるか否かを判断する。そして、通常の画像である場合には、その画像のみを表示させる。一方、表示対象となる画像がパノラマ画像である場合には、上述したように、そのパノラマ画像とこれにおける特定領域の拡大画像とを関連付けて表示させる。これにより、１または複数の静止画を再生する場合に、通常の静止画はそのままの状態で表示され、パノラマ画像については、そのパノラマ画像とこれにおける特定領域の拡大画像とが関連付けて表示されるため、再生される静止画を見易くすることができる。このように、本発明の第１の実施の形態によれば、撮像画像の種類に応じた適切な表示を行うことができる。
【０６１４】
＜２．第２の実施の形態＞
本発明の第１の実施の形態では、ポストビュー画像の表示時に撮像画像およびその一部の拡大画像を関連付けて表示する例を示した。ここで、例えば、パノラマ画像の拡大画像は、パノラマ画像の一部の領域に含まれる画像である。このため、例えば、拡大画像が表示されている場合に、パノラマ画像におけるその周辺画像を表示させたいことも想定される。このような場合には、ユーザ操作により拡大画像の表示対象となる領域を移動させて、所望の領域の拡大画像を表示させることができる。ただし、パノラマ画像は特定方向（例えば、水平方向）に長いため、現在表示されている拡大画像がパノラマ画像の真中部分であり、所望の領域が特定方向における端部であるような場合には、その操作量が多くなることが想定される。そこで、本発明の第２の実施の形態では、パノラマ画像における所定領域を拡大表示する場合に、その拡大表示の対象となる領域を移動させる操作を容易に行う例について説明する。
【０６１５】
なお、記録媒体１８０への画像データの記録処理、ポストビュー画像の表示時における表示部１４０へのパノラマ画像の全体表示、その一部の画像の拡大表示については、本発明の第１の実施の形態と同様であるため、ここでの詳細な説明を省略する。また、本発明の第２の実施の形態における内部構成および機能構成については、本発明の第１の実施の形態と同様である。このため、本発明の第１の実施の形態と共通する部分については同一の符号を付して、これらの説明を省略する。また、本発明の第２の実施の形態では、携帯電話装置１００を用いて静止画を再生する場合を例にして説明する。
【０６１６】
ここで、携帯電話装置１００を用いて静止画を再生する場合に、再生対象となる静止画の全体を表示部１４０に表示する表示方法について説明する。記録媒体１８０に記録されている静止画（画像ファイル）を表示部１４０に表示する場合には、記録媒体１８０に記録されている静止画が、記録媒体とのＩ／Ｆ２５３を経由して符号化復号化部２５２に入力され、符号化復号化部２５２により復号化される。この復号化された画像は、画像メモリ１７０に保持される。このように、画像メモリ１７０に保持された画像が、ユーザ操作に応じて表示部１４０に表示される。この再生動作時における表示方法については、静止画記録動作時におけるポストビュー表示と略同様であるため、ここでの詳細な説明を省略する。
【０６１７】
［画像の拡大表示の設定画面の表示例］
図９１は、本発明の第２の実施の形態における表示部１４０の画像の拡大表示の設定画面（設定画面１３００、１３１０）の表示例を示す図である。これらの設定画面は、画像（静止画）における特定領域の画像を拡大表示する際における表示方法を設定するための画面である。
【０６１８】
図９１（ａ）には、表示対象となる画像における特定領域を指定するための設定画面１３００を示す。設定画面１３００には、その表示対象となる画像における特定領域を指定するための複数の操作ボタン１３０１乃至１３０４が設けられている。なお、設定画面１３００は、例えば、ユーザにより所定の操作入力が行われた場合に、表示部１４０に表示される。なお、これらの各操作ボタン１３０１乃至１３０４については、図７７（ａ）に示す操作ボタン１２０１乃至１２０４と略同様であるため、ここでの詳細な説明を省略する。
【０６１９】
また、これらの各操作ボタンの押下操作が行われた後に、決定操作（例えば、決定キー１１４の押下操作）が行われると、その押下された操作ボタンに対応する内容が設定内容として決定される。
【０６２０】
図９１（ｂ）には、表示対象となる特定領域の画像の拡大率を指定するための設定画面１３１０を示す。設定画面１３１０にはプルダウンボタン１３１１が設けられている。このプルダウンボタン１３１１の押下操作が行われると、「２．０倍」、「４．０倍」、「９．０倍」等の拡大率一覧が表示される。そして、表示されている拡大率一覧の中から所望の拡大率を選択することができる。なお、この例では、拡大率一覧の中から所望の拡大率をユーザが選択する例を示すが、所望の拡大率をユーザが直接入力するようにしてもよい。
【０６２１】
また、拡大率の選択操作が行われた後に、決定操作（例えば、決定キー１１４の押下操作）が行われると、その選択された拡大率が設定内容として決定される。なお、拡大率をユーザが特に希望しない場合には、予め設定されている拡大率が用いられる。
【０６２２】
［パノラマ画像の表示例］
図９２は、本発明の第２の実施の形態における画像メモリ１７０に保持されている画像と、表示部１４０に表示される画像との関係を模式的に示す図である。図９２（ａ）には、３つの撮像素子１１０１、１３５、１３６を用いて生成された画像データ（パノラマ画像）が画像メモリ１７０に保持されている状態を模式的に示す。この例では、横５７６０画素×縦１４４０画素（横対縦の比＝１２：３）の画像が画像メモリ１７０に保持され、その画像に顔（縦方向の大きさが１８０画素分）が含まれる場合を例にして示す。
【０６２３】
図９２（ｂ）には、図９２（ａ）に示す状態で画像メモリ１７０に保持されている画像が、横長状態とされている表示部１４０に表示されている状態を示す。この例では、表示部１４０における表示領域の垂直方向の長さ（縦幅）をＶ７１とし、水平方向の長さ（横幅）をＨ７１とする。
【０６２４】
図９２（ｃ）には、図９２（ａ）に示す状態で画像メモリ１７０に保持されている画像のうち人物５０１の顔を含む領域（矩形領域１２３１）に含まれる画像が、横長状態とされている表示部１４０に表示されている状態を示す。この例では、画像メモリ１７０に保持されている画像１３２０について、表示部１４０に表示される画像領域の輪郭を矩形１３２１で示し、表示部１４０に表示される画像以外についても矩形１３２１の外側に示す。なお、画像１３２０の垂直方向の長さ（縦幅）をＶ７０とし、水平方向の長さ（横幅）をＨ７０とする。
【０６２５】
図９２（ｃ）に示すように、人物５０１の顔を含む領域（矩形領域１２３１）に含まれる画像が表示部１４０に表示される場合には、画像メモリ１７０から読み出された画像が設定された拡大率に従って解像度変換される。この例では、人物５０１の顔を含む画像（顔画像）を横６４０画素×縦４８０画素（横対縦の比＝４：３）の表示部１４０の縦方向に３／４を占めるように表示する場合を例にして説明する。この場合には、画像メモリ１７０に保持されている画像のうち、人物５０１の顔を中心とする矩形領域（横３２０画素×縦２４０画素（横対縦の比＝４：３））の画像データを読み出す。そして、読み出された画像を２倍に解像度変換して、表示対象画像（横６４０画素×縦４８０画素（横対縦の比＝４：３））を生成する。これにより、画像メモリ１７０に保持されている画像データにおいて、縦方向に１８０画素分であった人物５０１の顔の画像が、表示対象画像においては縦方向に３６０画素分の大きさに変換される。このようにして生成された画像（矩形１３２１内の画像）が、表示部１４０に表示させる。
【０６２６】
図９３は、本発明の第２の実施の形態における画像メモリ１７０に保持されている画像と、表示部１４０に表示される画像との関係を模式的に示す図である。図９３（ａ）には、１つの撮像素子１１０１（横１９２０画素×縦１４４０画素）の中央部分（横１０８０画素×縦１４４０画素）を用いて生成された画像データが画像メモリ１７０に保持されている状態を模式的に示す。この例では、横１０８０画素×縦１４４０画素（横対縦の比＝３：４）の画像が画像メモリ１７０に保持され、その画像に顔（縦方向の大きさが１８０画素分）が含まれる場合を例にして示す。
【０６２７】
図９３（ｂ）には、図９３（ａ）に示す状態で画像メモリ１７０に保持されている画像が、縦長状態とされている表示部１４０に表示されている状態を示す。この例では、表示部１４０における表示領域の垂直方向の長さ（縦幅）をＶ８１とし、水平方向の長さ（横幅）をＨ８１とする。なお、図９２に示す縦幅Ｖ７１はＨ８１と同一の値であり、横幅Ｈ７１はＶ８１と同一の値である。
【０６２８】
図９３（ｃ）には、図９３（ａ）に示す状態で画像メモリ１７０に保持されている画像のうち人物５０１の顔を含む領域（矩形領域１３３０）に含まれる画像が、横長状態とされている表示部１４０に表示されている状態を示す。この例では、画像メモリ１７０に保持されている画像１３３１について、表示部１４０に表示される画像領域の輪郭を矩形１３３２で示し、表示部１４０に表示される画像以外についても矩形１３３２の外側に示す。なお、画像１３３１の垂直方向の長さ（縦幅）をＶ８０とし、水平方向の長さ（横幅）をＨ８０とする。
【０６２９】
図９３（ｃ）に示すように、人物５０１の顔を含む領域（矩形領域１３３２）に含まれる画像が表示部１４０に表示される場合には、画像メモリ１７０から読み出された画像が、設定された拡大率に従って解像度変換される。この例では、人物５０１の顔を含む画像（顔画像）の縦方向の大きさが、表示部１４０が横長状態である場合と同様に３６０画素となるように表示する場合を例にして説明する。この場合には、画像メモリ１７０に保持されている画像のうち、人物５０１の顔を中心とする矩形領域（横３２０画素×縦２４０画素（横対縦の比＝４：３））の画像データが読み出される。そして、読み出された画像が２倍に解像度変換されて表示対象画像（横６４０画素×縦４８０画素（横対縦の比＝４：３）が生成される。これにより、画像メモリ１７０に保持されている画像において、縦方向に１８０画素分であった人物５０１の顔の画像が、縦方向に３６０画素分の大きさの表示対象画像に変換される。このようにして生成された画像（矩形１３３０内の画像）が、表示部１４０に表示される。
【０６３０】
このように、画像メモリ１７０に保持されている画像のうち、人物５０１の顔を含む画像を表示部１４０に拡大表示することができる。ここで、その画像が表示部１４０に拡大表示されている場合に、その画像の領域以外の領域（例えば、周りの画像）をユーザが見ることが想定される。この場合には、所定操作により、表示部１４０に拡大表示されている画像を移動させることができる。例えば、ユーザが操作部材（例えば、十字キー１１５）を用いて、図９２（ｃ）に示す画像１３２０において拡大表示対象領域を移動させることができる。
【０６３１】
このようにユーザにより拡大表示対象領域の移動操作が行われた場合には、この移動操作による移動後の画像データが画像メモリ１７０から読み出される。そして、上述したように、読み出された画像データが表示部１４０の表示領域に合わせて解像度変換され、表示部１４０に表示される。
【０６３２】
また、表示されている拡大画像をさらに拡大させたい場合や拡大画像の周りの被写体を見たいような場合には、ユーザが操作部材を用いて拡大画像の表示倍率を変更することができる。
【０６３３】
例えば、ユーザにより表示倍率の変更操作が行われた場合には、その変更操作後の拡大率に関する情報（表示倍率情報）が取得され、ユーザにより指示された拡大率により拡大画像が表示される。すなわち、表示倍率の変更により必要となる画像データが画像メモリ１７０から読み出される。そして、上述したように、読み出された画像が表示部１４０の表示領域に合わせて解像度変換され、表示部１４０に表示される。
【０６３４】
このように、拡大表示対象領域の移動操作または表示倍率の変更操作がある毎に、表示部１４０に表示される画像が変更される。そして、ユーザにより画像表示終了の指示があるまで繰り返す。
【０６３５】
［ユーザ操作による拡大表示対象領域の移動例］
上述したように、図９２（ｃ）には、表示部１４０が横長状態である場合における拡大画像（矩形１３２１内の画像）の表示例を示す。また、図９３（ｃ）には、表示部１４０が縦長状態である場合における拡大画像（矩形１３３２内の画像）の表示例を示す。なお、図９２（ｃ）および図９３（ｃ）に示す拡大画像は、同一の被写体５００が同一の距離から同一の倍率により撮影された顔（人物５０１の顔）を、同一の大きさで表示部１４０に表示する例である。
【０６３６】
すなわち、図９２（ｃ）には、表示部１４０の表示領域（横６４０画素×縦４８０画素（横対縦の比４：３））に、縦幅Ｆ１（３６０画素の大きさ）の顔が表示されている例を示す。また、図９３（ｃ）には、表示部１４０の表示領域（横４８０画素×縦６４０画素（横対縦の比３：４））に、縦幅Ｆ１（３６０画素の大きさ）の顔が表示されている例を示す。
【０６３７】
ここで、図９３（ｃ）に示す例において、例えば、表示部１４０における拡大表示対象領域を、画像１３３１の右端まで移動させる場合には、（Ｈ８０−Ｈ８１）／２の距離だけ移動させる必要がある。例えば、Ｈ８０＝２１６０画素とし、Ｈ８１＝４８０画素とする場合において、一度の移動操作により、表示部１４０における表示領域の横幅の１／２だけずらしながら右端に移動させる場合を想定する。この場合には、（Ｈ８０−Ｈ８１）／２＝８４０画素であるため、拡大表示対象領域を４回（９６０画素）移動させると画像１３３１の右端まで移動させることができる。
【０６３８】
これに対して、図９２（ｃ）に示す例において、例えば、表示部１４０における拡大表示対象領域を、画像１３２０の右端まで移動させる場合には、（Ｈ７０−Ｈ７１）／２の距離だけ移動させる必要がある。例えば、Ｈ７０＝１１５２０画素とし、Ｈ７１＝６４０画素とする場合において、一度の移動操作により、表示部１４０における表示領域の横幅の１／２だけずらしながら右端に移動させる場合を想定する。この場合には、（Ｈ７０−Ｈ７１）／２＝５４４０画素であるため、拡大表示対象領域を１７回移動させると画像１３２０の右端まで移動させることができる。このように、拡大画像の元の画像がパノラマ画像である場合には、拡大表示対象領域を所望の位置まで移動させる移動操作を比較的多く行う必要があり、その移動操作が煩雑となることが想定される。そこで、本発明の第２の実施の形態では、表示部１４０に表示される拡大画像が切り出された元の画像の種類（例えば、パノラマ画像であるか否か）や、第２の筐体１２０の状態（縦長状態または横長状態）に応じて、その移動操作による制御量を変更する。
【０６３９】
［拡大表示対象領域の移動例］
図９４は、本発明の第２の実施の形態における操作受付部１４７０により受け付けられた操作入力と、この操作入力により移動される拡大表示対象領域との関係を示す図である。この例では、表示部１４０に表示される画像の拡大表示対象領域を移動させる場合に、その移動操作に用いる操作部材が１種類である場合を例にして説明する。この操作部材として、十字キー１１５を用いる例を示す。例えば、拡大表示対象領域を右側方向に移動する場合には、十字キー１１５の右側部分を押下することにより、その移動操作を行うことができる。
【０６４０】
図９４（ａ）には、表示部１４０が横長状態である場合におけるユーザの移動操作による拡大表示対象領域の移動量を模式的に示す。すなわち、画像１３２０の右側の領域（領域１３２２）において、ユーザの移動操作に応じて拡大表示対象領域が移動する場合を示す。なお、画像１３２０は、図９２（ｃ）に示す画像１３２０と同一であるものとする。この例では、領域１３２２において、ユーザの移動操作に応じて拡大表示対象領域が移動する方向を白抜きの矢印で示し、ユーザの一度の移動操作に応じて移動する拡大表示対象領域の遷移（拡大表示対象領域の右端部の遷移）をコの字型の点線で示す。すなわち、画像１３２０の真中部分に配置されている拡大表示対象領域を画像１３２０の右端に移動させる場合には、ユーザが１０度の移動操作を行うものとする。
【０６４１】
例えば、Ｈ７０＝１１５２０画素とし、Ｈ７１＝６４０画素とする場合において、拡大表示対象領域を画像１３２０の右端まで移動させるためには、拡大表示対象領域を（Ｈ７０−Ｈ７１）／２＝５４４０画素だけ移動させる必要がある。この例では、ユーザの一度の移動操作に応じて移動する拡大表示対象領域の移動量を５４４画素とする。
【０６４２】
図９４（ｂ）には、表示部１４０が縦長状態である場合におけるユーザの移動操作による拡大表示対象領域の移動量を模式的に示す。すなわち、画像１３３１の右側の領域（領域１３３３）において、ユーザの移動操作に応じて拡大表示対象領域が移動する場合を示す。なお、画像１３３１は、図９３（ｃ）に示す画像１３３１と同一であるものとする。この例では、領域１３３１において、ユーザの移動操作に応じて拡大表示対象領域が移動する方向を矢印１３３４で示し、ユーザの一度の移動操作に応じて移動する拡大表示対象領域の遷移（拡大表示対象領域の右端部の遷移）をコの字型の点線で示す。すなわち、画像１３３１の真中部分に配置されている拡大表示対象領域を画像１３３１の右端に移動する場合には、ユーザが４度の移動操作を行うものとする。
【０６４３】
例えば、Ｈ８０＝２１６０画素とし、Ｈ８１＝４８０画素とする場合において、拡大表示対象領域を画像１３３１の右端まで移動させるためには、拡大表示対象領域を（Ｈ８０−Ｈ８１）／２＝８４０画素だけ移動させる必要がある。この例では、ユーザの一度の移動操作に応じて移動する拡大表示対象領域の移動量を２４０画素とする。
【０６４４】
図９４（ａ）および（ｂ）に示すように、ユーザの一度の移動操作による拡大表示対象領域の移動量の大きさについては、表示部１４０が縦長状態である場合よりも、表示部１４０が横長状態である場合を大きくする。すなわち、表示部１４０が縦長状態である場合に一度の移動操作により拡大表示対象領域が移動する画素数よりも、表示部１４０が横長状態である場合に一度の移動操作により拡大表示対象領域が移動する画素数を大きくする。また、表示部１４０が縦長状態の場合に一度の移動操作により移動する移動量の拡大表示対象領域の幅に対する比よりも、表示部１４０が横長状態の場合に一度の移動操作により移動する移動量の拡大表示対象領域の幅に対する比を大きくするようにしてもよい。
【０６４５】
また、この例では、表示部１４０が横長状態であるか、縦長状態であるかに応じて、移動操作による拡大表示対象領域の移動量を変更する例を示すが、表示対象画像のアスペクト比を基準にして、その移動量を変更するようにしてもよい。例えば、表示対象画像（画像メモリ１７０に保持されている画像）のアスペクト比が、表示部１４０の表示領域のアスペクト比と異なる場合に、その表示対象画像に関する移動操作による拡大表示対象領域の移動量を変更するようにしてもよい。また、表示対象画像（画像メモリ１７０に保持されている画像）のアスペクト比が一定基準を超えた場合に、その表示対象画像に関する移動操作による拡大表示対象領域の移動量を変更するようにしてもよい。
【０６４６】
なお、この例では、操作部材として、十字キー１１５を用いる例を示すが、他の操作部材を用いるようにしてもよい。例えば、テンキー１１３の何れかのキーを各移動方向に関連付けておき、所望の移動方向に関連付けられているテンキー１１３を押下することにより、移動操作を行うようにしてもよい。
【０６４７】
また、表示部がタッチパネルにより構成されている場合には、例えば、移動を所望する方向へのタッチパネル上でのドラッグ操作やタップ操作により移動操作を行うようにしてもよい。
【０６４８】
［複数の操作部材を用いた拡大表示対象領域の移動操作例］
図９４では、１種類の操作部材を用いて拡大表示対象領域を移動する移動操作を行う例を示した。ここで、例えば、携帯電話装置１００には、テンキー１１４、十字キー１１５等の複数の操作部材が備えられている。このため、これらを組み合わせて用いることにより、ユーザの好みの移動操作をさらに容易に行うことができると考えられる。そこで、この例では、複数種類の操作部材を用いて拡大表示対象領域を移動させる例を示す。
【０６４９】
図９５は、本発明の第２の実施の形態における操作受付部１４７０により受け付けられた操作入力と、この操作入力により移動される拡大表示対象領域との関係を示す図である。この例では、表示部１４０が横長状態である場合における表示対象画像の遷移例を示す。
【０６５０】
図９５（ａ）には、１つの操作部材を用いて行われたユーザの移動操作による拡大表示対象領域の移動量を模式的に示す。なお、図９５（ａ）に示す例は、図９４（ａ）に示す例と同様である。このため、ここでの説明を省略する。
【０６５１】
図９５（ｂ）には、２つの操作部材を用いて行われたユーザの移動操作による拡大表示対象領域の移動量を模式的に示す。なお、図９５（ｂ）に示す例は、図９４（ａ）の変形例である。このため、図９４（ａ）に示す例と共通する部分には同一の符号を付して、これらの詳細な説明を省略する。
【０６５２】
ここで、２つの操作部材として、テンキー１１３の所定キー（例えば、「０」キー）、十字キー１１５を用いる例を示す。例えば、拡大表示対象領域を右側方向に移動する場合には、テンキー１１３の所定キーを押下した状態で十字キー１１５の右側部分を押下する（第２の操作方法）。なお、テンキー１１３の所定キーを押下していない状態で十字キー１１５の右側部分を押下した場合（第１の操作方法）には、例えば、図９５（ａ）に示す例と同様に拡大表示対象領域が右側方向に移動する。
【０６５３】
また、図９５（ｂ）に示す例では、画像１３２０の真中部分に配置されている拡大表示対象領域を画像１３２０の右端に移動させる場合には、ユーザが５度の移動操作を行うものとする。例えば、Ｈ７０＝１１５２０画素とし、Ｈ７１＝６４０画素とする場合において、拡大表示対象領域を画像１３２０の右端まで移動させるためには、拡大表示対象領域を（Ｈ７０−Ｈ７１）／２＝５４４０画素だけ移動させる必要がある。この例では、ユーザの一度の移動操作に応じて移動する拡大表示対象領域の移動量を１０８８画素とする。
【０６５４】
なお、この例では、２つの操作部材を用いて移動操作を行う例を示すが、１つの操作部材を用いてその操作内容を変更することにより、図９５（ａ）および図９５（ｂ）に示す移動操作を行うようにしてもよい。例えば、操作部材として十字キー１１５を用いて、拡大表示対象領域を右側方向に移動する場合には、十字キー１１５の右側部分の短時間押下（第１の操作方法）により、図９５（ａ）に示す移動操作を行う。一方、十字キー１１５の右側部分の長時間押下（第２の操作方法）により、図９５（ｂ）に示す移動操作を行う。同様に、テンキー１１３等を用いて第１の操作方法および第２の操作方法を行うようにしてもよい。
【０６５５】
また、表示部がタッチパネルにより構成されている場合には、例えば、移動を所望する方向へのタッチパネル上でのドラッグ操作（第１の操作方法）により、図９５（ａ）に示す移動操作を行う。一方、移動を所望する方向のタッチパネルの外縁近傍部の短時間のタップ操作（第２の操作方法）により、図９５（ｂ）に示す移動操作を行う。
【０６５６】
図９５（ｃ）には、３つの操作部材を用いて行われたユーザの移動操作による拡大表示対象領域の移動量を模式的に示す。なお、図９５（ｃ）に示す例は、図９４（ａ）の変形例である。このため、図９４（ａ）に示す例と共通する部分には同一の符号を付して、これらの詳細な説明を省略する。
【０６５７】
ここで、３つの操作部材として、テンキー１１３の２つの所定キー（例えば、「０」、「８」キー）、十字キー１１５を用いる例を示す。例えば、拡大表示対象領域を右側方向に移動する場合には、テンキー１１３の２つの所定キーを押下した状態で十字キー１１５の右側部分を押下する（第３の操作方法）。なお、テンキー１１３の何れのキーも押下していない状態で十字キー１１５の右側部分を押下した場合（第１の操作方法）には、例えば、図９５（ａ）に示す例と同様に拡大表示対象領域が右側方向に移動する。また、テンキー１１３の何れか１つの所定キーを押下した状態で十字キー１１５の右側部分を押下した場合（第２の操作方法）には、例えば、図９５（ｂ）に示す例と同様に拡大表示対象領域が右側方向に移動する。
【０６５８】
また、図９５（ｃ）に示す例では、画像１３２０の真中部分に配置されている拡大表示対象領域を画像１３２０の右端に移動させる場合には、ユーザが１度の移動操作を行うものとする。例えば、Ｈ７０＝１１５２０画素とし、Ｈ７１＝６４０画素とする場合において、拡大表示対象領域を画像１３２０の右端まで移動させるためには、拡大表示対象領域を（Ｈ７０−Ｈ７１）／２＝５４４０画素だけ移動させる必要がある。この例では、ユーザの一度の移動操作に応じて移動する拡大表示対象領域の移動量を５４４０画素とする。
【０６５９】
なお、この例では、３つの操作部材を用いて移動操作を行う例を示すが、１または複数の操作部材を用いてその操作内容を変更することにより、図９５（ａ）乃至（ｃ）に示す移動操作を行うようにしてもよい。ここでは、操作部材として、テンキー１１３、十字キー１１５を用いる例について説明する。例えば、拡大表示対象領域を右側方向に移動する場合には、十字キー１１５の右側部分の短時間押下（第１の操作方法）により、図９５（ａ）に示す移動操作を行う。一方、十字キー１１５の右側部分の長時間押下（第２の操作方法）により、図９５（ｂ）に示す移動操作を行う。また、テンキー１１３の右側部分（例えば、「６」キー）の短時間押下（第３の操作方法）により、図９５（ｃ）に示す移動操作を行う。同様に、他の操作部材を用いて第１の操作方法乃至第３の操作方法を行うようにしてもよい。
【０６６０】
また、表示部がタッチパネルにより構成されている場合には、例えば、移動を所望する方向へのタッチパネル上でのドラッグ操作（第１の操作方法）により、図９５（ａ）に示す移動操作を行う。一方、移動を所望する方向のタッチパネルの外縁近傍部の短時間のタップ操作（第２の操作方法）により、図９５（ｂ）に示す移動操作を行う。また、移動を所望する方向のタッチパネルの外縁近傍部の長時間のタップ操作（第３の操作方法）により、図９５（ｃ）に示す移動操作を行う。
【０６６１】
すなわち、表示部１４０が縦長状態である場合に第１の操作方法により拡大表示対象領域移動を移動させる画素数よりも、表示部１４０が横長状態である場合に第１の操作方法により拡大表示対象領域移動を移動させる画素数を大きくする。また、表示部１４０が縦長状態である場合に第２の操作方法により拡大表示対象領域移動を移動させる画素数よりも、表示部１４０が横長状態である場合に第２の操作方法により拡大表示対象領域移動を移動させる画素数を大きくする。さらに、表示部１４０が縦長状態である場合に第３の操作方法により拡大表示対象領域移動を移動させる画素数よりも、表示部１４０が横長状態である場合に第３の操作方法により拡大表示対象領域移動を移動させる画素数を大きくする。
【０６６２】
また、第１の操作方法により拡大表示対象領域移動を移動させる画素数よりも、第２の操作方法により拡大表示対象領域移動を移動させる画素数を大きくする。また、第２の操作方法により拡大表示対象領域移動を移動させる画素数よりも、第３の操作方法により拡大表示対象領域移動を移動させる画素数を大きくする。
【０６６３】
また、各操作方法により移動させる移動量の拡大表示対象領域の幅に対する比を基準にして、その移動量を変更するようにしてもよい。すなわち、表示部１４０が縦長状態である場合に第１の操作方法により移動させる移動量の拡大表示対象領域の幅に対する比よりも、表示部１４０が横長状態である場合に第１の操作方法により移動させる移動量の拡大表示対象領域の幅に対する比を大きくする。また、表示部１４０が縦長状態である場合に第２の操作方法により移動させる移動量の拡大表示対象領域の幅に対する比よりも、表示部１４０が横長状態である場合に第２の操作方法により移動させる移動量の拡大表示対象領域の幅に対する比を大きくする。さらに、表示部１４０が縦長状態である場合に第３の操作方法により移動させる移動量の拡大表示対象領域の幅に対する比よりも、表示部１４０が横長状態である場合に第３の操作方法により移動させる移動量の拡大表示対象領域の幅に対する比を大きくする。
【０６６４】
また、第１の操作方法により移動させる移動量の拡大表示対象領域の幅に対する比よりも、第２の操作方法により拡大表示対象領域を移動させる移動量の拡大表示対象領域の幅に対する比を大きくする。また、第２の操作方法により移動させる移動量の拡大表示対象領域の幅に対する比よりも、第３の操作方法により移動させる移動量の拡大表示対象領域の幅に対する比を大きくする。
【０６６５】
なお、表示部１４０が横長状態である場合にのみ第１乃至第３の操作方法を用いた移動操作を可能とし、表示部１４０が縦長状態である場合には第１の操作方法のみを用いた移動操作を可能とするようにしてもよい。
【０６６６】
また、以上では、１乃至３種類の操作部材（１乃至３種類の操作方法）を用いて拡大表示対象領域の移動操作を行う例を示したが、４種類以上の操作部材（４種類以上の操作方法）を用いて拡大表示対象領域の移動操作を行うようにしてもよい。
【０６６７】
また、以上では、拡大表示対象領域を横方向へ移動させる場合を例にして説明した。ただし、拡大表示対象領域を縦方向へ移動させる場合も想定される。そこで、例えば、拡大表示対象領域を縦方向へ移動させる場合についても横方向と同様に、１回の拡大表示対象領域の移動操作により移動される画素数を変更することができる。例えば、表示部１４０が縦長状態である場合に１回の拡大表示対象領域の移動操作により移動される画素数よりも、表示部１４０が横長状態である場合の１回の拡大表示対象領域の移動操作により移動される画素数を大きくすることができる。また、例えば、表示部１４０が縦長状態である場合に１回の移動操作による移動量の拡大表示対象領域の幅に対する比よりも、表示部１４０が横長状態である場合に１回の移動操作による移動量の拡大表示対象領域の幅に対する比を大きくすることができる。
【０６６８】
なお、表示部１４０が横長状態である場合において、拡大画像の縦方向は、拡大画像の横方向に較べると、表示部１４０における縦方向の画素数に対する外縁までの画素数の比が小さい。このため、拡大画像の縦方向の外縁を表示させるまでの縦方向への拡大表示対象領域の変更回数が少ない。そこで、携帯電話装置１００の構成を簡単にするため、縦方向への拡大表示対象領域の移動操作があった場合には、表示部１４０が横長状態である場合でも表示部１４０が縦長状態である場合でもその移動量を同一とするようにしてもよい。
【０６６９】
また、以上では、拡大表示対象領域を移動させる場合を例にして説明した。ただし、拡大表示対象領域を拡大または縮小させる場合も想定される。そこで、例えば、拡大表示対象領域を拡大または縮小させる拡大縮小操作についても移動操作と同様に、１回の拡大縮小操作により拡大または縮小される拡大縮小率（表示倍率）を変更することができる。例えば、表示部１４０が縦長状態である場合に１回の拡大縮小操作により拡大または縮小される拡大縮小率よりも、表示部１４０が横長状態である場合の１回の拡大縮小操作により拡大または縮小される拡大縮小率を大きくすることができる。
【０６７０】
［画素の形状と画素数との関係例］
ここで、画素の形状と画素数との関係について説明する。本発明の各実施の形態では、表示部１４０を構成する画素として、縦と横の長さが等しい画素（いわゆる、正方格子である画素）を用いる場合を例にして説明した。このため、例えば、表示部１４０において、横対縦の比が４：３の画像を表示する場合には、横６４０画素×縦４８０画素の画像を得るように解像度変換を行う例を示した。
【０６７１】
しかしながら、表示部１４０を構成する画素として、縦と横の長さが異なる画素を用いる場合も想定される。例えば、表示部１４０を構成する画素として、１つの画素における横の長さが縦の長さの１／３である画素を用いて、かつ、表示部１４０の縦方向画素数が４８０画素である場合を想定する。この場合において、横対縦の比が４：３の画像を生成するためには、横１９２０画素×縦２４０画素の画像データを得るように解像度変換することが必要となる。
【０６７２】
また、撮像素子に関しても、１つの画素において横の長さと縦の長さが等しくない場合に横対縦の比が所望の画像データを得るためには、上述した表示部１４０の場合と同様に各画素の縦と横の長さを考慮する必要がある。
【０６７３】
［携帯電話装置の動作例］
図９６は、本発明の第２の実施の形態における携帯電話装置１００による画像表示処理の処理手順の一例を示すフローチャートである。この例では、記録媒体１８０に記憶されている画像ファイル（撮像画像）をユーザ操作に基づいて再生する場合を例にして説明する。また、表示対象となる撮像画像がパノラマ画像であるか否かに応じて、拡大表示対象領域の各操作（移動操作または表示倍率の変更操作）に係る制御量を変更する例について説明する。
【０６７４】
最初に、画像の表示指示操作が行われたか否かが判断され（ステップＳ１６０１）、画像の表示指示操作が行われていない場合には、画像表示処理の動作を終了する。一方、画像の表示指示操作が行われた場合には（ステップＳ１６０１）、表示対象画像がパノラマ画像であるか否かが判断される（ステップＳ１６０２）。表示対象画像がパノラマ画像でない場合には（ステップＳ１６０２）、画像表示処理が行われる（ステップＳ１６０３）。例えば、ユーザ操作に応じて、画像全体の表示や画像における特定領域の拡大表示が行われる。
【０６７５】
表示対象画像がパノラマ画像である場合には（ステップＳ１６０２）、表示対象となるパノラマ画像を拡大表示する拡大表示指示操作が行われたか否かが判断される（ステップＳ１６０４）。その拡大表示指示操作が行われた場合には（ステップＳ１６０４）、表示対象となるパノラマ画像の画像データが画像メモリ１７０から読み出され（ステップＳ１６０５）、読み出された画像データが表示用に解像度変換される（ステップＳ１６０６）。そして、解像度変換された画像データ（撮像画像）が表示部１４０に表示される（ステップＳ１６０７）。
【０６７６】
続いて、パノラマ画像の表示終了指示操作が行われたか否かが判断され（ステップＳ１６０８）、その表示終了指示操作が行われた場合には、画像表示処理の動作を終了する。一方、パノラマ画像の表示終了指示操作が行われていない場合には（ステップＳ１６０８）、ステップＳ１６０４に戻る。
【０６７７】
また、表示対象となるパノラマ画像を拡大表示する拡大表示指示操作が行われた場合には（ステップＳ１６０４）、パノラマ画像拡大表示処理が行われる（ステップＳ１６１０）。このパノラマ画像拡大表示処理については、図９７を参照して詳細に説明する。
【０６７８】
図９７は、本発明の第２の実施の形態における携帯電話装置１００による画像表示処理の処理手順のうちのパノラマ画像拡大表示処理（図９６に示すステップＳ１６１０の処理手順）の一例を示すフローチャートである。
【０６７９】
最初に、パノラマ画像における特定領域に関する情報（拡大表示対象領域情報）が取得される（ステップＳ１６１１）。この拡大表示対象領域情報として、例えば、図９１（ａ）に示す設定画面１３００において設定された設定内容に基づいて、表示対象となる画像ファイルに記録されている情報（例えば、図７５（ｃ）に示す撮像画像に関する情報）が取得される。
【０６８０】
続いて、特定領域に含まれる画像を拡大表示するための拡大率に関する情報（表示倍率情報）が取得される（ステップＳ１６１２）。この表示倍率情報として、例えば、図９１（ｂ）に示す設定画面１３１０において設定された設定内容（拡大率）が取得される。なお、この例では、ユーザにより指示された拡大率を用いる例を示すが、予め設定されている拡大率を用いるようにしてもよい。
【０６８１】
続いて、取得された拡大表示対象領域情報および表示倍率情報に基づいて、表示対象となる画像データが画像メモリ１７０から読み出され（ステップＳ１６１３）、読み出された画像データが表示用に解像度変換される（ステップＳ１６１４）。そして、解像度変換された画像データ（撮像画像）が表示部１４０に表示される（ステップＳ１６１５）。
【０６８２】
続いて、拡大表示対象領域の移動操作が行われたか否かが判断される（ステップＳ１６１６）。そして、拡大表示対象領域の移動操作が行われた場合には（ステップＳ１６１６）、その移動操作に応じた制御量が決定され、この決定された制御量に応じて、新たな拡大表示対象領域情報が取得される（ステップＳ１６１７）。この場合における制御量は、ステップＳ１６０３（図９６に示す）において移動操作に応じて決定される制御量よりも大きく設定される。
【０６８３】
また、拡大表示対象領域の移動操作が行われていない場合には（ステップＳ１６１６）、表示倍率の変更操作が行われたか否かが判断される（ステップＳ１６１８）。表示倍率の変更操作が行われた場合には（ステップＳ１６１８）、その変更操作に応じた制御量が決定され、この決定された制御量に応じて、新たな表示倍率情報が取得される（ステップＳ１６１９）。この場合における制御量は、ステップＳ１６０３（図９６に示す）において変更操作に応じて決定される制御量よりも大きく設定される。
【０６８４】
また、表示倍率の変更操作が行われていない場合には（ステップＳ１６１８）、パノラマ画像の拡大表示終了指示操作が行われたか否かが判断される（ステップＳ１６２０）。パノラマ画像の拡大表示終了指示操作が行われた場合には（ステップＳ１６２０）、パノラマ画像拡大表示処理の動作を終了し、その拡大表示終了指示操作が行われていない場合には、ステップＳ１６１６に戻る。
【０６８５】
なお、この例では、画像の表示指示操作に基づく拡大画像の操作例を示したが、撮影時におけるポストビュー画像を表示する場合についても同様に適用することができる。例えば、本発明の第１の実施の形態で示したように、撮像画像がパノラマ画像である場合には、パノラマ画像およびこれにおける特定領域の拡大画像を関連付けて表示させることができる。そして、その拡大画像に関する各操作（移動操作または表示倍率の変更操作）が行われた場合における制御量を、パノラマ画像以外の撮像画像よりも大きくする。このように、本発明の第２の実施の形態によれば、撮像画像に関する操作負担を軽減させることができる。
【０６８６】
なお、本発明の各実施の形態では、複眼撮影の場合に複数枚の画像を横方向に合成することにより横方向に長い画像（パノラマ画像）を生成する例について説明した。ただし、複眼撮影の場合に複数枚の画像を縦方向に合成することにより縦方向に長い画像（パノラマ画像）を生成する場合についても、本発明の実施の形態を適用することができる。
【０６８７】
また、本発明の各実施の形態では、主に、顔検出部２８２により検出された顔を含む顔画像を拡大画像として表示する例を示した。ただし、例えば、ＡＦ制御部２８１による合焦動作において合焦対象領域として検出された領域を拡大画像として表示する場合等についても同様に行うことができる。
【０６８８】
＜３．変形例＞
［携帯電話装置の変形例］
この例では、複数の撮像系を備える携帯電話装置の変形例について説明する。
【０６８９】
図９８および図９９は、本発明の実施の形態における携帯電話装置１００の変形例を示す図である。
【０６９０】
図９８には、表示部および撮像部が同一の筐体に備えられている携帯電話装置１０４０を示す。図９８（ａ）には、携帯電話装置１０４０を使用する際における一態様の正面側を示し、図９８（ｂ）には、その態様における背面側を示す。また、図９８（ｃ）には、携帯電話装置１０４０を使用する際における他の態様の正面側を示し、図９８（ｄ）には、その態様における背面側を示す。
【０６９１】
携帯電話装置１０４０は、第１の筐体１１０および第２の筐体１２０を備える。また、第２の筐体１２０は、表示部１４０および撮像部１０４１を備える。なお、携帯電話装置１０４０は、表示部および撮像部が同一の筐体に備えられている点以外は、携帯電話装置１００と略同一である。このため、携帯電話装置１００と共通する部分には、同一の符号を付して、その説明を省略する。
【０６９２】
撮像部１０４１は、配置されている位置が異なる点以外は、携帯電話装置１００に備えられている撮像部１３０と略同一である。すなわち、撮像部１０４１において、３個の撮像系が所定の規則に従って並べて配置され、中央の撮像素子が縦長状態とされ、左右の撮像素子が横長状態とされて配置されている。
【０６９３】
図９９には、１つの筐体により構成されている携帯電話装置１０５０を示す。図９９（ａ）には、携帯電話装置１０５０を使用する際における一態様の正面側を示し、図９９（ｂ）には、その態様における背面側を示す。また、図９９（ｃ）には、携帯電話装置１０５０を使用する際における他の態様の正面側を示す。
【０６９４】
携帯電話装置１０５０は、１つの筐体により構成され、表示部１４０、撮像部１０５１および姿勢検出部１０５２を備える。なお、携帯電話装置１０５０は、１つの筐体により構成されている点、回動状態検出部１５０の代わりに姿勢検出部１０５２を備える点、および、撮像部が配置されている位置が異なる点以外は、携帯電話装置１００と略同一である。このため、携帯電話装置１００と共通する部分には、同一の符号を付して、その説明を省略する。
【０６９５】
撮像部１０５１は、配置されている位置が異なる以外の点は、携帯電話装置１００に備えられている撮像部１３０と略同一である。すなわち、撮像部１０５１において、３個の撮像系が所定の規則に従って並べて配置され、中央の撮像素子が縦長状態とされ、左右の撮像素子が横長状態とされて配置されている。
【０６９６】
姿勢検出部１０５２は、回動状態検出部１５０の代わりに、携帯電話装置１０５０に内蔵されているものであり、携帯電話装置１０５０に加えられた加速度、動き、傾き等を検出するものである。姿勢検出部は、例えば、ジャイロセンサ、転倒センサ、重力センサ等により実現される。そして、検出された各情報を姿勢情報として撮像制御部２０１に出力する。撮像制御部２０１は、検出された姿勢情報に基づいて、携帯電話装置１０５０が横長状態であるか縦長状態であるかを検出する。そして、検出された状態に基づいて、撮像動作の制御を行う。例えば、携帯電話装置１００の第２の筐体が横長状態であるか、縦長状態であるかに応じて行われた制御と同様の撮像制御を行うことができる。また、所定の操作部材を用いた操作入力に応じて撮像範囲を変更する撮像制御を行うようにしてもよい。この操作入力として、例えば、操作ボタンやタッチパネルによる操作入力を想定することができる。
【０６９７】
このように、複数の撮像系を備える各態様の携帯電話装置に本発明の第１または第２の実施の形態を適用することができる。次に、デジタルスチルカメラやデジタルビデオカメラ等の撮像装置を例にして説明する。
【０６９８】
［撮像装置の外観構成例］
図１００は、本発明の実施の形態の変形例における撮像装置１０００の外観構成を示す図である。図１００（ａ）には、撮像装置１０００の正面側（被写体側）の斜視図を示し、図１００（ｂ）および（ｃ）には、撮像装置１０００の背面側（撮影者側）の斜視図を示す。撮像装置１０００は、第１の筐体１０１０および第２の筐体１０２０が回動部材１００１により回動可能に連結されて構成される。撮像装置１０００は、例えば、３つの撮像系を備えるデジタルスチルカメラにより実現される。なお、図１００では、説明の容易のため、撮像装置１０００を簡略化して示し、撮像装置１０００の外側面に備えられている電源スイッチ等の図示を省略する。
【０６９９】
第１の筐体１０１０は、撮像範囲切替スイッチ１０１１と、静止画／動画切替スイッチ１０１２と、シャッターボタン１０１３と、撮像部１０３０とを備える。撮像範囲切替スイッチ１０１１、静止画／動画切替スイッチ１０１２および撮像部１０３０については、図１等に示す撮像範囲切替スイッチ１１１、静止画／動画切替スイッチ１１２および撮像部１３０と略同一であるため、ここでの説明を省略する。
【０７００】
シャッターボタン１０１３は、画像の記録開始を指示する操作部材である。例えば、静止画撮像モードが設定されている場合に、撮像部１０３０により生成された画像データを静止画ファイルとして記録媒体に記録する際に押下される。
【０７０１】
第２の筐体１０２０は、表示部１０２１を備える。表示部１０２１については、図１等に示す表示部１４０と略同一であるため、ここでの説明を省略する。また、撮像装置１０００は、第１の筐体１０１０および第２の筐体１０２０が回動可能に接続されている。すなわち、回動部材１００１（点線で示す）を回動基準として、第１の筐体１０１０に対して第２の筐体１０２０を回動させることができる。これにより、第１の筐体１０１０に対する第２の筐体１０２０の相対的な位置関係を変化させることができる。例えば、図１００（ｂ）に示す矢印１００２方向に第２の筐体１０２０を９０度回動させた場合における形態を図１００（ｃ）に示す。そして、本発明の第１の実施の形態と同様に、第２の筐体１０２０が横長状態であるか縦長状態であるかに基づいて、撮像動作の制御が行われる。
【０７０２】
なお、以上で示した変形例では、３個の撮像系が所定の規則に従って並べて配置され、中央の撮像素子が縦長状態とされ、左右の撮像素子が横長状態とされて配置されている例を示した。ただし、図７０に示すように、３個の撮像系が所定の規則に従って並べて配置され、各撮像素子を横長状態として配置するようにしてもよい。
【０７０３】
また、本発明の各実施の形態では、３つの撮像系を備える携帯電話装置および撮像装置を例にして説明したが、例えば、２または４以上の撮像系を備える携帯電話装置および撮像装置等に本発明の実施の形態を適用することができる。すなわち、２または４以上の撮像系を一定の規則で並べて配置して構成することにより、本発明の各実施の形態を適用することができる。また、以下で示すように、１つの撮像系を備える携帯電話装置および撮像装置等に本発明の実施の形態を適用することができる。
【０７０４】
［スイング方式によるパノラマ画像の生成例］
本発明の各実施の形態では、所定の規則に従って配置されている複数の撮像素子により生成された画像データを合成することによりパノラマ画像を生成し、このパノラマ画像を表示する場合を例にして説明した。ただし、例えば、撮像位置を基準として水平方向に撮像装置を移動させる操作（いわゆる、パンニング操作）により生成されたパノラマ画像を表示する場合についても同様に適用することができる。このようにパノラマ画像を生成する例を図１０１に示す。また、例えば、撮像装置を特定方向に移動させた状態で、その特定方向と直交する方向を光軸方向として撮像動作を行うことにより生成されたパノラマ画像を表示する場合についても同様に適用することができる。
【０７０５】
図１０１は、本発明の実施の形態の変形例における撮像装置１６００により生成されるパノラマ画像を構成する複数の撮像画像と、これらの撮像画像を生成する際における撮像装置１６００の撮像動作状態との関係を模式的に示す図である。図１０１（ａ）には、撮像装置１６００によるパノラマ画像生成の際における撮像範囲１１１１乃至１１１３を示す。なお、図１０１（ａ）に示す例は、図７１（ａ）に示す例と同様であるため、ここでの説明を省略する。なお、撮像範囲１１１１乃至１１１３には、互いに重複する範囲が含まれるが、説明の容易のため、この例では、その重複範囲を省略して示す。
【０７０６】
図１０１（ｂ）には、図１０１（ａ）に示す撮像範囲１１１１乃至１１１３に対応する撮像画像を円上（点線１６１０上）に仮想的に配置して、撮像画像を上面から見た場合における位置関係を矩形１６２１乃至１６２３により模式的に示す。また、図１０１（ｂ）に示す撮像動作状態で生成される３つの撮像画像の画角をθとして示す。なお、これらの３つの撮像画像は、水平方向において少なくとも一部の領域に同一の被写体が含まれるように撮像動作が行われて生成された撮像画像であるものとする。
【０７０７】
撮像範囲１１１１乃至１１１３に対応する３つの撮像画像は、例えば、撮像装置１６００の位置を基準として撮像装置１６００を水平方向（矢印１６１１の方向）に移動させながら撮像動作（いわゆる、パンニング操作）を行うことにより生成される。例えば、撮影者がシャッターボタンを押下しながら、撮像装置１６００のパンニング操作を行うことにより、パノラマ画像の撮像動作が行われる（いわゆる、スイングパノラマ）。
【０７０８】
図１０１（ｃ）には、図１０１（ｂ）に示す撮像動作により生成されたパノラマ画像１６３０を示す。図１０１（ｂ）に示すように、撮像装置１６００のパンニング操作により３つの撮像画像が生成される。そして、生成された３つの撮像画像について、隣接する撮像画像間の移動量および移動方向（すなわち、隣接する撮像画像間の相対変位）が検出される。そして、検出された移動量および移動方向（隣接する撮像画像間の移動量および移動方向）に基づいて、３つの撮像画像が、互いの重複領域が互いに重なり合うように合成され、パノラマ画像１６３０が生成される。また、３つの撮像画像により構成された合成画像についてトリミング処理を行い、パノラマ画像１６３０を生成するようにしてもよい。
【０７０９】
また、本発明の実施の形態では、特定領域を設定する際に用いられる特定対象物として、人物の顔を例にして説明したが、人物の顔以外の物体を検出して特定領域を設定するようにしてもよい。例えば、哺乳類、爬虫類、魚類等の動物（例えば、犬、猫、牛、馬）、自動車、飛行機等の特定対象物を検出して特定領域を設定するようにしてもよい。また、パーソナルコンピュータ、ナビゲーションシステム、携帯型メディアプレイヤー等の画像を表示部（内蔵表示装置または外部表示装置）に表示させることが可能な画像処理装置に本発明の実施の形態を適用することができる。
【０７１０】
なお、本発明の実施の形態は本発明を具現化するための一例を示したものであり、本発明の実施の形態において明示したように、本発明の実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、本発明の要旨を逸脱しない範囲において実施の形態に種々の変形を施すことにより具現化することができる。
【０７１１】
また、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【符号の説明】
【０７１２】
１１  アプリケーションプロセッサ
１２  デジタルベースバンド処理部
１３  アナログベースバンド処理部
１４  ＲＦ処理部
１５  電池
１６  マイクロフォン
１７  スピーカ
１８  アンテナ
１００、１０４０、１０５０  携帯電話装置
１０１、１００１  回動部材
１１０、１０１０  第１の筐体
１１１、１０１１  撮像範囲切替スイッチ
１１２、１０１２  静止画／動画切替スイッチ
１１３  テンキー
１１４  決定キー
１１５  十字キー
１２０、１０２０  第２の筐体
１３０、１０３０、１０４１、１０５１  撮像部
１３１〜１３３  光学系
１３４〜１３６  撮像素子
１３７〜１３９  ＤＳＰとのＩ／Ｆ
１４０、１０２１  表示部
１５０  回動状態検出部
１６０  プログラムメモリ
１７０  画像メモリ
１８０  記録媒体
１９１  第１の撮像系
１９２  第２の撮像系
１９３  第３の撮像系
２０１  撮像制御部
２０２  ＣＰＵ
２０３  ＤＭＡコントローラ
２０４  データバス
２０５  プログラムメモリとのＩ／Ｆ
２０６  画像メモリとのＩ／Ｆ
２０７  電源制御部
２０８  電源供給部
２０９  電源供給部
２１０  撮像素子とのＩ／Ｆ
２１１〜２１９  画像バッファ
２２０  画像信号処理部
２２１  画素加算処理部
２２２  デモザイク処理部
２２３  ＹＣ変換処理部
２２４  画像合成処理部
２２５  シャープネス処理部
２２６  色調整処理部
２２７  ＲＧＢ変換処理部
２３１、２４１、２５１  解像度変換部
２３２、２４２  画像回転処理部
２３３  表示部とのＩ／Ｆ
２４３  外部表示装置とのＩ／Ｆ
２４５  外部表示装置
２５２  符号化部
２５３  記録媒体とのＩ／Ｆ
２６１〜２６３  発振子
２６４〜２６６  発振回路
２７０  クロック生成回路
３４０  垂直走査回路
３４５  水平走査回路
１０００  撮像装置
１０１３  シャッターボタン
１０５２  姿勢検出部
１４１０  画像生成部
１４２０  画像メモリ
１４３０  記録制御部
１４４０  画像記憶部
１４５０  表示制御部
１４６０  表示部
１４７０  操作受付部
１４８０  姿勢検出部
【図１】
0005526921.tif 000002
【図２】
0005526921.tif 000003
【図３】
0005526921.tif 000004
【図４】
0005526921.tif 000005
【図５】
0005526921.tif 000006
【図６】
0005526921.tif 000007
【図７】
0005526921.tif 000008
【図８】
0005526921.tif 000009
【図９】
0005526921.tif 000010
【図１０】
0005526921.tif 000011
【図１１】
0005526921.tif 000012
【図１２】
0005526921.tif 000013
【図１３】
0005526921.tif 000014
【図１４】
0005526921.tif 000015
【図１５】
0005526921.tif 000016
【図１６】
0005526921.tif 000017
【図１７】
0005526921.tif 000018
【図１８】
0005526921.tif 000019
【図１９】
0005526921.tif 000020
【図２０】
0005526921.tif 000021
【図２１】
0005526921.tif 000022
【図２２】
0005526921.tif 000023
【図２３】
0005526921.tif 000024
【図２４】
0005526921.tif 000025
【図２５】
0005526921.tif 000026
【図２６】
0005526921.tif 000027
【図２７】
0005526921.tif 000028
【図２８】
0005526921.tif 000029
【図２９】
0005526921.tif 000030
【図３０】
0005526921.tif 000031
【図３１】
0005526921.tif 000032
【図３２】
0005526921.tif 000033
【図３３】
0005526921.tif 000034
【図３４】
0005526921.tif 000035
【図３５】
0005526921.tif 000036
【図３６】
0005526921.tif 000037
【図３７】
0005526921.tif 000038
【図３８】
0005526921.tif 000039
【図３９】
0005526921.tif 000040
【図４０】
0005526921.tif 000041
【図４１】
0005526921.tif 000042
【図４２】
0005526921.tif 000043
【図４３】
0005526921.tif 000044
【図４４】
0005526921.tif 000045
【図４５】
0005526921.tif 000046
【図４６】
0005526921.tif 000047
【図４７】
0005526921.tif 000048
【図４８】
0005526921.tif 000049
【図４９】
0005526921.tif 000050
【図５０】
0005526921.tif 000051
【図５１】
0005526921.tif 000052
【図５２】
0005526921.tif 000053
【図５３】
0005526921.tif 000054
【図５４】
0005526921.tif 000055
【図５５】
0005526921.tif 000056
【図５６】
0005526921.tif 000057
【図５７】
0005526921.tif 000058
【図５８】
0005526921.tif 000059
【図５９】
0005526921.tif 000060
【図６０】
0005526921.tif 000061
【図６１】
0005526921.tif 000062
【図６２】
0005526921.tif 000063
【図６３】
0005526921.tif 000064
【図６４】
0005526921.tif 000065
【図６５】
0005526921.tif 000066
【図６６】
0005526921.tif 000067
【図６７】
0005526921.tif 000068
【図６８】
0005526921.tif 000069
【図６９】
0005526921.tif 000070
【図７０】
0005526921.tif 000071
【図７１】
0005526921.tif 000072
【図７２】
0005526921.tif 000073
【図７３】
0005526921.tif 000074
【図７４】
0005526921.tif 000075
【図７５】
0005526921.tif 000076
【図７６】
0005526921.tif 000077
【図７７】
0005526921.tif 000078
【図７８】
0005526921.tif 000079
【図７９】
0005526921.tif 000080
【図８０】
0005526921.tif 000081
【図８１】
0005526921.tif 000082
【図８２】
0005526921.tif 000083
【図８３】
0005526921.tif 000084
【図８４】
0005526921.tif 000085
【図８５】
0005526921.tif 000086
【図８６】
0005526921.tif 000087
【図８７】
0005526921.tif 000088
【図８８】
0005526921.tif 000089
【図８９】
0005526921.tif 000090
【図９０】
0005526921.tif 000091
【図９１】
0005526921.tif 000092
【図９２】
0005526921.tif 000093
【図９３】
0005526921.tif 000094
【図９４】
0005526921.tif 000095
【図９５】
0005526921.tif 000096
【図９６】
0005526921.tif 000097
【図９７】
0005526921.tif 000098
【図９８】
0005526921.tif 000099
【図９９】
0005526921.tif 000100
【図１００】
0005526921.tif 000101
【図１０１】
0005526921.tif 000102